(57)【要約】本願はランダムアクセス方法及び装置を提供する。方法は、端末によって、ネットワークデバイスによって送信された、ランダムアクセス構成インデックスを示すために使用される第１指示情報を受信することと、端末によって、ランダムアクセス構成インデックスに基づきランダムアクセスリソースを決定することと、ランダムアクセスリソースとダウンリンク信号との間の関連付け関係に基づき、ダウンリンク信号に対応するランダムアクセスリソースを決定することと、ダウンリンク信号に対応するランダムアクセスリソースに基づきランダムアクセスプリアンブルをネットワークデバイスへ送信することとを含む。これは、ビームミスマッチを回避し、ランダムアクセスプロセスの効率を改善する。
2020536421.tif 000002
【特許請求の範囲】
【請求項１】
ランダムアクセス方法であって、
端末によって、ネットワークデバイスによって送信された第１指示情報を受信し、該第１指示情報は、ランダムアクセス構成インデックスを示すために使用される、ことと、
前記端末によって、前記ランダムアクセス構成インデックスに基づいてランダムアクセスリソースを決定することと、
前記端末によって、前記ランダムアクセスリソースとダウンリンク信号との間の関連付け関係に基づいて、前記ダウンリンク信号に対応するランダムアクセスリソースを決定することと、
前記端末によって、前記ダウンリンク信号に対応するランダムアクセスリソースに基づいてランダムアクセスプリアンブルを前記ネットワークデバイスへ送信することと
を有する方法。
【請求項２】
前記ランダムアクセスリソースと前記ダウンリンク信号との間の前記関連付け関係は、前記ランダムアクセスリソースのインデックス作成モードを有する、
請求項１に記載の方法。
【請求項３】
前記端末によって、前記ランダムアクセスリソースとダウンリンク信号との間の関連付け関係に基づいて、前記ダウンリンク信号に対応するランダムアクセスリソースを決定することは、
前記端末によって、前記ランダムアクセスリソースの時間で前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定すること、又は
前記端末によって、周波数領域における前記ランダムアクセスリソースの時間内に、前記ランダムアクセスリソースの前記インデックス作成モード及び同じ時間でのランダムアクセスリソースの数に基づいて、前記ダウンリンク信号に対応するランダムアクセスリソースの周波数位置ｆを最初に決定し、それから、前記周波数位置ｆにおいて、前記ダウンリンク信号に対応するランダムアクセスリソースの時間ｔを決定すること、又は
前記端末によって、Ｎが０よりも大きい整数であるとして、前記ランダムアクセスリソースの周期内のＮ個のスロット又はサブフレームにおいて、前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定すること
を有する、
請求項２に記載の方法。
【請求項４】
前記端末によって、前記ランダムアクセス構成インデックスに基づいてランダムアクセスリソースを決定することは、
前記端末によって、前記ランダムアクセス構成インデックスと、前記ランダムアクセスプリアンブルのサブキャリア間隔、前記ランダムアクセスプリアンブルのシーケンス長さ、ダウンリンク信号ブロックの最大数、及び実際に送信されるダウンリンク信号ブロックのうちの１つ以上とに基づいて、前記ランダムアクセスリソースの時間範囲を決定することを有する、
請求項１に記載の方法。
【請求項５】
前記端末によって、前記ダウンリンク信号に対応するランダムアクセスリソースに基づいてランダムアクセスプリアンブルを前記ネットワークデバイスへ送信することの前に、当該方法は、
前記端末によって、スロット又はサブフレームの前もって設定された構造情報に基づいて、前記ランダムアクセスリソースの前記時間範囲内の前記ランダムアクセスリソースの時間を決定すること、又は
前記端末によって、前記ネットワークデバイスによって送信された、ランダムアクセススロット又はサブフレームの構造情報を含む第２指示情報を受信し、前記端末によって、前記ランダムアクセススロット又はサブフレームの前記構造情報に基づいて、前記ランダムアクセスリソースの前記時間範囲内の前記ランダムアクセスリソースの時間を決定すること
を更に有する、
請求項４に記載の方法。
【請求項６】
前記端末によって、前記ダウンリンク信号に対応するランダムアクセスリソースに基づいてランダムアクセスプリアンブルを前記ネットワークデバイスへ送信することの前に、当該方法は、
前記端末によって、前記ランダムアクセスリソースの前もって設定されたインデックス作成モードを取得すること、又は
前記端末によって、前記ネットワークデバイスによって送信された第３指示情報を受信し、該第３指示情報は、前記ランダムアクセスリソースの前記インデックス作成モードを示すために使用される、こと
を更に有する、
請求項２又は３に記載の方法。
【請求項７】
当該方法は、
前記端末によって、前記ランダムアクセス構成インデックスと、前記ランダムアクセスプリアンブルのサブキャリア間隔、前記ランダムアクセスプリアンブルのシーケンス長さ、ダウンリンク信号ブロックの最大数、及び実際に送信されるダウンリンク信号ブロックのうちの１つ以上とに基づいて、前記ランダムアクセスリソースの時間範囲内の前記ランダムアクセスプリアンブルのシステムフレーム位置及びフォーマットを決定することを更に有する、
請求項１又は４に記載の方法。
【請求項８】
当該方法は、
前記端末によって、前記ネットワークデバイスによって送信された第４指示情報を受信することを更に有し、
前記第４指示情報は、実際に送信されるダウンリンク信号ブロックを示すために使用される、
請求項１又は４に記載の方法。
【請求項９】
ランダムアクセス方法であって、
ネットワークデバイスによって、ランダムアクセス構成インデックスを示すために使用される第１指示情報を生成することと、
前記ネットワークデバイスによって、前記第１指示情報を端末へ送信することと
を有し、
前記端末のランダムアクセスリソースは、前記端末によって前記ランダムアクセス構成インデックスに基づいて決定され、
前記ランダムアクセスリソースとダウンリンク信号との間の関連付け関係に基づいて、前記ダウンリンク信号に対応するランダムアクセスリソースが決定される、
方法。
【請求項１０】
前記ランダムアクセスリソースと前記ダウンリンク信号との間の前記関連付け関係は、前記ランダムアクセスリソースのインデックス作成モードを有する、
請求項９に記載の方法。
【請求項１１】
前記ランダムアクセスリソースの前記インデックス作成モードは、
前記ランダムアクセスリソースの時間で前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定すること、又は
周波数領域における前記ランダムアクセスリソースの時間内に、前記ランダムアクセスリソースの前記インデックス作成モード及び同じ時間でのランダムアクセスリソースの数に基づいて、前記ダウンリンク信号に対応するランダムアクセスリソースの周波数位置ｆを最初に決定し、それから、前記周波数位置ｆにおいて、前記ダウンリンク信号に対応するランダムアクセスリソースの時間ｔを決定すること、又は
Ｎが０よりも大きい整数であるとして、前記ランダムアクセスリソースの周期内のＮ個のスロット又はサブフレームにおいて、前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定すること
を有する、
請求項１０に記載の方法。
【請求項１２】
前記ランダムアクセスリソースの時間範囲は、前記端末によって、前記ランダムアクセス構成インデックスと、前記ランダムアクセスプリアンブルのサブキャリア間隔、前記ランダムアクセスプリアンブルのシーケンス長さ、ダウンリンク信号ブロックの最大数、及び実際に送信されるダウンリンク信号ブロックのうちの１つ以上とに基づいて決定される、
請求項９に記載の方法。
【請求項１３】
当該方法は、
前記ネットワークデバイスによって、ランダムアクセススロット又はサブフレームの構造情報を含む第２指示情報を前記端末へ送信することを更に有し、
前記ランダムアクセスリソースの時間は、前記ランダムアクセススロット又はサブフレームの前記構造情報に基づいて前記ランダムアクセスリソースの前記時間範囲において決定される、
請求項１２に記載の方法。
【請求項１４】
当該方法は、
前記ネットワークデバイスによって、前記ランダムアクセスリソースの前記インデックス作成モードを示すために使用される第３指示情報を前記端末へ送信することを更に有し、
前記ダウンリンク信号に対応するランダムアクセスリソースは、前記ランダムアクセスリソースの前記インデックス作成モードに基づいて前記ランダムアクセスリソースの時間内で決定される、
請求項１０又は１１に記載の方法。
【請求項１５】
当該方法は、
前記ネットワークデバイスによって、実際に送信されるダウンリンク信号ブロックを示すために使用される第４指示情報を前記端末へ送信することを更に有する、
請求項９又は１２に記載の方法。
【請求項１６】
ランダムアクセス方法であって、
端末によって、ネットワークデバイスからランダムアクセス構成インデックスを受信することと、
前記端末によって、前記ランダムアクセス構成インデックスに基づいてランダムアクセス周期においてランダムアクセスリソースを決定することと、
前記端末によって、前記ランダムアクセスリソースとダウンリンク信号との間の関連付け関係に基づいて、前記ダウンリンク信号に対応するランダムアクセスリソースを決定することと、
前記端末によって、前記ダウンリンク信号に対応するランダムアクセスリソースに基づいてランダムアクセスプリアンブルを前記ネットワークデバイスへ送信することと
を有する方法。
【請求項１７】
前記ダウンリンク信号は、実際に送信されるダウンリンク信号である、
請求項１６に記載の方法。
【請求項１８】
前記ランダムアクセスリソースとダウンリンク信号との間の関連付け関係に基づいて、前記ダウンリンク信号に対応するランダムアクセスリソースを決定することは、
前記実際に送信されるダウンリンク信号を前記ランダムアクセス周期内のランダムアクセスリソースに対して順次マッピングすることによって、前記ダウンリンク信号に対応するランダムアクセスリソースを決定することを有し、
前記ダウンリンク信号に対応するランダムアクセスリソースは、マッピングされないランダムアクセスリソースを有さず、該マッピングされないランダムアクセスリソースは、ランダムアクセスに使用されない、
請求項１７に記載の方法。
【請求項１９】
前記端末によって、前記ランダムアクセス構成インデックスに基づいてランダムアクセスリソースを決定することは、
前記ランダムアクセスリソースのキャリア周波数範囲及び前記ランダムアクセス構成インデックスに基づいて、前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
のうちの１つ以上を取得することを有する、
請求項１６乃至１８のうちいずれか一項に記載の方法。
【請求項２０】
前記端末によって、前記ランダムアクセス構成インデックスに基づいてランダムアクセスリソースを決定することは、
前記ランダムアクセスリソースのキャリア周波数範囲及び前記ランダムアクセス構成インデックスに基づいて、前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
を取得することを有する、
請求項１６乃至１８のうちいずれか一項に記載の方法。
【請求項２１】
前記ランダムアクセス構成インデックスに基づいてランダムアクセス周期においてランダムアクセスリソースを決定することは、
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、４を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム２及び７に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、８を法として前記システムフレーム番号が１に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、４を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム２及び７に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、２を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、２を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム１に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム７に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ２／Ｂ２であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ２／Ｂ２であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ３／Ｂ３であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ３／Ｂ３であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、４を法として前記システムフレーム番号が１に等しいことを満足すること、又は
前記ランダムアクセス構成インデックスに対応するプリアンブルフォーマットが２であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが２であり、前記ランダムアクセスリソースがシステムフレーム内のサブフレーム４に位置し、前記システムフレームのフレーム番号は、４を法として前記システムフレーム番号が０に等しいことを満足すること、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム９に位置し、前記システムフレームのフレーム番号は、４を法として前記システムフレーム番号が１に等しいことを満足すること
を有する、
請求項１６乃至２０のうちいずれか一項に記載の方法。
【請求項２２】
前記ランダムアクセス構成インデックスに基づいてランダムアクセス周期においてランダムアクセスリソースを決定することは、
前記ランダムアクセス構成インデックスに対応するプリアンブルフォーマットがＡ１であり、前記ランダムアクセスリソースが位置しているスロット内のランダムアクセスリソースの数が３であること、又は
前記ランダムアクセス構成インデックスに対応するプリアンブルフォーマットがＡ１であり、前記ランダムアクセスリソースが位置しているスロット内のランダムアクセスリソースの数が６であること、又は
前記ランダムアクセス構成インデックスに対応するプリアンブルフォーマットがＡ１であり、前記ランダムアクセスリソースが位置しているスロット内のランダムアクセスリソースの数が７であること、又は
前記ランダムアクセス構成インデックスに対応するプリアンブルフォーマットがＢ１であり、前記ランダムアクセスリソースが位置しているスロット内のランダムアクセスリソースの数が３であること、又は
前記ランダムアクセス構成インデックスに対応するプリアンブルフォーマットがＢ１であり、前記ランダムアクセスリソースが位置しているスロット内のランダムアクセスリソースの数が６であること、又は
前記ランダムアクセス構成インデックスに対応するプリアンブルフォーマットがＢ１であり、前記ランダムアクセスリソースが位置しているスロット内のランダムアクセスリソースの数が７であること、又は
前記ランダムアクセス構成インデックスに対応するプリアンブルフォーマットがＢ４であり、前記ランダムアクセスリソースが位置しているスロット内のランダムアクセスリソースの数が１であること、又は
前記ランダムアクセス構成インデックスに対応するプリアンブルフォーマットがＡ２であり、前記ランダムアクセスリソースが位置しているスロット内のランダムアクセスリソースの数が１であること、又は
前記ランダムアクセス構成インデックスに対応するプリアンブルフォーマットがＡ２であり、前記ランダムアクセスリソースが位置しているスロット内のランダムアクセスリソースの数が２であること、又は
前記ランダムアクセス構成インデックスに対応するプリアンブルフォーマットがＡ２であり、前記ランダムアクセスリソースが位置しているスロット内のランダムアクセスリソースの数が３であること、又は
前記ランダムアクセス構成インデックスに対応するプリアンブルフォーマットがＡ３であり、前記ランダムアクセスリソースが位置しているスロット内のランダムアクセスリソースの数が１であること、又は
前記ランダムアクセス構成インデックスに対応するプリアンブルフォーマットがＡ３であり、前記ランダムアクセスリソースが位置しているスロット内のランダムアクセスリソースの数が２であること、又は
前記ランダムアクセス構成インデックスに対応するプリアンブルフォーマットがＣ０であり、前記ランダムアクセスリソースが位置しているスロット内のランダムアクセスリソースの数が３であること、又は
前記ランダムアクセス構成インデックスに対応するプリアンブルフォーマットがＣ０であり、前記ランダムアクセスリソースが位置しているスロット内のランダムアクセスリソースの数が６であること、又は
前記ランダムアクセス構成インデックスに対応するプリアンブルフォーマットがＣ０であり、前記ランダムアクセスリソースが位置しているスロット内のランダムアクセスリソースの数が７であること、又は
前記ランダムアクセス構成インデックスに対応するプリアンブルフォーマットがＣ２であり、前記ランダムアクセスリソースが位置しているスロット内のランダムアクセスリソースの数が１であること、又は
前記ランダムアクセス構成インデックスに対応するプリアンブルフォーマットがＣ２であり、前記ランダムアクセスリソースが位置しているスロット内のランダムアクセスリソースの数が２であること、又は
前記ランダムアクセス構成インデックスに対応するプリアンブルフォーマットがＡ１／Ｂ１であり、前記ランダムアクセスリソースが位置しているスロット内のランダムアクセスリソースの数が３であること、又は
前記ランダムアクセス構成インデックスに対応するプリアンブルフォーマットがＡ１／Ｂ１であり、前記ランダムアクセスリソースが位置しているスロット内のランダムアクセスリソースの数が６であること、又は
前記ランダムアクセス構成インデックスに対応するプリアンブルフォーマットがＡ１／Ｂ１であり、前記ランダムアクセスリソースが位置しているスロット内のランダムアクセスリソースの数が７であること、又は
前記ランダムアクセス構成インデックスに対応するプリアンブルフォーマットがＡ２／Ｂ２であり、前記ランダムアクセスリソースが位置しているスロット内のランダムアクセスリソースの数が１であること、又は
前記ランダムアクセス構成インデックスに対応するプリアンブルフォーマットがＡ２／Ｂ２であり、前記ランダムアクセスリソースが位置しているスロット内のランダムアクセスリソースの数が２であること、又は
前記ランダムアクセス構成インデックスに対応するプリアンブルフォーマットがＡ２／Ｂ２であり、前記ランダムアクセスリソースが位置しているスロット内のランダムアクセスリソースの数が３であること、又は
前記ランダムアクセス構成インデックスに対応するプリアンブルフォーマットがＡ３／Ｂ３であり、前記ランダムアクセスリソースが位置しているスロット内のランダムアクセスリソースの数が１であること、又は
前記ランダムアクセス構成インデックスに対応するプリアンブルフォーマットがＡ３／Ｂ３であり、前記ランダムアクセスリソースが位置しているスロット内のランダムアクセスリソースの数が２であること
を有する、
請求項１６乃至２０のうちいずれか一項に記載の方法。
【請求項２３】
前記ダウンリンク信号は、同期信号ブロック及びチャネル状態情報参照信号のうちの少なくとも１つである、
請求項１６乃至２２のうちいずれか一項に記載の方法。
【請求項２４】
前記端末によって、実際に送信されるダウンリンク信号を示すために使用される第４指示情報を前記ネットワークデバイスから受信することを更に有する、
請求項１７乃至２３のうちいずれか一項に記載の方法。
【請求項２５】
前記ランダムアクセス周期内の前記ランダムアクセスリソースは、実際に送信されるダウンリンク信号に基づき調整される、
請求項１６乃至２４のうちいずれか一項に記載の方法。
【請求項２６】
ランダムアクセス方法であって、
ネットワークデバイスによって、ランダムアクセス構成インデックスを送信することと、
前記ネットワークデバイスによって、前記ランダムアクセス構成インデックスに対応するランダムアクセス周期内のランダムアクセスリソースと、該ランダムアクセスリソースとダウンリンク信号との間の関連付け関係とに基づいて、前記ダウンリンク信号に対応するランダムアクセスリソースを決定することと、
前記ネットワークデバイスによって、前記ダウンリンク信号に対応するランダムアクセスリソースに基づいて端末からランダムアクセスプリアンブルを受信することと
を有する方法。
【請求項２７】
前記ダウンリンク信号は、実際に送信されるダウンリンク信号である、
請求項２６に記載の方法。
【請求項２８】
前記ランダムアクセス構成インデックスに対応するランダムアクセス周期内のランダムアクセスリソースと、該ランダムアクセスリソースとダウンリンク信号との間の関連付け関係とに基づいて、前記ダウンリンク信号に対応するランダムアクセスリソースを決定することは、
前記実際に送信されるダウンリンク信号を前記ランダムアクセス周期内のランダムアクセスリソースに対して順次マッピングすることによって、前記ダウンリンク信号に対応するランダムアクセスリソースを決定することを有し、
前記ダウンリンク信号に対応するランダムアクセスリソースは、マッピングされないランダムアクセスリソースを有さず、該マッピングされないランダムアクセスリソースは、ランダムアクセスに使用されない、
請求項２７に記載の方法。
【請求項２９】
前記ランダムアクセス構成インデックスに対応する前記ランダムアクセス周期内の前記ランダムアクセスリソースは、
前記ランダムアクセスリソースのキャリア周波数範囲及び前記ランダムアクセス構成インデックスに対応する前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
のうちの１つ以上を有する、
請求項２６乃至２８のうちいずれか一項に記載の方法。
【請求項３０】
前記ランダムアクセス構成インデックスに対応する前記ランダムアクセス周期内の前記ランダムアクセスリソースは、
前記ランダムアクセスリソースのキャリア周波数範囲及び前記ランダムアクセス構成インデックスに対応する前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
を有する、
請求項２６乃至２９のうちいずれか一項に記載の方法。
【請求項３１】
前記ランダムアクセス構成インデックスに対応する前記ランダムアクセス周期内の前記ランダムアクセスリソースは、
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、４を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム２及び７に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、８を法として前記システムフレーム番号が１に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、４を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム２及び７に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、２を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、２を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム１に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム７に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ２／Ｂ２であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ２／Ｂ２であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ３／Ｂ３であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ３／Ｂ３であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、４を法として前記システムフレーム番号が１に等しいことを満足すること、又は
前記ランダムアクセス構成インデックスに対応するプリアンブルフォーマットが２であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが２であり、前記ランダムアクセスリソースがシステムフレーム内のサブフレーム４に位置し、前記システムフレームのフレーム番号は、４を法として前記システムフレーム番号が０に等しいことを満足すること、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム９に位置し、前記システムフレームのフレーム番号は、４を法として前記システムフレーム番号が１に等しいことを満足すること
を有する、
請求項２６乃至３０のうちいずれか一項に記載の方法。
【請求項３２】
前記ランダムアクセス構成インデックスに対応する前記ランダムアクセス周期内の前記ランダムアクセスリソースは、
前記ランダムアクセス構成インデックスに対応するプリアンブルフォーマットがＡ１であり、前記ランダムアクセスリソースが位置しているスロット内のランダムアクセスリソースの数が３であること、又は
前記ランダムアクセス構成インデックスに対応するプリアンブルフォーマットがＡ１であり、前記ランダムアクセスリソースが位置しているスロット内のランダムアクセスリソースの数が６であること、又は
前記ランダムアクセス構成インデックスに対応するプリアンブルフォーマットがＡ１であり、前記ランダムアクセスリソースが位置しているスロット内のランダムアクセスリソースの数が７であること、又は
前記ランダムアクセス構成インデックスに対応するプリアンブルフォーマットがＢ１であり、前記ランダムアクセスリソースが位置しているスロット内のランダムアクセスリソースの数が３であること、又は
前記ランダムアクセス構成インデックスに対応するプリアンブルフォーマットがＢ１であり、前記ランダムアクセスリソースが位置しているスロット内のランダムアクセスリソースの数が６であること、又は
前記ランダムアクセス構成インデックスに対応するプリアンブルフォーマットがＢ１であり、前記ランダムアクセスリソースが位置しているスロット内のランダムアクセスリソースの数が７であること、又は
前記ランダムアクセス構成インデックスに対応するプリアンブルフォーマットがＢ４であり、前記ランダムアクセスリソースが位置しているスロット内のランダムアクセスリソースの数が１であること、又は
前記ランダムアクセス構成インデックスに対応するプリアンブルフォーマットがＡ２であり、前記ランダムアクセスリソースが位置しているスロット内のランダムアクセスリソースの数が１であること、又は
前記ランダムアクセス構成インデックスに対応するプリアンブルフォーマットがＡ２であり、前記ランダムアクセスリソースが位置しているスロット内のランダムアクセスリソースの数が２であること、又は
前記ランダムアクセス構成インデックスに対応するプリアンブルフォーマットがＡ２であり、前記ランダムアクセスリソースが位置しているスロット内のランダムアクセスリソースの数が３であること、又は
前記ランダムアクセス構成インデックスに対応するプリアンブルフォーマットがＡ３であり、前記ランダムアクセスリソースが位置しているスロット内のランダムアクセスリソースの数が１であること、又は
前記ランダムアクセス構成インデックスに対応するプリアンブルフォーマットがＡ３であり、前記ランダムアクセスリソースが位置しているスロット内のランダムアクセスリソースの数が２であること、又は
前記ランダムアクセス構成インデックスに対応するプリアンブルフォーマットがＣ０であり、前記ランダムアクセスリソースが位置しているスロット内のランダムアクセスリソースの数が３であること、又は
前記ランダムアクセス構成インデックスに対応するプリアンブルフォーマットがＣ０であり、前記ランダムアクセスリソースが位置しているスロット内のランダムアクセスリソースの数が６であること、又は
前記ランダムアクセス構成インデックスに対応するプリアンブルフォーマットがＣ０であり、前記ランダムアクセスリソースが位置しているスロット内のランダムアクセスリソースの数が７であること、又は
前記ランダムアクセス構成インデックスに対応するプリアンブルフォーマットがＣ２であり、前記ランダムアクセスリソースが位置しているスロット内のランダムアクセスリソースの数が１であること、又は
前記ランダムアクセス構成インデックスに対応するプリアンブルフォーマットがＣ２であり、前記ランダムアクセスリソースが位置しているスロット内のランダムアクセスリソースの数が２であること、又は
前記ランダムアクセス構成インデックスに対応するプリアンブルフォーマットがＡ１／Ｂ１であり、前記ランダムアクセスリソースが位置しているスロット内のランダムアクセスリソースの数が３であること、又は
前記ランダムアクセス構成インデックスに対応するプリアンブルフォーマットがＡ１／Ｂ１であり、前記ランダムアクセスリソースが位置しているスロット内のランダムアクセスリソースの数が６であること、又は
前記ランダムアクセス構成インデックスに対応するプリアンブルフォーマットがＡ１／Ｂ１であり、前記ランダムアクセスリソースが位置しているスロット内のランダムアクセスリソースの数が７であること、又は
前記ランダムアクセス構成インデックスに対応するプリアンブルフォーマットがＡ２／Ｂ２であり、前記ランダムアクセスリソースが位置しているスロット内のランダムアクセスリソースの数が１であること、又は
前記ランダムアクセス構成インデックスに対応するプリアンブルフォーマットがＡ２／Ｂ２であり、前記ランダムアクセスリソースが位置しているスロット内のランダムアクセスリソースの数が２であること、又は
前記ランダムアクセス構成インデックスに対応するプリアンブルフォーマットがＡ２／Ｂ２であり、前記ランダムアクセスリソースが位置しているスロット内のランダムアクセスリソースの数が３であること、又は
前記ランダムアクセス構成インデックスに対応するプリアンブルフォーマットがＡ３／Ｂ３であり、前記ランダムアクセスリソースが位置しているスロット内のランダムアクセスリソースの数が１であること、又は
前記ランダムアクセス構成インデックスに対応するプリアンブルフォーマットがＡ３／Ｂ３であり、前記ランダムアクセスリソースが位置しているスロット内のランダムアクセスリソースの数が２であること
を有する、
請求項２６乃至３０のうちいずれか一項に記載の方法。
【請求項３３】
前記ダウンリンク信号は、同期信号ブロック及びチャネル状態情報参照信号のうちの少なくとも１つである、
請求項２６乃至３２のうちいずれか一項に記載の方法。
【請求項３４】
実際に送信されるダウンリンク信号を示すために使用される第４指示情報を送信することを更に有する、
請求項２６乃至３３のうちいずれか一項に記載の方法。
【請求項３５】
前記ランダムアクセス周期内の前記ランダムアクセスリソースは、実際に送信されるダウンリンク信号に基づき調整される、
請求項２６乃至３４のうちいずれか一項に記載の方法。
【請求項３６】
ランダムアクセス装置であって、
ネットワークデバイスによって送信された第１指示情報を受信するよう構成される受信モジュールであり、前記第１指示情報は、ランダムアクセス構成インデックスを示すために使用される、前記受信モジュールと、
前記ランダムアクセス構成インデックスに基づいてランダムアクセスリソースを決定し、該ランダムアクセスリソースとダウンリンク信号との間の関連付け関係に基づいて、前記ダウンリンク信号に対応するランダムアクセスリソースを決定するよう構成される決定モジュールと、
前記ダウンリンク信号に対応するランダムアクセスリソースに基づいてランダムアクセスプリアンブルを前記ネットワークデバイスへ送信するよう構成される送信モジュールと
を有する装置。
【請求項３７】
前記ランダムアクセスリソースと前記ダウンリンク信号との間の前記関連付け関係は、前記ランダムアクセスリソースのインデックス作成モードを有する、
請求項３６に記載の装置。
【請求項３８】
前記決定モジュールは、
前記ランダムアクセスリソースの時間で前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定するよう、又は
周波数領域における前記ランダムアクセスリソースの時間内に、前記ランダムアクセスリソースの前記インデックス作成モード及び同じ時間でのランダムアクセスリソースの数に基づいて、前記ダウンリンク信号に対応するランダムアクセスリソースの周波数位置ｆを最初に決定し、それから、前記周波数位置ｆにおいて、前記ダウンリンク信号に対応するランダムアクセスリソースの時間ｔを決定するよう、又は
Ｎが０よりも大きい整数であるとして、前記ランダムアクセスリソースの周期内のＮ個のスロット又はサブフレームにおいて、前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定するよう
特に構成される、
請求項３７に記載の装置。
【請求項３９】
前記決定モジュールは、
前記ランダムアクセス構成インデックスと、前記ランダムアクセスプリアンブルのサブキャリア間隔、前記ランダムアクセスプリアンブルのシーケンス長さ、ダウンリンク信号ブロックの最大数、及び実際に送信されるダウンリンク信号ブロックのうちの１つ以上とに基づいて、前記ランダムアクセスリソースの時間範囲を決定するよう特に構成される、
請求項３６に記載の装置。
【請求項４０】
前記決定モジュールは、前記送信モジュールが、前記ダウンリンク信号に対応するランダムアクセスリソースに基づいて前記ランダムアクセスプリアンブルを前記ネットワークデバイスへ送信する前に、
スロット又はサブフレームの前もって設定された構造情報に基づいて、前記ランダムアクセスリソースの前記時間範囲内の前記ランダムアクセスリソースの時間を決定するよう、又は
前記ネットワークデバイスによって送信された、ランダムアクセススロット又はサブフレームの構造情報を含む第２指示情報を受信し、前記ランダムアクセススロット又はサブフレームの前記構造情報に基づいて、前記ランダムアクセスリソースの前記時間範囲内の前記ランダムアクセスリソースの時間を決定するよう
更に構成される、
請求項３９に記載の装置。
【請求項４１】
前記決定モジュールは、前記ランダムアクセスリソースの前もって設定されたインデックス作成モードを取得するよう更に構成され、あるいは、
前記受信モジュールは、前記ネットワークデバイスによって送信された第３指示情報を受信するよう更に構成され、前記第３指示情報は、前記ランダムアクセスリソースの前記インデックス作成モードを示すために使用される、
請求項３７又は３８に記載の装置。
【請求項４２】
前記決定モジュールは、前記ランダムアクセス構成インデックスと、前記ランダムアクセスプリアンブルのサブキャリア間隔、前記ランダムアクセスプリアンブルのシーケンス長さ、ダウンリンク信号ブロックの最大数、及び実際に送信されるダウンリンク信号ブロックのうちの１つ以上とに基づいて、前記ランダムアクセスリソースの時間範囲内の前記ランダムアクセスプリアンブルのシステムフレーム位置及びフォーマットを決定するよう更に構成される、
請求項３６又は３９に記載の装置。
【請求項４３】
前記受信モジュールは、前記ネットワークデバイスによって送信された第４指示情報を受信するよう更に構成され、
前記第４指示情報は、実際に送信されるダウンリンク信号ブロックを示すために使用される、
請求項３６又は３９に記載の装置。
【請求項４４】
ランダムアクセス装置であって、
ランダムアクセス構成インデックスを示すために使用される第１指示情報を生成するよう構成される生成モジュールと、
前記第１指示情報を端末へ送信するよう構成される送信モジュールと
を有し、
前記端末のランダムアクセスリソースは、前記ランダムアクセス構成インデックスに基づいて決定され、
前記ランダムアクセスリソースとダウンリンク信号との間の関連付け関係に基づいて、前記ダウンリンク信号に対応するランダムアクセスリソースが決定される、
装置。
【請求項４５】
前記ランダムアクセスリソースと前記ダウンリンク信号との間の前記関連付け関係は、前記ランダムアクセスリソースのインデックス作成モードを有する、
請求項４４に記載の装置。
【請求項４６】
前記ランダムアクセスリソースの前記インデックス作成モードは、
前記ランダムアクセスリソースの時間で前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定すること、又は
周波数領域における前記ランダムアクセスリソースの時間内に、前記ランダムアクセスリソースの前記インデックス作成モード及び同じ時間でのランダムアクセスリソースの数に基づいて、前記ダウンリンク信号に対応するランダムアクセスリソースの周波数位置ｆを最初に決定し、それから、前記周波数位置ｆにおいて、前記ダウンリンク信号に対応するランダムアクセスリソースの時間ｔを決定すること、又は
Ｎが０よりも大きい整数であるとして、前記ランダムアクセスリソースの周期内のＮ個のスロット又はサブフレームにおいて、前記ランダムアクセスリソースの前記インデックス作成モード及び同じ時間でのランダムアクセスリソースの数に基づいて、前記ダウンリンク信号に対応するランダムアクセスリソースの時間ｔを最初に決定し、それから、前記時間ｔで、前記ダウンリンク信号に対応するランダムアクセスリソースの周波数位置ｆを決定すること
を有する、
請求項４５に記載の装置。
【請求項４７】
ランダムアクセス装置であって、
ネットワークデバイスからランダムアクセス構成インデックスを受信するよう構成される第１受信モジュールと、
前記ランダムアクセス構成インデックスに基づいてランダムアクセス周期においてランダムアクセスリソースを決定するよう構成される決定モジュールと、
前記ダウンリンク信号に対応するランダムアクセスリソースに基づいてランダムアクセスプリアンブルを前記ネットワークデバイスへ送信するよう構成される送信モジュールと
を有する装置。
【請求項４８】
前記ダウンリンク信号は、実際に送信されるダウンリンク信号である、
請求項４７に記載の装置。
【請求項４９】
前記決定モジュールは、前記実際に送信されるダウンリンク信号を前記ランダムアクセス周期内のランダムアクセスリソースに対して順次マッピングすることによって、前記ダウンリンク信号に対応するランダムアクセスリソースを決定するよう特に構成され、
前記ダウンリンク信号に対応するランダムアクセスリソースは、マッピングされないランダムアクセスリソースを有さず、該マッピングされないランダムアクセスリソースは、ランダムアクセスに使用されない、
請求項４８に記載の装置。
【請求項５０】
前記決定モジュールは、前記ランダムアクセスリソースのキャリア周波数範囲及び前記ランダムアクセス構成インデックスに基づいて、前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
のうちの１つ以上を取得するよう特に構成される、
請求項４７乃至４９のうちいずれか一項に記載の装置。
【請求項５１】
前記決定モジュールは、
前記ランダムアクセスリソースのキャリア周波数範囲及び前記ランダムアクセス構成インデックスに基づいて、前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
を取得するよう特に構成される、
請求項４７乃至４９のうちいずれか一項に記載の装置。
【請求項５２】
前記決定モジュールは、
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、４を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、２を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、２を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、２を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、１を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、１を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、１を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム１及び６に位置し、前記システムフレームのフレーム番号は、１を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム４及び９に位置し、前記システムフレームのフレーム番号は、１を法として前記システムフレーム番号が０に等しいことを満足するように、又は
前記ランダムアクセス構成インデックスに対応するプリアンブルフォーマットがＣ０であり、前記ランダムアクセスリソースがシステムフレーム内のサブフレーム２及び７に位置し、前記システムフレームのフレーム番号は、１を法として前記システムフレーム番号が０に等しいことを満足するように、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、８を法として前記システムフレーム番号が１に等しいことを満足するように、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、４を法として前記システムフレーム番号が０に等しいことを満足するように、又は
前記ランダムアクセス構成インデックスに対応するプリアンブルフォーマットがＣ２であり、前記ランダムアクセスリソースがシステムフレーム内のサブフレーム１及び６に位置し、前記システムフレームのフレーム番号は、１を法として前記システムフレーム番号が０に等しいことを満足するように、又は
前記ランダムアクセス構成インデックスに対応するプリアンブルフォーマットがＣ２であり、前記ランダムアクセスリソースがシステムフレーム内のサブフレーム２及び７に位置し、前記システムフレームのフレーム番号は、１を法として前記システムフレーム番号が０に等しいことを満足するように、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、１を法として前記システムフレーム番号が０に等しいことを満足するように、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、２を法として前記システムフレーム番号が０に等しいことを満足するように、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、２を法として前記システムフレーム番号が０に等しいことを満足するように、又は
前記ランダムアクセス構成インデックスに対応するプリアンブルフォーマットがＡ１／Ｂ１であり、前記ランダムアクセスリソースがシステムフレーム内のサブフレーム１に位置し、前記システムフレームのフレーム番号は、１を法として前記システムフレーム番号が０に等しいことを満足するように、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、１を法として前記システムフレーム番号が０に等しいことを満足するように、又は
前記ランダムアクセス構成インデックスに対応するプリアンブルフォーマットがＡ１／Ｂ１であり、前記ランダムアクセスリソースがシステムフレーム内のサブフレーム７に位置し、前記システムフレームのフレーム番号は、１を法として前記システムフレーム番号が０に等しいことを満足するように、又は
前記ランダムアクセス構成インデックスに対応するプリアンブルフォーマットがＡ１／Ｂ１であり、前記ランダムアクセスリソースがシステムフレーム内のサブフレーム１及び６に位置し、前記システムフレームのフレーム番号は、１を法として前記システムフレーム番号が０に等しいことを満足するように、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、１を法として前記システムフレーム番号が０に等しいことを満足するように、又は
前記ランダムアクセス構成インデックスに対応するプリアンブルフォーマットがＡ２／Ｂ２であり、前記ランダムアクセスリソースがシステムフレーム内のサブフレーム１及び６に位置し、前記システムフレームのフレーム番号は、１を法として前記システムフレーム番号が０に等しいことを満足するように、又は
前記ランダムアクセス構成インデックスに対応するプリアンブルフォーマットがＡ２／Ｂ２であり、前記ランダムアクセスリソースがシステムフレーム内のサブフレーム４及び９に位置し、前記システムフレームのフレーム番号は、１を法として前記システムフレーム番号が０に等しいことを満足するように、又は
前記ランダムアクセス構成インデックスに対応するプリアンブルフォーマットがＡ３／Ｂ３であり、前記ランダムアクセスリソースがシステムフレーム内のサブフレーム１及び６に位置し、前記システムフレームのフレーム番号は、１を法として前記システムフレーム番号が０に等しいことを満足するように、又は
前記ランダムアクセス構成インデックスに対応するプリアンブルフォーマットがＡ３／Ｂ３であり、前記ランダムアクセスリソースがシステムフレーム内のサブフレーム４及び９に位置し、前記システムフレームのフレーム番号は、１を法として前記システムフレーム番号が０に等しいことを満足するように、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、８を法として前記システムフレーム番号が１に等しいことを満足するように、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、８を法として前記システムフレーム番号が１に等しいことを満足するように、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、８を法として前記システムフレーム番号が１に等しいことを満足するように、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、８を法として前記システムフレーム番号が１に等しいことを満足するように、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、４を法として前記システムフレーム番号が１に等しいことを満足するように、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、４を法として前記システムフレーム番号が１に等しいことを満足するように、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、４を法として前記システムフレーム番号が１に等しいことを満足するように、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、４を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、８を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、８を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、８を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、８を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、４を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、４を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、４を法として前記システムフレーム番号が１に等しいことを満足するように、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、４を法として前記システムフレーム番号が１に等しいことを満足するように、又は
前記ランダムアクセス構成インデックスに対応するプリアンブルフォーマットが２であり、前記ランダムアクセスリソースがシステムフレーム内のサブフレーム１に位置し、前記システムフレームのフレーム番号は、８を法として前記システムフレーム番号が１に等しいことを満足するように、又は
前記ランダムアクセス構成インデックスに対応するプリアンブルフォーマットが２であり、前記ランダムアクセスリソースがシステムフレーム内のサブフレーム４に位置し、前記システムフレームのフレーム番号は、４を法として前記システムフレーム番号が０に等しいことを満足するように、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、８を法として前記システムフレーム番号が１に等しいことを満足するように、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、８を法として前記システムフレーム番号が１に等しいことを満足するように、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、８を法として前記システムフレーム番号が１に等しいことを満足するように、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、４を法として前記システムフレーム番号が１に等しいことを満足するように、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、４を法として前記システムフレーム番号が１に等しいことを満足するように、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、４を法として前記システムフレーム番号が１に等しいことを満足するように、又は
前記ランダムアクセス構成インデックスに対応するプリアンブルフォーマットが３であり、前記ランダムアクセスリソースがシステムフレーム内のサブフレーム９に位置し、前記システムフレームのフレーム番号は、４を法として前記システムフレーム番号が１に等しいことを満足するように
特に構成される、
請求項４７乃至５１のうちいずれか一項に記載の装置。
【請求項５３】
前記決定モジュールは、
前記ランダムアクセス構成インデックスに対応するプリアンブルフォーマットがＡ１であり、前記ランダムアクセスリソースが位置しているスロット内のランダムアクセスリソースの数が３であるように、又は
前記ランダムアクセス構成インデックスに対応するプリアンブルフォーマットがＡ１であり、前記ランダムアクセスリソースが位置しているスロット内のランダムアクセスリソースの数が６であるように、又は
前記ランダムアクセス構成インデックスに対応するプリアンブルフォーマットがＡ１であり、前記ランダムアクセスリソースが位置しているスロット内のランダムアクセスリソースの数が７であるように、又は
前記ランダムアクセス構成インデックスに対応するプリアンブルフォーマットがＢ１であり、前記ランダムアクセスリソースが位置しているスロット内のランダムアクセスリソースの数が３であるように、又は
前記ランダムアクセス構成インデックスに対応するプリアンブルフォーマットがＢ１であり、前記ランダムアクセスリソースが位置しているスロット内のランダムアクセスリソースの数が６であるように、又は
前記ランダムアクセス構成インデックスに対応するプリアンブルフォーマットがＢ１であり、前記ランダムアクセスリソースが位置しているスロット内のランダムアクセスリソースの数が７であるように、又は
前記ランダムアクセス構成インデックスに対応するプリアンブルフォーマットがＢ４であり、前記ランダムアクセスリソースが位置しているスロット内のランダムアクセスリソースの数が１であるように、又は
前記ランダムアクセス構成インデックスに対応するプリアンブルフォーマットがＡ２であり、前記ランダムアクセスリソースが位置しているスロット内のランダムアクセスリソースの数が１であるように、又は
前記ランダムアクセス構成インデックスに対応するプリアンブルフォーマットがＡ２であり、前記ランダムアクセスリソースが位置しているスロット内のランダムアクセスリソースの数が２であるように、又は
前記ランダムアクセス構成インデックスに対応するプリアンブルフォーマットがＡ２であり、前記ランダムアクセスリソースが位置しているスロット内のランダムアクセスリソースの数が３であるように、又は
前記ランダムアクセス構成インデックスに対応するプリアンブルフォーマットがＡ３であり、前記ランダムアクセスリソースが位置しているスロット内のランダムアクセスリソースの数が１であるように、又は
前記ランダムアクセス構成インデックスに対応するプリアンブルフォーマットがＡ３であり、前記ランダムアクセスリソースが位置しているスロット内のランダムアクセスリソースの数が２であるように、又は
前記ランダムアクセス構成インデックスに対応するプリアンブルフォーマットがＣ０であり、前記ランダムアクセスリソースが位置しているスロット内のランダムアクセスリソースの数が３であるように、又は
前記ランダムアクセス構成インデックスに対応するプリアンブルフォーマットがＣ０であり、前記ランダムアクセスリソースが位置しているスロット内のランダムアクセスリソースの数が６であるように、又は
前記ランダムアクセス構成インデックスに対応するプリアンブルフォーマットがＣ０であり、前記ランダムアクセスリソースが位置しているスロット内のランダムアクセスリソースの数が７であるように、又は
前記ランダムアクセス構成インデックスに対応するプリアンブルフォーマットがＣ２であり、前記ランダムアクセスリソースが位置しているスロット内のランダムアクセスリソースの数が１であるように、又は
前記ランダムアクセス構成インデックスに対応するプリアンブルフォーマットがＣ２であり、前記ランダムアクセスリソースが位置しているスロット内のランダムアクセスリソースの数が２であるように、又は
前記ランダムアクセス構成インデックスに対応するプリアンブルフォーマットがＡ１／Ｂ１であり、前記ランダムアクセスリソースが位置しているスロット内のランダムアクセスリソースの数が３であるように、又は
前記ランダムアクセス構成インデックスに対応するプリアンブルフォーマットがＡ１／Ｂ１であり、前記ランダムアクセスリソースが位置しているスロット内のランダムアクセスリソースの数が６であるように、又は
前記ランダムアクセス構成インデックスに対応するプリアンブルフォーマットがＡ１／Ｂ１であり、前記ランダムアクセスリソースが位置しているスロット内のランダムアクセスリソースの数が７であるように、又は
前記ランダムアクセス構成インデックスに対応するプリアンブルフォーマットがＡ２／Ｂ２であり、前記ランダムアクセスリソースが位置しているスロット内のランダムアクセスリソースの数が１であるように、又は
前記ランダムアクセス構成インデックスに対応するプリアンブルフォーマットがＡ２／Ｂ２であり、前記ランダムアクセスリソースが位置しているスロット内のランダムアクセスリソースの数が２であるように、又は
前記ランダムアクセス構成インデックスに対応するプリアンブルフォーマットがＡ２／Ｂ２であり、前記ランダムアクセスリソースが位置しているスロット内のランダムアクセスリソースの数が３であるように、又は
前記ランダムアクセス構成インデックスに対応するプリアンブルフォーマットがＡ３／Ｂ３であり、前記ランダムアクセスリソースが位置しているスロット内のランダムアクセスリソースの数が１であるように、又は
前記ランダムアクセス構成インデックスに対応するプリアンブルフォーマットがＡ３／Ｂ３であり、前記ランダムアクセスリソースが位置しているスロット内のランダムアクセスリソースの数が２であるように
特に構成される、
請求項４７乃至５１のうちいずれか一項に記載の装置。
【請求項５４】
前記ダウンリンク信号は、同期信号ブロック及びチャネル状態情報参照信号のうちの少なくとも１つである、
請求項４７乃至５３のうちいずれか一項に記載の装置。
【請求項５５】
当該装置は、
実際に送信されるダウンリンク信号を示すために使用される第４指示情報を前記ネットワークデバイスから受信するよう構成される第２受信モジュールを更に有する、
請求項４８乃至５４のうちいずれか一項に記載の装置。
【請求項５６】
前記ランダムアクセス周期内の前記ランダムアクセスリソースは、実際に送信されるダウンリンク信号に基づき調整される、
請求項４７乃至５５のうちいずれか一項に記載の装置。
【請求項５７】
ランダムアクセス装置であって、
ランダムアクセス構成インデックスを送信するよう構成される第１送信モジュールと、
前記ランダムアクセス構成インデックスに対応するランダムアクセス周期内のランダムアクセスリソースと、該ランダムアクセスリソースとダウンリンク信号との間の関連付け関係とに基づいて、前記ダウンリンク信号に対応するランダムアクセスリソースを決定するよう構成される決定モジュールと、
前記ダウンリンク信号に対応するランダムアクセスリソースに基づいて端末からランダムアクセスプリアンブルを受信するよう構成される受信モジュールと
を有する装置。
【請求項５８】
前記ダウンリンク信号は、実際に送信されるダウンリンク信号である、
請求項５７に記載の装置。
【請求項５９】
前記決定モジュールは、
前記実際に送信されるダウンリンク信号を前記ランダムアクセス周期内のランダムアクセスリソースに対して順次マッピングすることによって、前記ダウンリンク信号に対応するランダムアクセスリソースを決定するよう特に構成され、
前記ダウンリンク信号に対応するランダムアクセスリソースは、マッピングされないランダムアクセスリソースを有さず、該マッピングされないランダムアクセスリソースは、ランダムアクセスに使用されない、
請求項５８に記載の装置。
【請求項６０】
前記ランダムアクセス構成インデックスに対応する前記ランダムアクセス周期内の前記ランダムアクセスリソースは、
前記ランダムアクセスリソースのキャリア周波数範囲及び前記ランダムアクセス構成インデックスに対応する前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
のうちの１つ以上を有する、
請求項５７乃至５９に記載の装置。
【請求項６１】
前記ランダムアクセス構成インデックスに対応する前記ランダムアクセス周期内の前記ランダムアクセスリソースは、
前記ランダムアクセスリソースのキャリア周波数範囲及び前記ランダムアクセス構成インデックスに対応する前記ランダムアクセスリソースの次のパラメータ：
ランダムアクセスプリアンブルフォーマット、
前記ランダムアクセスリソースが位置しているサブフレーム又はスロット内のランダムアクセスリソースの開始ＯＦＤＭシンボル位置、
前記ランダムアクセスリソースが位置しているサブフレーム又はスロット内のランダムアクセスリソースの数、及び
前記ランダムアクセスリソースが位置しているサブフレーム又はスロット内のランダムアクセスリソースの存続期間
を有する、
請求項５７乃至６０に記載の装置。
【請求項６２】
前記ランダムアクセス構成インデックスに対応する前記ランダムアクセス周期内の前記ランダムアクセスリソースは、
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、４を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、２を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム７に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＣ０であり、前記ランダムアクセスリソースがシステムフレーム内のサブフレーム２及び７に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、８を法として前記システムフレーム番号が１に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、４を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム２及び７に位置し、前記システムフレームのフレーム番号は、１を法として前記システムフレーム番号が０に等しいことを満足すること、又は
前記ランダムアクセス構成インデックスに対応するプリアンブルフォーマットがＣ２であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、２を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、２を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム１に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム７に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ１／Ｂ１であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ２／Ｂ２であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ２／Ｂ２であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットがＡ３／Ｂ３であり、前記ランダムアクセスリソースがシステムフレーム内のサブフレーム１及び６に位置し、前記システムフレームのフレーム番号は、１を法として前記システムフレーム番号が０に等しいことを満足すること、又は
前記ランダムアクセス構成インデックスに対応するプリアンブルフォーマットがＡ３／Ｂ３であり、前記ランダムアクセスリソースがシステムフレーム内のサブフレーム４及び９に位置し、前記システムフレームのフレーム番号は、１を法として前記システムフレーム番号が０に等しいことを満足すること、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、８を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが０であり、前記ランダムアクセスリソースがシステムフレーム内のサブフレーム９に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、８を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが１であり、前記ランダムアクセスリソースがシステムフレーム内のサブフレーム９に位置し、前記システムフレームのフレーム番号は、４を法として前記システムフレーム番号が１に等しいことを満足すること、又は
前記ランダムアクセス構成インデックスに対応するプリアンブルフォーマットが２であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが２であり、前記ランダムアクセスリソースがシステムフレーム内のサブフレーム４に位置し、前記システムフレームのフレーム番号は、４を法として前記システムフレーム番号が０に等しいことを満足すること、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、８を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム１に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム４に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム７に位置し、前記システムフレームのフレーム番号は、４を法として前記システムフレーム番号が１に等しいことを満足すること、又は
前記ランダムアクセス構成インデックスに対応するプリアンブルフォーマットが３であり、前記ランダムアクセスリソースがシステムフレーム内のサブフレーム９に位置し、前記システムフレームのフレーム番号は、４を法として前記システムフレーム番号が１に等しいことを満足すること
を有する、
請求項５７乃至６１に記載の装置。
【請求項６３】
前記ランダムアクセス構成インデックスに対応する前記ランダムアクセス周期内の前記ランダムアクセスリソースは、
前記ランダムアクセス構成インデックスに対応するプリアンブルフォーマットがＡ１であり、前記ランダムアクセスリソースが位置しているスロット内のランダムアクセスリソースの数が３であること、又は
前記ランダムアクセス構成インデックスに対応するプリアンブルフォーマットがＡ１であり、前記ランダムアクセスリソースが位置しているスロット内のランダムアクセスリソースの数が６であること、又は
前記ランダムアクセス構成インデックスに対応するプリアンブルフォーマットがＡ１であり、前記ランダムアクセスリソースが位置しているスロット内のランダムアクセスリソースの数が７であること、又は
前記ランダムアクセス構成インデックスに対応するプリアンブルフォーマットがＢ１であり、前記ランダムアクセスリソースが位置しているスロット内のランダムアクセスリソースの数が３であること、又は
前記ランダムアクセス構成インデックスに対応するプリアンブルフォーマットがＢ１であり、前記ランダムアクセスリソースが位置しているスロット内のランダムアクセスリソースの数が６であること、又は
前記ランダムアクセス構成インデックスに対応するプリアンブルフォーマットがＢ１であり、前記ランダムアクセスリソースが位置しているスロット内のランダムアクセスリソースの数が７であること、又は
前記ランダムアクセス構成インデックスに対応するプリアンブルフォーマットがＢ４であり、前記ランダムアクセスリソースが位置しているスロット内のランダムアクセスリソースの数が１であること、又は
前記ランダムアクセス構成インデックスに対応するプリアンブルフォーマットがＡ２であり、前記ランダムアクセスリソースが位置しているスロット内のランダムアクセスリソースの数が１であること、又は
前記ランダムアクセス構成インデックスに対応するプリアンブルフォーマットがＡ２であり、前記ランダムアクセスリソースが位置しているスロット内のランダムアクセスリソースの数が２であること、又は
前記ランダムアクセス構成インデックスに対応するプリアンブルフォーマットがＡ２であり、前記ランダムアクセスリソースが位置しているスロット内のランダムアクセスリソースの数が３であること、又は
前記ランダムアクセス構成インデックスに対応するプリアンブルフォーマットがＡ３であり、前記ランダムアクセスリソースが位置しているスロット内のランダムアクセスリソースの数が１であること、又は
前記ランダムアクセス構成インデックスに対応するプリアンブルフォーマットがＡ３であり、前記ランダムアクセスリソースが位置しているスロット内のランダムアクセスリソースの数が２であること、又は
前記ランダムアクセス構成インデックスに対応するプリアンブルフォーマットがＣ０であり、前記ランダムアクセスリソースが位置しているスロット内のランダムアクセスリソースの数が３であること、又は
前記ランダムアクセス構成インデックスに対応するプリアンブルフォーマットがＣ０であり、前記ランダムアクセスリソースが位置しているスロット内のランダムアクセスリソースの数が６であること、又は
前記ランダムアクセス構成インデックスに対応するプリアンブルフォーマットがＣ０であり、前記ランダムアクセスリソースが位置しているスロット内のランダムアクセスリソースの数が７であること、又は
前記ランダムアクセス構成インデックスに対応するプリアンブルフォーマットがＣ２であり、前記ランダムアクセスリソースが位置しているスロット内のランダムアクセスリソースの数が１であること、又は
前記ランダムアクセス構成インデックスに対応するプリアンブルフォーマットがＣ２であり、前記ランダムアクセスリソースが位置しているスロット内のランダムアクセスリソースの数が２であること、又は
前記ランダムアクセス構成インデックスに対応するプリアンブルフォーマットがＡ１／Ｂ１であり、前記ランダムアクセスリソースが位置しているスロット内のランダムアクセスリソースの数が３であること、又は
前記ランダムアクセス構成インデックスに対応するプリアンブルフォーマットがＡ１／Ｂ１であり、前記ランダムアクセスリソースが位置しているスロット内のランダムアクセスリソースの数が６であること、又は
前記ランダムアクセス構成インデックスに対応するプリアンブルフォーマットがＡ１／Ｂ１であり、前記ランダムアクセスリソースが位置しているスロット内のランダムアクセスリソースの数が７であること、又は
前記ランダムアクセス構成インデックスに対応するプリアンブルフォーマットがＡ２／Ｂ２であり、前記ランダムアクセスリソースが位置しているスロット内のランダムアクセスリソースの数が１であること、又は
前記ランダムアクセス構成インデックスに対応するプリアンブルフォーマットがＡ２／Ｂ２であり、前記ランダムアクセスリソースが位置しているスロット内のランダムアクセスリソースの数が２であること、又は
前記ランダムアクセス構成インデックスに対応するプリアンブルフォーマットがＡ２／Ｂ２であり、前記ランダムアクセスリソースが位置しているスロット内のランダムアクセスリソースの数が３であること、又は
前記ランダムアクセス構成インデックスに対応するプリアンブルフォーマットがＡ３／Ｂ３であり、前記ランダムアクセスリソースが位置しているスロット内のランダムアクセスリソースの数が１であること、又は
前記ランダムアクセス構成インデックスに対応するプリアンブルフォーマットがＡ３／Ｂ３であり、前記ランダムアクセスリソースが位置しているスロット内のランダムアクセスリソースの数が２であること
を有する、
請求項５７乃至６０のうちいずれか一項に記載の装置。
【請求項６４】
前記ダウンリンク信号は、同期信号ブロック及びチャネル状態情報参照信号のうちの少なくとも１つである、
請求項５７乃至６３のうちいずれか一項に記載の装置。
【請求項６５】
実際に送信されるダウンリンク信号を示すために使用される第４指示情報を送信するよう構成される第２送信モジュールを更に有する、
請求項５７乃至６４のうちいずれか一項に記載の装置。
【請求項６６】
前記ランダムアクセス周期内の前記ランダムアクセスリソースは、実際に送信されるダウンリンク信号に基づき調整される、
請求項５７乃至６５のうちいずれか一項に記載の装置。
【請求項６７】
請求項１乃至３５のうちいずれか一項に記載の方法を実行するよう構成される情報伝送装置。
【請求項６８】
メモリ及びプロセッサを有する情報伝送装置であって、
前記プロセッサは、当該装置が請求項１乃至３５のうちいずれか一項に記載の方法の機能を実行することを支援するよう構成され、
前記メモリは、当該装置によって必要とされるプログラム及びデータを記憶するよう構成される、
情報伝送装置。
【請求項６９】
コンピュータプログラムを記憶するよう構成され、
前記コンピュータプログラムがコンピュータで実行される場合に、該コンピュータは、請求項１乃至３５のうちいずれか一項に記載の方法を実行することを可能にされる、
コンピュータ記憶媒体。
【請求項７０】
コンピュータで実行される場合に、該コンピュータが、請求項１乃至３５のうちいずれか一項に記載の方法を実行することを可能にされる、
コンピュータプログラム製品。
【発明の詳細な説明】
【技術分野】
【０００１】
本願は、無線通信分野に、特に、ランダムアクセス方法及び装置に関する。
【背景技術】
【０００２】
マルチビームネットワークでは、基地局が端末と通信する前に、アップリンク同期及びダウンリンク同期が最初に行われる必要がある。ネットワーク同期プロセスにおいて、基地局は、複数の送信ビームを使用することによってダウンリンク同期信号を送信する。端末は、１つ以上の受信ビームを使用することによってダウンリンク同期信号を受信及び検出し、最適なダウンリンク送受信ビーム対、ダウンリンク時間、及びシステム情報を決定する。しかし、アップリンク同期は、ランダムアクセスプロセスを使用することによって完了される。端末は最初に、ランダムアクセス信号を送信する。基地局は、ランダムアクセス信号を検出することによって、最適なアップリンク送受信ビーム対、アップリンク時間、などを取得し、そして、基地局と端末との間のアップリンク同期を実施する。
【０００３】
現在のニュー・ラジオ（New  Radio，ＮＲ）技術では、ランダムアクセスリソースを決定するために利用可能な適切な方法がない。従って、ランダムアクセス信号を送信するときに端末は盲目的にランダムアクセスリソースを試すという問題が存在し、基地局がランダムアクセス信号を受信するときにビームミスマッチが起こる可能性がある。結果として、ランダムアクセスプロセスの効率は、比較的低い。
【発明の概要】
【０００４】
本願は、ランダムアクセスプロセスの効率が比較的低いという問題を解決するためのランダムアクセス方法及び装置を提供する。
【０００５】
本願の第１の態様は、
端末によって、ネットワークデバイスによって送信された第１指示情報を受信し、該第１指示情報は、ランダムアクセス構成インデックスを示すために使用される、ことと、
端末によって、ランダムアクセス構成インデックスに基づいてランダムアクセスリソースを決定することと、
端末によって、ランダムアクセスリソースとダウンリンク信号との間の関連付け関係に基づいて、ダウンリンク信号に対応するランダムアクセスリソースを決定することと、
端末によって、ダウンリンク信号に対応するランダムアクセスリソースに基づいてランダムアクセスプリアンブルをネットワークデバイスへ送信することと
を含むランダムアクセス方法を提供する。
【０００６】
任意に、ランダムアクセスリソースとダウンリンク信号との間の関連付け関係は、ランダムアクセスリソースのインデックス作成モードを含む。
【０００７】
可能な実施において、端末によって、ランダムアクセスリソースとダウンリンク信号との間の関連付け関係に基づいて、ダウンリンク信号に対応するランダムアクセスリソースを決定することは、
端末によって、ランダムアクセスリソースの時間で該ランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定すること、又は
端末によって、周波数領域におけるランダムアクセスリソースの時間内に、該ランダムアクセスリソースのインデックス作成モード及び同じ時間でのランダムアクセスリソースの数に基づいて、ダウンリンク信号に対応するランダムアクセスリソースの周波数位置ｆを最初に決定し、それから、周波数位置ｆにおいて、ダウンリンク信号に対応するランダムアクセスリソースの時間ｔを決定すること、又は
端末によって、Ｎが０よりも大きい整数であるとして、ランダムアクセスリソースの周期内のＮ個のスロット又はサブフレームにおいて、該ランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定すること
を含む。
【０００８】
可能な実施において、端末によってランダムアクセス構成インデックスに基づいてランダムアクセスリソースを決定することは、
端末によって、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて、前記ランダムアクセスリソースの時間範囲を決定することを含む。
【０００９】
可能な実施において、端末によって、ダウンリンク信号に対応するランダムアクセスリソースに基づいてランダムアクセスプリアンブルをネットワークデバイスへ送信することの前に、方法は、
端末によって、スロット又はサブフレームの前もって設定された構造情報に基づいて、ランダムアクセスリソースの時間範囲内のランダムアクセスリソースの時間を決定すること、又は
端末によって、ネットワークデバイスによって送信された、ランダムアクセススロット又はサブフレームの構造情報を含む第２指示情報を受信し、端末によって、ランダムアクセススロット又はサブフレームの構造情報に基づいて、ランダムアクセスリソースの時間範囲内のランダムアクセスリソースの時間を決定すること
を更に含む。
【００１０】
可能な実施において、末によって、ダウンリンク信号に対応するランダムアクセスリソースに基づいてランダムアクセスプリアンブルをネットワークデバイスへ送信することの前に、方法は、
端末によって、ランダムアクセスリソースの前もって設定されたインデックス作成モードを取得すること、又は
端末によって、ネットワークデバイスによって送信された第３指示情報を受信し、第３指示情報は、ランダムアクセスリソースのインデックス作成モードを示すために使用される、こと
を更に含む。
【００１１】
可能な実施において、方法は、
端末によって、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて、ランダムアクセスリソースの時間範囲内のランダムアクセスプリアンブルのシステムフレーム位置及びフォーマットを決定することを更に含む。
【００１２】
可能な実施において、方法は、
端末によって、ネットワークデバイスによって送信された第４指示情報を受信することを更に含み、第４指示情報は、実際に送信されるダウンリンク信号ブロックを示すために使用される。
【００１３】
本願の第２の態様は、
ネットワークデバイスによって、ランダムアクセス構成インデックスを示すために使用される第１指示情報を生成することと、
ネットワークデバイスによって、第１指示情報を端末へ送信することと
を含み、
端末のランダムアクセスリソースは、端末によってランダムアクセス構成インデックスに基づいて決定され、
ランダムアクセスリソースとダウンリンク信号との間の関連付け関係に基づいて、ダウンリンク信号に対応するランダムアクセスリソースが決定される、
ランダムアクセス方法を提供する。すなわち、ランダムアクセス構成インデックスは、端末のランダムアクセスリソースを決定するために使用される。
【００１４】
可能な実施において、ランダムアクセスリソースとダウンリンク信号との間の関連付け関係は、ランダムアクセスリソースのインデックス作成モードを含む。
【００１５】
可能な実施において、ランダムアクセスリソースのインデックス作成モードは、
ランダムアクセスリソースの時間で該ランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定すること、又は
周波数領域におけるランダムアクセスリソースの時間内に、該ランダムアクセスリソースのインデックス作成モード及び同じ時間でのランダムアクセスリソースの数に基づいて、ダウンリンク信号に対応するランダムアクセスリソースの周波数位置ｆを最初に決定し、それから、周波数位置ｆにおいて、ダウンリンク信号に対応するランダムアクセスリソースの時間ｔを決定すること、又は
Ｎが０よりも大きい整数であるとして、ランダムアクセスリソースの周期内のＮ個のスロット又はサブフレームにおいて、該ランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定すること
を含む。
【００１６】
可能な実施において、ランダムアクセスリソースの時間範囲は、端末によって、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて決定される。
【００１７】
可能な実施において、方法は、
ネットワークデバイスによって、ランダムアクセススロット又はサブフレームの構造情報を含む第２指示情報を端末へ送信することを更に含み、ランダムアクセスリソースの時間は、ランダムアクセススロット又はサブフレームの構造情報に基づいてランダムアクセスリソースの時間範囲において決定される。
【００１８】
可能な実施において、方法は、
ネットワークデバイスによって、ランダムアクセスリソースのインデックス作成モードを示すために使用される第３指示情報を端末へ送信することを更に含み、ダウンリンク信号に対応するランダムアクセスリソースは、ランダムアクセスリソースのインデックス作成モードに基づいてランダムアクセスリソースの時間内で決定される。
【００１９】
可能な実施において、ランダムアクセスリソースの時間範囲内のランダムアクセスプリアンブルのシステムフレーム位置及びフォーマットは、端末によって、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて決定される。
【００２０】
可能な実施において、方法は、
ネットワークデバイスによって、実際に送信されるダウンリンク信号ブロックを示すために使用される第４指示情報を端末へ送信することを更に含む。
【００２１】
本願の第３の態様は、
端末によって、ネットワークデバイスによって送信された第３指示情報を受信し、該第３指示情報は、現在のランダムアクセスリソースのインデックス作成モードを示すために使用される、ことと、
端末によって、ネットワークデバイスによって配信されたランダムアクセス構成インデックスに基づいて、ランダムアクセスリソースが位置しているスロットを決定することと、
端末によって、現在のランダムアクセスリソースのインデックス作成モードに基づいて、ランダムアクセスリソースが位置しているスロットにおいて、ダウンリンク信号に対応するランダムアクセスリソースを決定することと、
端末によって、ダウンリンク信号に対応するランダムアクセスリソースに基づいてランダムアクセスプリアンブルをネットワークデバイスへ送信することと
を含むランダムアクセス方法を提供する。
【００２２】
任意に、端末によって、ネットワークデバイスによって配信されたランダムアクセス構成インデックスに基づいて、ランダムアクセスリソースが位置しているスロットを決定することは、
端末によって、ランダムアクセス構成インデックスと、ランダムアクセスプリアンブルのサブキャリア間隔、ダウンリンク信号ブロックの最大数、及び実際に送信されるダウンリンク信号ブロックのうちの１つ以上とに基づいて、ランダムアクセスリソースが位置しているスロットを決定することを含む。
【００２３】
任意に、端末は、ネットワークデバイスによって送信された第１指示情報を受信し、第１指示情報は、ランダムアクセス構成インデックスを示すために使用される。
【００２４】
任意に、端末によって、現在のランダムアクセスリソースのインデックス作成モードに基づいて、ランダムアクセスリソースが位置しているスロットにおいて、ダウンリンク信号に対応するランダムアクセスリソースを決定することは、
端末によって、現在のランダムアクセスリソースのインデックス作成モード及び同じ時間でのランダムアクセスリソースの数に基づいて、ランダムアクセスリソースが位置しているスロット内のランダムアクセスリソースの時間ｔを最初に決定し、それから、時間ｔでのランダムアクセスリソースの周波数位置ｆを決定すること、又は
端末によって、現在のランダムアクセスリソースのインデックス作成モード及び同じ時間でのランダムアクセスリソースの数に基づいて、周波数領域において、ランダムアクセスリソースが位置しているスロット内のランダムアクセスリソースの周波数位置ｆを最初に決定し、それから、ランダムアクセスリソースの周波数位置ｆにおいて時間ｔを決定すること、又は
端末によって、Ｎが０よりも大きい整数であるとして、現在のランダムアクセスリソースのインデックス作成モード及び同じ時間でのランダムアクセスリソースの数に基づいて、ランダムアクセスリソースの周期内のＮ個のスロットにおいてランダムアクセスリソースの時間ｔを最初に決定し、それから、時間ｔでのランダムアクセスリソースの周波数位置ｆを決定すること
を含む。
【００２５】
任意に、端末によって、現在のランダムアクセスリソースのインデックス作成モードに基づいて、ランダムアクセスリソースが位置しているスロットにおいて、ダウンリンク信号に対応するランダムアクセスリソースを決定することは、
端末によって、ダウンリンク信号とランダムアクセスリソースとの間の関連付け関係と、現在のランダムアクセスリソースのインデックス作成モードとに基づいて、ランダムアクセスリソースが位置しているスロットにおいて、ダウンリンク信号に対応するランダムアクセスリソースを決定することを含む。
【００２６】
任意に、関連付け関係は、次のもののうちのいずれか１つを含んでよい：
同じ時間でのランダムアクセスリソースは、１つのダウンリンク信号に対応する、又は
同じ時間でのランダムアクセスリソースは、複数のダウンリンク信号に対応する、又は
同じ時間でのランダムアクセスリソースは、全てのダウンリンク信号に対応する。
【００２７】
任意に、方法は、
端末によって、ランダムアクセス構成インデックスと、ランダムアクセスプリアンブルのサブキャリア間隔、ダウンリンク信号ブロックの最大数、及び実際に送信されるダウンリンク信号ブロックのうちの１つ以上とに基づいて、ランダムアクセススロット内のランダムアクセスプリアンブルのシステムフレーム位置及びフォーマットを決定することを更に含む。
【００２８】
任意に、方法は、
端末によって、ネットワークデバイスによって送信された第４指示情報を受信することを更に含み、第４指示情報は、実際に送信されるダウンリンク信号ブロックを示すために使用される。
【００２９】
本願の第４の態様は、
ネットワークデバイスによって、現在のランダムアクセスリソースのインデックス作成モードを示すために使用される第３指示情報を生成することと、
ネットワークデバイスによって、第３指示情報を端末へ送信して、端末が、現在のランダムアクセスリソースのインデックス作成モードに基づいて、ランダムアクセスリソースが位置しているスロットにおいて、ダウンリンク信号に対応するランダムアクセスリソースを決定するようにすることと
を含むランダムアクセス方法を提供する。
【００３０】
任意に、ランダムアクセスリソースが位置しているスロットは、端末によって、ランダムアクセス構成インデックスと、ランダムアクセスプリアンブルのサブキャリア間隔、ダウンリンク信号ブロックの最大数、及び実際に送信されるダウンリンク信号ブロックのうちの１つ以上とに基づいて、決定される。
【００３１】
任意に、方法は、ネットワークデバイスによって、ランダムアクセス構成インデックスを含む第１指示情報を送信することを更に含む。
【００３２】
任意に、現在のランダムアクセスリソースのインデックス作成モードは、端末に、
現在のランダムアクセスリソースのインデックス作成モード及び同じ時間でのランダムアクセスリソースの数に基づいて、ランダムアクセス周期内の全スロットにおいてランダムアクセスリソースの時間ｔを最初に決定し、それから、時間ｔでのランダムアクセスリソースの周波数位置ｆを決定するように、又は
現在のランダムアクセスリソースのインデックス作成モード及び同じ時間でのランダムアクセスリソースの数に基づいて、周波数領域においてランダムアクセスリソースの周波数位置ｆを最初に決定し、それから、ランダムアクセスリソースの周波数位置ｆにおいて時間ｔを決定するように、又は
Ｎが０よりも大きい整数であるとして、現在のランダムアクセスリソースのインデックス作成モード及び同じ時間でのランダムアクセスリソースの数に基づいて、ランダムアクセスリソースの周期内のＮ個のスロットにおいてランダムアクセスリソースの時間ｔを最初に決定し、それから、時間ｔでのランダムアクセスリソースの周波数位置ｆを決定するように
指示する。
【００３３】
任意に、ダウンリンク信号に対応するランダムアクセスリソースは、具体的に、
端末によって、ダウンリンク信号とランダムアクセスリソースとの間の関連付け関係と、現在のランダムアクセスリソースのインデックス作成モードとに基づいて、ランダムアクセスリソースが位置しているスロットにおいて決定される。
【００３４】
任意に、関連付け関係は、次のもののうちのいずれか１つを含んでよい：
同じ時間でのランダムアクセスリソースは、１つのダウンリンク信号に対応する、又は
同じ時間でのランダムアクセスリソースは、複数のダウンリンク信号に対応する、又は
同じ時間でのランダムアクセスリソースは、全てのダウンリンク信号に対応する。
【００３５】
任意に、ランダムアクセススロット内のランダムアクセスプリアンブルのシステムフレーム位置及びフォーマットは、ランダムアクセス構成インデックスと、ランダムアクセスプリアンブルのサブキャリア間隔、ダウンリンク信号ブロックの最大数、及び実際に送信されるダウンリンク信号ブロックのうちの１つ以上とに基づいて決定される。
【００３６】
任意に、方法は、
ネットワークデバイスによって、実際に送信されるダウンリンク信号ブロックを示すために使用される第４指示情報を送信することを更に含む。
【００３７】
本願の第５の態様は、
端末によって、ランダムアクセスリソースとダウンリンク信号との間の関連付け関係に基づいて、ダウンリンク信号に対応するランダムアクセスリソースを決定することと、
端末によって、ダウンリンク信号に対応するランダムアクセスリソースに基づいてランダムアクセスプリアンブルをネットワークデバイスへ送信することと
を含むランダムアクセス方法を提供する。
【００３８】
任意に、ランダムアクセスリソースとダウンリンク信号との間の関連付け関係は、ランダムアクセスリソースのインデックス作成モードを含む。
【００３９】
任意に、端末によって、ランダムアクセスリソースとダウンリンク信号との間の関連付け関係に基づいて、ダウンリンク信号に対応するランダムアクセスリソースを決定することは、
端末によって、ランダムアクセスリソースのインデックス作成モード及び同じ時間でのランダムアクセスリソースの数に基づいて、ランダムアクセスリソースの時間でのランダムアクセスリソースの時間ｔを最初に決定し、それから、時間ｔでのランダムアクセスリソースの周波数位置ｆを決定すること、又は
端末によって、ランダムアクセスリソースのインデックス作成モード及び同じ時間でのランダムアクセスリソースの数に基づいて、周波数領域において、ランダムアクセスリソースの時間内のランダムアクセスリソースの周波数位置ｆを最初に決定し、それから、ランダムアクセスリソースの周波数位置ｆにおいて時間ｔを決定すること、又は
端末によって、Ｎが０よりも大きい整数であるとして、ランダムアクセスリソースのインデックス作成モード及び同じ時間でのランダムアクセスリソースの数に基づいて、ランダムアクセスリソースが位置している周期内のＮ個のスロットにおいてランダムアクセスリソースの時間ｔを最初に決定し、それから、時間ｔでのランダムアクセスリソースの周波数位置ｆを決定すること
を含む。
【００４０】
本願の第６の態様は、第１の態様又は第１の態様の各実施において提供される方法を実行するよう構成されるモジュール又は手段（means）を含むランダムアクセス装置を提供する。
【００４１】
本願の第７の態様は、第２の態様又は第２の態様の各実施において提供される方法を実行するよう構成されるモジュール又は手段（means）を含むランダムアクセス装置を提供する。
【００４２】
本願の第８の態様は、第３の態様又は第３の態様の各実施において提供される方法を実行するよう構成されるモジュール又は手段（means）を含むランダムアクセス装置を提供する。
【００４３】
本願の第９の態様は、第４の態様又は第４の態様の各実施において提供される方法を実行するよう構成されるモジュール又は手段（means）を含むランダムアクセス装置を提供する。
【００４４】
本願の第１０の態様は、第５の態様又は第５の態様の各実施において提供される方法を実行するよう構成されるモジュール又は手段（means）を含むランダムアクセス装置を提供する。
【００４５】
本願の第１１の態様は、プロセッサ及びメモリを含むランダムアクセス装置を提供する。メモリは、プログラムを記憶するよう構成され、プロセッサは、メモリ内に記憶されているプログラムを呼び出して、本願の第１の態様で提供される方法を実行する。
【００４６】
本願の第１２の態様は、プロセッサ及びメモリを含むランダムアクセス装置を提供する。メモリは、プログラムを記憶するよう構成され、プロセッサは、メモリ内に記憶されているプログラムを呼び出して、本願の第２の態様で提供される方法を実行する。
【００４７】
本願の第１３の態様は、プロセッサ及びメモリを含むランダムアクセス装置を提供する。メモリは、プログラムを記憶するよう構成され、プロセッサは、メモリ内に記憶されているプログラムを呼び出して、本願の第３の態様で提供される方法を実行する。
【００４８】
本願の第１４の態様は、プロセッサ及びメモリを含むランダムアクセス装置を提供する。メモリは、プログラムを記憶するよう構成され、プロセッサは、メモリ内に記憶されているプログラムを呼び出して、本願の第４の態様で提供される方法を実行する。
【００４９】
本願の第１５の態様は、プロセッサ及びメモリを含むランダムアクセス装置を提供する。メモリは、プログラムを記憶するよう構成され、プロセッサは、メモリ内に記憶されているプログラムを呼び出して、本願の第５の態様で提供される方法を実行する。
【００５０】
本願の第１６の態様は、第１の態様における方法を実行するよう構成される少なくとも１つの処理要素（又はチップ）を含むランダムアクセス装置を提供する。
【００５１】
本願の第１７の態様は、第２の態様における方法を実行するよう構成される少なくとも１つの処理要素（又はチップ）を含むランダムアクセス装置を提供する。
【００５２】
本願の第１８の態様は、第３の態様における方法を実行するよう構成される少なくとも１つの処理要素（又はチップ）を含むランダムアクセス装置を提供する。
【００５３】
本願の第１９の態様は、第４の態様における方法を実行するよう構成される少なくとも１つの処理要素（又はチップ）を含むランダムアクセス装置を提供する。
【００５４】
本願の第２０の態様は、第５の態様における方法を実行するよう構成される少なくとも１つの処理要素（又はチップ）を含むランダムアクセス装置を提供する。
【００５５】
本願の第２１の態様は、第１の態様における方法を実行するために使用されるプログラムを提供する。
【００５６】
本願の第２２の態様は、第２１の態様におけるプログラムを含むコンピュータ記憶媒体を提供する。
【００５７】
本願の第２３の態様は、第２の態様における方法を実行するために使用されるプログラムを提供する。
【００５８】
本願の第２４の態様は、第２３の態様におけるプログラムを含むコンピュータ記憶媒体を提供する。
【００５９】
本願の第２５の態様は、第３の態様における方法を実行するために使用されるプログラムを提供する。
【００６０】
本願の第２６の態様は、第２５の態様におけるプログラムを含むコンピュータ記憶媒体を提供する。
【００６１】
本願の第２７の態様は、第４の態様における方法を実行するために使用されるプログラムを提供する。
【００６２】
本願の第２８の態様は、第２７の態様におけるプログラムを含むコンピュータ記憶媒体を提供する。
【００６３】
本願の第２９の態様は、第５の態様における方法を実行するために使用されるプログラムを提供する。
【００６４】
本願の第３０の態様は、第２９の態様におけるプログラムを含むコンピュータ記憶媒体を提供する。
【００６５】
本願で提供されるランダムアクセス方法及び装置によれば、ネットワークデバイスは、ランダムアクセス構成インデックスを示すために使用される第１指示情報を生成し、ネットワークデバイスは更に、第１指示情報を端末へ送信し、端末は、ランダムアクセス構成インデックスに基づいてランダムアクセスリソースを決定し、ランダムアクセスリソースとダウンリンク信号との間の関連付け関係に基づいて、ダウンリンク信号に対応するランダムアクセスリソースを決定し、ダウンリンク信号に対応するランダムアクセスリソースに基づいてランダムアクセスプリアンブルをネットワークデバイスへ送信する。このようにして、ランダムアクセスリソースは、ネットワークデバイスによって示されたランダムアクセス構成インデックスに基づいて決定され、それから、ランダムアクセスリソースとダウンリンク信号との間の関連付け関係に基づいて、ダウンリンク信号に対応するランダムアクセスリソースが更に決定される。従って、ランダムアクセスプリアンブル送信するときに端末が盲目的にランダムアクセスリソースを試すという問題は回避され、ネットワークデバイス側は、ダウンリンク信号に対応するランダムアクセスリソースでランダムアクセスプリアンブルを受信することができる。これは、ビームミスマッチを回避し、ランダムアクセスプロセスの効率を改善する。
【図面の簡単な説明】
【００６６】
【図１】本願に従う通信システムの略アーキテクチャ図である。
【図２】本願の実施形態に従うランダムアクセス方法の略フローチャートである。
【図３】本願の他の実施形態に従うランダムアクセス方法の略フローチャートである。
【図４】本願の実施形態に従うランダムアクセス方法におけるランダムアクセスリソースインデックスの概略図である。
【図５】本願の他の実施形態に従うランダムアクセス方法におけるランダムアクセスリソースインデックスの概略図である。
【図６】本願の他の実施形態に従うランダムアクセス方法におけるランダムアクセスリソースインデックスの概略図である。
【図７Ａ】本願の実施形態に従うランダムアクセス方法におけるランダムアクセスプリアンブルの略構造図である。
【図７Ｂ】本願の実施形態に従うランダムアクセス方法におけるランダムアクセスプリアンブルの略構造図である。
【図８Ａ】本願の他の実施形態に従うランダムアクセス方法におけるランダムアクセスプリアンブルの略構造図である。
【図８Ｂ】本願の他の実施形態に従うランダムアクセス方法におけるランダムアクセスプリアンブルの略構造図である。
【図９Ａ】本願の他の実施形態に従うランダムアクセス方法におけるランダムアクセスプリアンブルの略構造図である。
【図９Ｂ】本願の他の実施形態に従うランダムアクセス方法におけるランダムアクセスプリアンブルの略構造図である。
【図１０Ａ】本願の他の実施形態に従うランダムアクセス方法におけるランダムアクセスプリアンブルの略構造図である。
【図１０Ｂ】本願の他の実施形態に従うランダムアクセス方法におけるランダムアクセスプリアンブルの略構造図である。
【図１１Ａ】本願の他の実施形態に従うランダムアクセス方法におけるランダムアクセスプリアンブルの略構造図である。
【図１１Ｂ】本願の他の実施形態に従うランダムアクセス方法におけるランダムアクセスプリアンブルの略構造図である。
【図１２Ａ】本願の他の実施形態に従うランダムアクセス方法におけるランダムアクセスプリアンブルの略構造図である。
【図１２Ｂ】本願の他の実施形態に従うランダムアクセス方法におけるランダムアクセスプリアンブルの略構造図である。
【図１３Ａ】本願の他の実施形態に従うランダムアクセス方法におけるランダムアクセスプリアンブルの略構造図である。
【図１３Ｂ】本願の他の実施形態に従うランダムアクセス方法におけるランダムアクセスプリアンブルの略構造図である。
【図１４Ａ】本願の他の実施形態に従うランダムアクセス方法におけるランダムアクセスプリアンブルの略構造図である。
【図１４Ｂ】本願の他の実施形態に従うランダムアクセス方法におけるランダムアクセスプリアンブルの略構造図である。
【図１５Ａ】本願の他の実施形態に従うランダムアクセス方法におけるランダムアクセスプリアンブルの略構造図である。
【図１５Ｂ】本願の他の実施形態に従うランダムアクセス方法におけるランダムアクセスプリアンブルの略構造図である。
【図１６】本願の実施形態に従うランダムアクセス方法におけるランダムアクセス構造の概略図である。
【図１７】本願の他の実施形態に従うランダムアクセス方法におけるスロット構造の概略図である。
【図１８】本願の更なる他の実施形態に従うランダムアクセス方法におけるスロット構造の概略図である。
【図１９】本願の実施形態に従うランダムアクセス方法におけるダウンリンク信号の概略図である。
【図２０】本願の実施形態に従うランダムアクセス装置の略構造図である。
【図２１】本願の他の実施形態に従うランダムアクセス装置の略構造図である。
【図２２】本願の他の実施形態に従うランダムアクセス装置の略構造図である。
【発明を実施するための形態】
【００６７】
本願の実施形態は、無線通信システムに適用されてよい。本願の実施形態で記載される無線通信システムは、狭帯域インターネット・オブ・シングス（Narrow  Band  Internet  of  Things，ＮＢ−ＩｏＴ）システム、グローバル・システム・フォー・モバイル・コミュニケーションズ（Global  System  for  Mobile  Communications，ＧＳＭ）、エンハンスド・データ・レート・フォー・ジーエスエム・エボリューション（Enhanced  Data  rates  for  GSM  Evolution，ＥＤＧＥ）システム、広帯域符号分割多重アクセス（Wideband  Code  Division  Multiple  Access，ＷＣＤＭＡ）システム、符号分割多重アクセス２０００（Code  Division  Multiple  Access，ＣＤＭＡ２０００）システム、時分割同期型符号分割多重アクセス（Time  Division-Synchronization  Code  Division  Multiple  Access，ＴＤ−ＳＣＤＭＡ）システム、ロング・ターム・エボリューション（Long  Term  Evolution，ＬＴＥ）システム、並びに次世代５Ｇ移動体通信システムにおける３つの主な適用シナリオであるエンハンスド・モバイル・ブロードバンド（Enhanced  Mobile  Broad  Band，ｅＭＢＢ）、ＵＲＬＬＣ、及びマッシブ・マシン・タイプ・コミュニケーションズ（Massive  Machine-Type  Communications，ｍＭＴＣ）を含むが限られない。
【００６８】
本願の実施形態で、端末（terminal  device）は、移動局（ＭＳ，Mobile  Station）、移動端末（Mobile  Terminal）、携帯電話機（Mobile  Telephone）、ハンドセット（handset）、ポータブル機器（portable  equipment）、などを含むが限られない。端末は、ラジオ・アクセス・ネットワーク（ＲＡＮ，Radio  Access  Network）を通じて１つ以上のコアネットワークと通信してよい。例えば、端末は、携帯電話機（あるいは、“セルラー”電話機とも呼ばれる）、又は無線通信機能を備えたコンピュータであってよい。代替的に、端末は、ポータブル、ポケットサイズ、手持ち式、コンピュータ内蔵、又は車載モバイル装置又はデバイスであってよい。
【００６９】
図１は、本願に従う通信システムの略アーキテクチャ図である。
【００７０】
図１に示されるように、通信システム０１は、ネットワークデバイス１０１及び端末１０２を含む。通信システム０１がコアネットワークを含む場合に、ネットワークデバイス１０１は、コアネットワークへ更に接続されてよい。ネットワークデバイス１０１は、インターネット・プロトコル（Internet  Protocol，ＩＰ）ネットワーク２００、例えば、インターネット（internet）、プライベートＩＰネットワーク、又は他のデータネットワークと更に通信してよい。ネットワークデバイスは、そのカバレッジ内にある端末にサービスを提供する。例えば、図１を参照すると、ネットワークデバイス１０１は、ネットワークデバイス１０１のカバレッジ内にある１つ以上の端末に無線アクセスを提供する。
【００７１】
ネットワークデバイス１０１は、端末と通信するよう構成されたデバイスであってよい。例えば、ネットワークデバイスは、ＧＳＭシステム又はＣＤＭＡシステムにおけるベース・トランシーバ・ステーション（Base  Transceiver  Station，ＢＴＳ）であってよく、あるいは、ＷＣＤＭＡシステムにおけるノードＢ（NodeB，ＮＢ）であってよく、あるいは、ＬＴＥシステムにおけるエボルブド・ノードＢ（Evolved  NodeB，ｅＮＢ又はｅＮｏｄｅＢ）、又は将来の５Ｇネットワークにおけるネットワーク側デバイスであってよい。代替的に、ネットワークデバイスは中継局、アクセス・ポイント、車載デバイスであってよい。デバイス間（Device  to  Device，Ｄ２Ｄ）通信システムでは、ネットワークデバイスは、代替的に、基地局の機能を備えた端末であってよい。端末は、様々な形で、無線通信機能を有している様々な手持ち式デバイス、車載デバイス、装着型デバイス、及びコンピューティングデバイス、又は無線モデムへ接続された他の処理デバイス、並びにユーザ装置（user  equipment，ＵＥ）、移動局（Mobile  Station，ＭＳ）などを含んでよい。
【００７２】
本願は、新しいランダムアクセス方法を提供する。方法は、将来の５Ｇ提案に更に対応し得る。例えば、ＮＲ  ＰＲＡＣＨ構成は、各ＲＡＣＨリソース時間密度での候補サブフレーム数を減らし、時間密度において更なるオプションを提供すると考えることができる。他の例として、時間スロット数及びＯＦＤＭ数は、ＰＲＡＣＨリソースに対して定義されるべきであり、ＮＲは、構成及びオーバーヘッドを簡単にするよう努める。例えば、サブフレームにおいて有限な数の候補ＰＲＡＣＨリソース時間パターンを定義することによって、パターンごとの時間スロット数及びＯＦＤＭシンボル数が予め定義される。
【００７３】
図２は、本願の実施形態に従うランダムアクセス方法の略フローチャートである。図２に示されるように、方法は、次のステップを含む。
【００７４】
Ｓ２０１．ネットワークデバイスは、現在のランダムアクセスリソースのインデックス作成モードを示すために使用される第３指示情報を生成する。
【００７５】
ランダムアクセスリソースの複数のインデックス作成モードが事前設定されてよい。現在使用される必要があるインデックス作成モードが決定された後、第３指示情報は生成される。任意に、第３指示情報は、ランダムアクセスリソースのインデックス作成モードの識別子を運ぶ。
【００７６】
Ｓ２０２．ネットワークデバイスは、第３指示情報を端末へ送信する。
【００７７】
Ｓ２０３．端末は、ネットワークデバイスによって送信された第３指示情報を受信する。
【００７８】
Ｓ２０４．端末は、ネットワークデバイスによって配信されたランダムアクセス構成インデックスに基づいて、ランダムアクセスリソースが位置しているスロットを決定する。
【００７９】
ランダムアクセス構成インデックスと、ランダムアクセスリソースが位置しているスロットとの間のマッピング関係は、前もって端末のために設定されてよい。ランダムアクセス構成インデックスを取得した後、端末は、ランダムアクセス構成インデックスと、ランダムアクセスリソースが位置しているスロットとの間の設定されたマッピング関係に基づいて、ランダムアクセスリソースが位置しているスロットを決定してよい。
【００８０】
任意に、１つのランダムアクセス構成インデックスは、１つ以上のスロットに対応してよい。
【００８１】
Ｓ２０５．端末は、現在のランダムアクセスリソースのインデックス作成モードに基づいて、ランダムアクセスリソースが位置しているスロットにおいて、ダウンリンク信号に対応するランダムアクセスリソースを決定する。
【００８２】
ランダムアクセスリソースが位置しているスロットを決定した後、端末は、ネットワークデバイスによって示されている現在のランダムアクセスリソースのインデックス作成モードに基づいて、ランダムアクセスリソースが位置しているスロットにおいて、ダウンリンク信号に対応するランダムアクセスリソースを決定してよい。
【００８３】
Ｓ２０６．端末は、ダウンリンク信号に対応するランダムアクセスリソースに基づいて、ランダムアクセスプリアンブルをネットワークデバイスへ送信する。
【００８４】
任意に、他の実施では、端末は、ネットワークデバイスによって配信されたランダムアクセス構成インデックスに基づいて、ランダムアクセスリソースが位置しているスロットを決定してよく、端末は更に、ランダムアクセスリソースが位置しているスロットにおいてランダムアクセスプリアンブルをネットワークデバイスへ送信する。すなわち、ネットワークデバイスは、インデックス作成モードを示す必要がなく、ランダムアクセスプリアンブルは、ランダムアクセスリソースが位置しているスロットがランダムアクセス構成インデックスに基づいて直接決定された後に、送信される。
【００８５】
更なる他の実施では、端末は、ネットワークデバイスによって送信された第３指示情報を受信してよく、第３指示情報は、現在のランダムアクセスリソースのインデックス作成モードを示し、そして、端末は、現在のランダムアクセスリソースのインデックス作成モードに基づいて、ダウンリンク信号に対応するランダムアクセスリソースを決定し、更に、ダウンリンク信号に対応するランダムアクセスリソースに基づいてランダムアクセスプリアンブルをネットワークデバイスへ送信する。すなわち、端末は、ネットワークデバイスによって示されたインデックス作成モードに基づいて、ダウンリンク信号に対応するランダムアクセスリソースを直接決定し、決定することは、ランダムアクセスリソースが位置しているスロットに制限されず、決定することは、ランダムアクセス周期、又は時間領域全体、などでであってよい。
【００８６】
この実施形態において、ネットワークデバイスは、現在のランダムアクセスリソースのインデックス作成モードを示す第３指示情報を端末へ送信し、端末は、ネットワークデバイスによって配信されたランダムアクセス構成インデックスに基づいて、ランダムアクセスリソースが位置しているスロットを決定し、現在のランダムアクセスリソースのインデックス作成モードに基づいて、ランダムアクセスリソースが位置しているスロットにおいて、ダウンリンク信号に対応するランダムアクセスリソースを決定し、更には、ダウンリンク信号に対応するランダムアクセスリソースに基づいてランダムアクセスプリアンブルをネットワークデバイスへ送信する。このようにして、ネットワークデバイスは、現在のランダムアクセスリソースのインデックス作成モードを示し、端末は、現在のランダムアクセスリソースのインデックス作成モードに基づいて、ランダムアクセスリソースが位置しているスロットにおいて、ダウンリンク信号に対応するランダムアクセスリソースを決定することができる。従って、ランダムアクセスプリアンブルを送信するときに端末が盲目的にランダムアクセスリソースを試すという問題は回避され、ネットワークデバイス側は、ダウンリンク信号に対応するランダムアクセスリソースでランダムアクセスプリアンブルを受信することができる。これは、ビームミスマッチを回避し、ランダムアクセスプロセスの効率を改善する。
【００８７】
図３は、本願の他の実施形態に従うランダムアクセス方法の略フローチャートである。図３に示されるように、方法は、次のステップを含む。
【００８８】
Ｓ３０１．ネットワークデバイスは、ランダムアクセス構成インデックスを示すために使用される第１指示情報を生成する。
【００８９】
Ｓ３０２．ネットワークデバイスは、第１指示情報を端末へ送信する。
【００９０】
Ｓ３０３．端末は、ランダムアクセス構成インデックスに基づいてランダムアクセスリソースを決定する。
【００９１】
ランダムアクセス構成インデックスは、端末によって、端末のランダムアクセスリソースを決定するために使用される。ここで、端末は最初に、比較的広い範囲、例えば、ランダムアクセス周期内の全てのランダムアクセスリソースの中で、ランダムアクセスリソースを決定してよい。
【００９２】
Ｓ３０４．端末は、ランダムアクセスリソースとダウンリンク信号との間の関連付け関係に基づいて、ダウンリンク信号に対応するランダムアクセスリソースを決定する。
【００９３】
端末は、ネットワークデバイスによって送信された複数のダウンリンク信号を受信する。ここで、ダウンリンク信号に対応するランダムアクセスリソースは、ランダムアクセスリソースとダウンリンク信号との間の関連付け関係に基づいて決定されてよい。
【００９４】
Ｓ３０５．端末は、ダウンリンク信号に対応するランダムアクセスリソースに基づいてランダムアクセスプリアンブルをネットワークデバイスへ送信する。
【００９５】
この実施形態では、ネットワークデバイスは、ランダムアクセス構成インデックスを示すために使用される第１指示情報を生成し、ネットワークデバイスは更に、第１指示情報を端末へ送信し、端末は、ランダムアクセス構成インデックスに基づいてランダムアクセスリソースを決定し、ランダムアクセスリソースとダウンリンク信号との間の関連付け関係に基づいて、ダウンリンク信号に対応するランダムアクセスリソースを決定し、ダウンリンク信号に対応するランダムアクセスリソースに基づいてランダムアクセスプリアンブルをネットワークデバイスへ送信する。このようにして、ランダムアクセスリソースは、ネットワークデバイスによって示されるランダムアクセス構成インデックスに基づいて決定され、それから、ランダムアクセスリソースとダウンリンク信号との間の関連付け関係に基づいて、ダウンリンク信号に対応するランダムアクセスリソースが更に決定される。従って、ランダムアクセスプリアンブルを送信するときに端末が盲目的にランダムアクセスリソースを試すという問題は、回避され、ネットワークデバイス側は、ダウンリンク信号に対応するランダムアクセスリソースでランダムアクセスプリアンブルを受信することができる。これはビームミスマッチを回避し、ランダムアクセスプロセスの効率を改善する。
【００９６】
任意に、ランダムアクセスリソースとダウンリンク信号との間の関連付け関係は、ランダムアクセスリソースのインデックス作成モードを含む。
【００９７】
上記の実施形態で、ランダムアクセス（random  access  channel，ＲＡＣＨ）りそーすは、ランダムアクセス時間及びランダムアクセス周波数のような情報を含んでよい。ランダムアクセス時間は、直交周波数分割多重化（orthogonal  frequency  division  multiplexing，ＯＦＤＭ）シンボル、ミニスロット、スロット、サブフレーム、又は存続期間がＨ個の基本時間単位である期間であってよく、予め定義されたランダムアクセスプリアンブルを送信するために必要な時間を示してよい。ランダムアクセス周波数は、予め定義されたランダムアクセスプリアンブルを送信するために必要なバンド幅を示す。Ｈは０よりも大きい。実施において、１つのランダムアクセスリソースは、２つの次元、ランダムアクセス時間及びランダムアクセス周波数によって識別され、すなわち、１つのランダムアクセスリソースは、１つのランダムアクセス時間及び１つのランダムアクセス周波数によって定義される。他の実施では、複数のランダムアクセスリソースが、１つのランダムアクセス時間及び１つのランダムアクセス周波数によって定義されてもよい。これは制限されない。他の実施では、Ｍ２個のランダムアクセスリソースが、Ｍ１個のランダムアクセス時間及びＭ１個のランダムアクセス周波数によって定義され、ここで、Ｍ１はＭ２に等しくない。任意に、ネットワークデバイスは、各ランダムアクセス時間でのランダムアクセスリソースの数Ｍ２を示す。
【００９８】
ランダムアクセスリソースはまた、ランダムアクセス機会（RACH  occasion又はRACH  transmission  occasion又はRACH  opportunity又はRACH  chance，ＲＯ）、あるいは、ランダムアクセス時間−周波数リソース上の１つ以上の組のランダムアクセスプリアンブルとも呼ばれ得る。
【００９９】
ランダムアクセスリソースのインデックス作成モードは、次の：
（１）ランダムアクセスリソースの時間で、ダウンリンク信号に対応するランダムアクセスリソースの時間ｔを最初に決定し、それから、時間ｔで、ダウンリンク信号に対応するランダムアクセスリソースの周波数位置ｆを決定すること、
（２）周波数領域におけるランダムアクセスリソースの時間内に、ダウンリンク信号に対応するランダムアクセスリソースの周波数位置ｆを最初に決定し、それから、周波数位置ｆにおいて、ダウンリンク信号に対応するランダムアクセスリソースの時間ｔを決定すること、又は
（３）Ｎが０よりも大きい整数であるとして、ランダムアクセスリソースの周期内のＮ個のスロット又はサブフレームにおいて、ダウンリンク信号に対応するランダムアクセスリソースの時間ｔを最初に決定し、それから、時間ｔで、前記ダウンリンク信号に対応するランダムアクセスリソースの周波数位置ｆを決定し、それから、Ｎが０よりも大きい整数であるとして、次のＮ個のスロット又はサブフレームにおいて、ダウンリンク信号に対応するランダムアクセスリソースの時間ｔを決定し、それから、時間ｔで、ダウンリンク信号に対応するランダムアクセスリソースの周波数位置ｆを決定し、以降続くこと
を含んでよい。任意に、Ｎは、ネットワークデバイスによって設定されるか、あるいは、前もって定義又は前もって記憶された値であるか、あるいは、事前定義又は事前記憶によって取得される。次のＮ個のスロット及び最初のＮ個のスロットは、連続的であってよく、あるいは、１つ以上のスロットによって分離されていてもよい。これはここで制限されない。
【０１００】
現在のランダムアクセスリソースのインデックス作成モードは、上記のインデックス作成モードの中の１つであってよく、ネットワークデバイスによって特に示される。
【０１０１】
ネットワークデバイスは、複数のダウンリンク信号を端末へ送信する。ダウンリンク信号を決定した後、端末は、現在のランダムアクセスリソースのインデックス作成モードに基づいて、ランダムアクセスリソースが位置しているスロットにおいて、ダウンリンク信号に対応するランダムアクセスリソースを決定する。
【０１０２】
１つのダウンリンク信号はＦ個のランダムアクセスリソースと関連付けられるとすると、ダウンリンク信号とランダムアクセスリソースとの間の固定の関連付け関係が使用される場合に、インデックスがｋであるダウンリンク信号と関連付けられるランダムアクセスリソースのインデックスは、（ｋ−１）×Ｆ＋（０：Ｆ−１）と表されてよく、ここで、“０：Ｆ−１”は、０からＦ−１までの全ての整数を示し、ｋ及びＦは、０よりも大きい整数である。
【０１０３】
具体例は、次の通りである。
【０１０４】
（１）端末が、ランダムアクセスリソースとダウンリンク信号との間の関連付け関係に基づいて、ダウンリンク信号に対応するランダムアクセスリソースを決定することは、次の通りであってよい。端末は、ランダムアクセスリソースの時間でランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定する。
【０１０５】
図４は、本願の実施形態に従うランダムアクセス方法におけるランダムアクセスリソースインデックスの概略図である。
【０１０６】
デフォルトで、ダウンリンク信号とランダムアクセスリソースとの間の関連付け関係は、固定の関係である。１つのランダムアクセス周期内のランダムアクセスリソースが位置している複数のスロットが存在し、１つのスロットには複数のランダムアクセス時間が存在し、また１つのランダムアクセス時間に周波数領域において複数のランダムアクセスリソースが存在する、と考えられる。
【０１０７】
図４に示されるように、Ｋが０よりも大きい整数であるとして、ランダムアクセス周期全体ではＦ×Ｋ個のランダムアクセスリソースが存在し、相応して、Ｋ個のダウンリンク信号が存在する。最初に、ランダムアクセスリソースを有している第１周波数にランダムアクセスリソースが位置しているスロットにおいて、スロット内のランダムアクセスリソースの時間ｔが、（１）でのインデックス作成モードに基づいて順次決定されてよい。具体的に、最初に、ランダムアクセスリソースを有している第１周波数にランダムアクセスリソースが位置している第１スロットにおいて、ランダムアクセスリソースの時間が決定され、次いで、ランダムアクセスリソースを有している第１周波数にランダムアクセスリソースが位置している第２スロットにおいて、ランダムアクセスリソースの時間が決定され、以降続く。ランダムアクセスリソースを有している第１周波数での全てのランダムアクセスリソースが決定された後に、ランダムアクセス周期内の全てのランダムアクセスリソースが決定されるまで、同じ操作が、ランダムアクセスリソースを有している第２周波数に対して実行される。
【０１０８】
本願では、ランダムアクセスリソースは、ランダムアクセスプリアンブルが送信され得る時間及び周波数である。代替的に、ランダムアクセスリソースは、ランダムアクセス時間及びランダムアクセス周波数でランダムアクセスプリアンブルを含む１つ以上の組であってもよい。時間は、サブフレーム、スロット、ミニスロット（mini-slot）、及びＯＦＤＭシンボルのうちの１つであってよい。時間がスロット、ミニスロット、又はＯＦＤＭシンボルである場合に、時間は、サブフレーム／スロット／ミニスロット内のアップリンク又はダウンリンクデータのサブキャリアに基づき決定されてよく、あるいは、ランダムアクセスプリアンブルのサブキャリアに基づき決定されてもよい。例えば、ランダムアクセスプリアンブルのサブキャリア間隔が１５ｋＨｚである場合に、対応するスロットは１ｍｓであり、あるいは、ランダムアクセスプリアンブルのサブキャリア間隔が１５×２ｕｋＨｚである場合に、対応するスロットは２−ｕｍｓであり、ここで、ｕは、サブキャリア間隔のインデックスである。
【０１０９】
本願では、ダウンリンク信号は、同期信号ブロック（synchronization  signal  block，ＳＳブロック）及びチャネル状態情報参照信号（channel  state  information  reference  signal，ＣＳＩ−ＲＳ）のうちの少なくとも１つであってよい。ＳＳブロックは、１つ以上のＯＦＤＭシンボルに対応してよい。ＳＳブロックは、次の：プライマリ同期信号（primary  synchronization  signal，ＰＳＳ）、セカンダリ同期信号（secondary  synchronization  signal，ＳＳＳ）、物理ブロードキャスト信号（physical  broadcast  channel  block，ＰＢＣＨ）、及び復調参照信号（demodulation  reference  signal，ＤＭＲＳ）のうちの少なくとも１つを含む。ＳＳブロックは、ＳＳ／ＰＢＣＨブロックとも呼ばれ得る。
【０１１０】
本願では、ランダムアクセス周期は、ランダムアクセスリソース周期とも呼ばれ、標準規格で定義されたランダムアクセスリソース期間（time  interval）、又はランダムアクセスリソースが現れる期間、又は同じダウンリンク信号に関連付けられたランダムアクセスリソースが現れる最小周期であってよい。
【０１１１】
（２）端末が、ランダムアクセスリソースとダウンリンク信号との間の関連付け関係に基づいて、ダウンリンク信号に対応するランダムアクセスリソースを決定することは、次の通りであってよい。端末は、周波数領域におけるランダムアクセスリソースの時間内に、ランダムアクセスリソースのインデックス作成モード及び同じ時間でのランダムアクセスリソースの数に基づいて、ダウンリンク信号に対応するランダムアクセスリソースの周波数位置ｆを最初に決定し、それから、周波数位置ｆにおいて、ダウンリンク信号に対応するランダムアクセスリソースの時間ｔを決定する。
【０１１２】
図５は、本願の他の実施形態に従うランダムアクセス方法におけるランダムアクセスリソースインデックスの概略図である。
【０１１３】
デフォルトで、ダウンリンク信号とランダムアクセスリソースとの間の関連付け関係は、固定の関係である。１つのランダムアクセス周期内のランダムアクセスリソースが位置している複数のスロットが存在し、１つのスロットには複数のランダムアクセス時間が存在し、また１つのランダムアクセス時間に周波数領域において複数のランダムアクセスリソースが存在する、と考えられる。
【０１１４】
図５に示されるように、Ｋが０よりも大きい整数であるとして、ランダムアクセス周期全体ではＦ×Ｋ個のランダムアクセスリソースが存在し、相応して、Ｋ個のダウンリンク信号が存在する。（２）でのインデックス作成モードに基づいて、最初に、ランダムアクセスリソースを有している第１スロット内の第１ランダムアクセス時間で、ランダムアクセスリソースの周波数位置が決定され、次いで、ランダムアクセスリソースを有している第１スロット内の全てのランダムアクセスリソースが決定されるまで、第２ランダムアクセス時間でランダムアクセスリソースの周波数位置が決定され、それから、ランダムアクセス周期内の全てのランダムアクセスリソースが決定されるまで、同じ操作が、ランダムアクセスリソースを有している第２スロットなどにおいて実行される。
【０１１５】
（３）端末が、ランダムアクセスリソースとダウンリンク信号との間の関連付け関係に基づいて、ダウンリンク信号に対応するランダムアクセスリソースを決定することは、次の通りであってよい。端末は、Ｎが０よりも大きい整数であるとして、ランダムアクセスリソースの周期内のＮ個のスロット又はサブフレームにおいて、現在のランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定する。ここで、周期は、ランダムアクセス周期である。
【０１１６】
図６は、本願の他の実施形態に従うランダムアクセス方法におけるランダムアクセスリソースインデックスの概略図である。
【０１１７】
デフォルトで、ダウンリンク信号とランダムアクセスリソースとの間の関連付け関係は、固定の関係である。１つのランダムアクセス周期内のランダムアクセスリソースが位置している複数のスロットが存在し、１つのスロットには複数のランダムアクセス時間が存在し、また１つのランダムアクセス時間に周波数領域において複数のランダムアクセスリソースが存在する、と考えられる。
【０１１８】
他の実施では、ランダムアクセス時間に周波数領域にはＦ個のランダムアクセスリソースが存在し、ここで、Ｆは、前もってセットされた値、又はネットワークデバイスによって設定された値である。他の実施では、Ｆは、ランダムアクセスプリアンブルのシーケンス長さ、ランダムアクセスプリアンブルのサブキャリア間隔、ランダムアクセスプリアンブルフォーマット、ランダムアクセスリソースのサービングセル識別、ランダムアクセスリソースのキャリア周波数情報、キャリア周波数範囲、サービスタイプ、ダウンリンク信号の最大数、実際に送信されるダウンリンク信号に関する情報、ダウンリンク信号と関連付けられるランダムアクセスリソースの数、ランダムアクセスリソース周期、ダウンリンク信号とランダムアクセスリソースとの間の関連付け関係、ランダムアクセス構成インデックス、及びランダムアクセス構造の指示情報のうちの少なくとも１つに基づき決定される。
【０１１９】
図６に示されるように、Ｋが０よりも大きい整数であるとして、ランダムアクセス周期全体ではＦ×Ｋ個のランダムアクセスリソースが存在し、相応して、Ｋ個のダウンリンク信号が存在する。（３）でのインデックス作成モードに基づいて、ランダムアクセス周期内で、最初に、ランダムアクセスリソースの時間ｔがＮ個のスロット又はサブフレームにおいて決定され、それから、ランダムアクセスリソースの周波数位置ｆが時間ｔで決定され、それから、ランダムアクセス周期内の全てのスロット内のランダムアクセスリソースが決定されるまで、ランダムアクセスリソースの時間ｔが次のＮ個のスロット又はサブフレームにおいて決定され、それから、ランダムアクセスリソースの周波数位置ｆが時間ｔで決定される。
【０１２０】
同じ時間でのランダムアクセスリソースは、全てのランダムアクセスリソースが同じ間ｔにあり、同じ時間に１つ以上のランダムアクセスリソース（ランダムアクセス機会）が存在することを意味する点が留意されるべきである。しかし、これは制限されず、異なる時間でのランダムアクセスリソースの数が異なってよい。
【０１２１】
任意に、ダウンリンク信号とランダムアクセスリソースとの間の関連付け関係は、代替的に、本願において固定でなくてもよく、ダウンリンク信号に対応するランダムアクセスリソースは、現在のランダムアクセスリソースのインデックス作成モードとともに関連付け関係に基づいて柔軟に決定されてよい。
【０１２２】
関連付け関係はまた、対応、マッピング規則、又はマッピング様態（マッピング規則／マッピング方法／マップ又はマッピング関連付け方法／関連付け規則）と呼ばれてもよく、これらの全てが、ダウンリンク信号とランダムアクセスリソースとの間の対応を示す。具体的に言えば、ダウンリンク信号に対応するランダムアクセスリソース（又はランダムアクセスリソースのインデックス）は、ダウンリンク信号のインデックスｋに基づき取得されてよく、あるいは、ランダムアクセスリソースに対応するダウンリンク信号は、ランダムアクセスリソースに基づいて取得されてよい。
【０１２３】
具体的に、関連付け関係はまた、次のうちのいずれか１つであってよい。：
（１）同じ時間でのランダムアクセスリソースは１つのダウンリンク信号に対応する。  
具体的に言えば、同じ時間でのランダムアクセスリソースは、１つのダウンリンク信号又は一種類のダウンリンク信号（例えば、複数の疑似コロケーション（Quasi-colocation）ダウンリンク信号）を関連付けられ、異なるダウンリンク信号と関連付けられたランダムアクセスリソースは異なる時間にある；又は
（２）同じ時間でのランダムアクセスリソースは複数のダウンリンク信号に対応する。  
具体的に言えば、同じ時間でのランダムアクセスリソースは、複数のダウンリンク信号と関連付けられ、複数のダウンリンク信号と関連付けられたランダムアクセスリソースは、同じ時間にあってよい；又は
（３）同じ時間でのランダムアクセスリソースは全てのダウンリンク信号に対応する。  
具体的に言えば、全てのダウンリンク信号と関連付けられたランダムアクセスリソースが同じ時間にあってよく、このとき、関連付け関係は、周波数領域で十分なリソースを必要とする。
【０１２４】
ネットワークの処理能力及び／又はハードウェア機能に対する上記の３つの関連付け関係（１）乃至（３）の要件は、順次高くなり、相応して、時間リソース効率も、順次改善される。具体的な実施プロセスにおいて、関連付け関係は、ネットワークデバイスの処理能力及び／又はハードウェア機能に基づき柔軟に使用されてよい。例えば、ネットワークデバイスの処理能力又はハードウェア機能が比較的低い（第１の前もってセットされた閾値よりも低い）場合に、ネットワークデバイスは、関連付け関係（１）を設定し、これは更に、実施複雑性を低減することができる。ネットワークデバイスの処理能力又はハードウェア機能が中程度（第１の前もってセットされた閾値と第２の前もってセットされた閾値との間）である場合に、ネットワークデバイスは関連付け関係（２）を設定する。ネットワークデバイスの処理能力又はハードウェア機能が比較的高い（第２の前もってセットされた閾値よりも高い）場合に、ネットワークデバイスは関連付け関係（３）を設定する。ネットワークデバイスが（２）及び（３）を設定する場合には、時間オーバーヘッドも低減され得る。
【０１２５】
その上、関連付け関係（１）が設定される場合に、端末は、図４に示される（１）におけるランダムアクセスリソースのインデックス作成モードを使用するよう構成されてよい。関連付け関係（２）が設定される場合に、端末は、図５に示される（２）におけるランダムアクセスリソースのインデックス作成モードを使用するよう構成されてよい。関連付け関係（３）が設定される場合に、端末は、図６に示される（３）におけるランダムアクセスリソースのインデックス作成モードを使用するよう構成されてよい。
【０１２６】
上記の実施形態で、ランダムアクセス時間でのランダムアクセスリソースの周波数位置は、ランダムアクセスリソースの周波数位置、ランダムアクセス周波数バンドのバンド幅、ランダムアクセス時間でのランダムアクセスリソースの数Ｍ２、及びランダムアクセス周波数とランダムアクセス時間との間の対応のうちの少なくとも１つに基づき決定される。上記のパラメータは、シグナリングを使用することによってネットワークデバイスによって前もって定義又は前もって記憶又は設定されてよい。
【０１２７】
他の可能な実施では、端末は、ネットワークデバイスによって送信された関連付け関係指示情報を受信し、関連付け関係指示情報は、関連付け関係の識別子を運ぶ。例えば、２つのビットが関連付け関係を識別するために使用されてよく、“００”は関連付け関係（１）を特定し、“０１”は関連付け関係（２）を特定し、“１０”は関連付け関係（３）を特定する。しかし、これは制限されない。端末は、ネットワークデバイスによって示される関連付け関係と、ランダムアクセスリソースの固定のインデックス作成モードとに基づいて、ダウンリンク信号に対応するランダムアクセスリソースを決定する。
【０１２８】
例えば、ランダムアクセスリソースの固定のインデックス作成モードは、ランダムアクセスリソースが位置しているスロットにおいてランダムアクセスリソースの時間ｔを最初に決定し、それから、時間ｔでのランダムアクセスリソースの周波数位置ｆを決定することである、と考えられる。ダウンリンク信号のインデックスｋとランダムアクセスリソースのインデックスｉとの間のマッピング関係は、前もって設定されてよく、例えば：
ｋ＝ｍｏｄ（ｉ，Ｋ），ただし、ｉ＝０，１，・・・，ＦＫ−１；又は
ｋ＝ｆｌｏｏｒ（ｉ／Ｆ），ただし、ｉ＝０，１，・・・，ＦＫ−１。
なお、２つのマッピング関係は、制限を構成しない。
【０１２９】
ランダムアクセスリソースのインデックスｉは、ランダムアクセスリソースが位置しているスロット、ランダムアクセス時間、及びランダムアクセス周波数に基づいて同等に示されてよい。上記のマッピング関係を使用することによって、ダウンリンク信号は、ランダムアクセスリソースの特定の時間及び周波数と直接関連付けられてよい。例えば、図３のランダムアクセスリソース０は、リソースが位置しているスロット、スロット内のランダムアクセス時間０、及びランダムアクセス周波数０によって示されてよく、図３のランダムアクセスリソースＦ＋１は、リソースが位置しているスロット、スロット内のランダムアクセス時間１、及びランダムアクセス周波数１によって示されてよい。
【０１３０】
他のインデックス作成モードについては、上記のマッピング関係を参照されたい。詳細は再び記載されない。
【０１３１】
上記のインデックス作成モードは、前もってセットされてよく、あるいは、ネットワークデバイスによって構成されてもよい。具体的な実施において、端末がダウンリンク信号に対応するランダムアクセスリソースに基づいてランダムアクセスプリアンブルをネットワークデバイスへ送信する前に、端末は、ランダムアクセスリソースの前もってセットされたインデックス作成モードを取得するか、あるいは、ネットワークデバイスによって送信された第３指示情報を受信し、第３指示情報は、ランダムアクセスリソースのインデックス作成モードを示すために使用される。
【０１３２】
更に、複数のランダムアクセスプリアンブルが、同じランダムアクセスリソースに存在してよい。ランダムアクセスプリアンブルは更に、複数のプリアンブルセットにグループ化されてよく、ランダムアクセスリソース上の複数のプリアンブルセットは、異なるダウンリンク信号と関連付けられてよい。相応して、ランダムアクセスリソースのインデックス作成モードは、ランダムアクセスプリアンブルセットのインデックスを最初に決定し、それから、更に、時間次元及び周波数次元においてインデックス作成を実行することであってよい。任意に、ランダムアクセスプリアンブルセットのサイズ（又はセット内のランダムアクセスプリアンブルの数）は、ネットワークデバイスによって設定され示される。任意に、ランダムアクセスプリアンブルセットのサイズは、予め定義又は予め記憶される。その上、プリアンブルセットを形成するシーケンスは、ランダムアクセスプリアンブルシーケンスの循環シフトに基づいて複数のランダムアクセスプリアンブルを形成し、それから、全てのシーケンスがトラバースされるか、あるいは、トラバースされたルートシーケンスの数が予め定義若しくは予め記憶された数又はネットワークデバイスによって設定された数に達するか、あるいは、生成されたランダムアクセスプリアンブルの総数が予め定義又は予め記憶された数又はネットワークデバイスによって設定された数に達するか、あるいは、ランダムアクセスプリアンブルセット内の生成されたランダムアクセスプリアンブルの総数が予め定義若しくは予め記憶された数又はネットワークデバイスによって設定された数に達するまで、ルートシーケンスに基づいて順次他のランダムアクセスプリアンブルを生成することであってよい。
【０１３３】
任意に、ネットワークデバイスは、指示情報を使用することによって端末に対してランダムアクセスリソースの時間又はランダムアクセスリソースの時間構造を直接示してもよい。次いで、ランダムアクセスリソースの周波数が更に決定され、ランダムアクセスリソースは決定され得る。
【０１３４】
任意に、端末がネットワークデバイスによって配信されたランダムアクセス構成インデックスに基づいてランダムアクセスリソースを決定することは、次の通りであってよい。端末は、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて、ランダムアクセスリソースの時間範囲を決定する。
【０１３５】
具体的に、ランダムアクセス構成インデックスとランダムアクセスリソースの時間範囲との間のマッピング関係は、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上に基づいて決定されてよく、ランダムアクセスリソースの時間範囲は更に、ネットワークデバイスによって示されるランダムアクセス構成インデックス、及びランダムアクセス構成インデックスとランダムアクセスリソースが位置しているスロットとの間のマッピング関係に基づいて、決定される。
【０１３６】
ここで、時間範囲は期間、又は複数の期間の組、又は複数のスロット／サブフレームの組、などであってよい。これは本願で制限されない。
【０１３７】
更に、時間範囲が複数のスロット／サブフレームの組である場合に、異なるスロット構造又は異なるサブフレーム構造ごとに、ランダムアクセスリソースの時間模糊となることが決定される。
【０１３８】
端末がダウンリンク信号に対応するランダムアクセスリソースに基づいてランダムアクセスプリアンブルをネットワークデバイスへ送信する前に、端末は更に、スロット又はサブフレームの前もってセットされた構造情報に基づいて、ランダムアクセスリソースの時間範囲内のランダムアクセスリソースの時間を決定してもよい。代替的に、端末は、ネットワークによって送信された第２指示情報を受信し、第２指示情報は、ランダムアクセススロット又はサブフレームの構造情報を含む。相応して、端末は、ランダムアクセススロット又はサブフレームの構造情報に基づいて、ランダムアクセスリソースの時間範囲において、ランダムアクセスリソースの時間を決定する。
【０１３９】
ランダムアクセスリソースの時間範囲においてランダムアクセスリソースの時間を決定することは、ランダムアクセスリソースの時間範囲内のランダムアクセスリソースの特定の時間位置、例えば、ランダムアクセスリソースのＯＦＤＭシンボルを決定することであってよい。
【０１４０】
ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上が変化する場合に、ランダムアクセス構成インデックスとランダムアクセスリソースが位置しているスロットとの間のマッピング関係は、異なる可能性があることが分かる。
【０１４１】
任意に、端末は更に、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて、ランダムアクセスプリアンブルのシステムフレーム位置及びフォーマットのような情報を決定してよい。
【０１４２】
システムフレーム（system  frame）は、フレーム（frame）又はラジオフレーム（radio  frame）とも呼ばれる。システムフレームの存続期間は１０ｍｓである。システムフレームは１０個のサブフレーム（subframe）を含み、各サブフレームの存続期間は１ｍｓである。１つのサブフレームは１つ以上のスロットを含む。具体的に、サブフレーム内のスロットの数は、サブキャリア間隔に関係がある。例えば、サブキャリア間隔が１５ｋＨｚである（対応するサブキャリア間隔インデックスはｕ＝０である）場合に、１つのサブフレームは１つのスロットしか含まない。他の例として、サブキャリア間隔が１５×２ｕｋＨｚである（対応するサブキャリア間隔インデックスはｕ＝１〜４である）場合に、１つのサブフレームは２ｕ個のスロットを含む。１つのスロットは１４個のＯＦＤＭシンボルを含んでよい。システムフレーム位置は、システムフレーム番号（system  frame  number，ＳＦＮ）によって示されてよい。本願では、κ＝６４であり、対応する基本時間単位（basic  time  unit）は１／（４８００００×４０９６）である。
【０１４３】
ランダムアクセスプリアンブルのフォーマットは、既存の標準規格における以下の表１中のフォーマット、Ａ０、Ａ１、Ａ２、Ａ３、Ｂ０、Ｂ１、Ｂ２、Ｂ３、Ｂ４、Ｃ０、及びＣ２のうちの１つ以上、又は表２中のフォーマット、０、１、２、及び３のうちの１つ以上であってよい。実際に、フォーマットＡ０乃至Ｃ２及びフォーマット０乃至３は、代替的に、他の名称を有してもよい。これはここで制限されない。
【０１４４】
具体的に、表１は、シーケンス長さＬが１２７又は１３９に等しい場合のプリアンブルフォーマットを示す。
【表１】
2020536421.tif 000003
【０１４５】
表２は、シーケンス長さＬが８３９に等しい場合のプリアンブルフォーマットを示す。
【表２】
2020536421.tif 000004
【０１４６】
実施において、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上に基づく組み合わせ［ランダムアクセスリソースが位置しているスロット，ランダムアクセスプリアンブルのフォーマット（すなわち、ランダムアクセス時間とも呼ばれる、スロット内のランダムアクセスプリアンブルの時間位置），システムフレーム位置］との間のマッピング関係。しかし、これは制限されない。ランダムアクセス構成インデックスと、ランダムアクセスリソースが位置しているスロット、ランダムアクセスプリアンブルのフォーマット、及びシステムフレーム位置との間のマッピング関係は、別々に取得されてもよい。
【０１４７】
例えば、表３及び表４は、サブキャリア間隔が１５キロヘルツ（ｋＨｚ）であり、ダウンリンク信号ブロックの最大数が４である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【０１４８】
表３中、ランダムアクセスリソースが位置しているスロットは、連続的なスロットである。
【表３】
2020536421.tif 000005
2020536421.tif 000006
2020536421.tif 000007
【０１４９】
表４中、ランダムアクセスリソースが位置しているスロットは、連続しないスロットである。
【表４】
2020536421.tif 000008
2020536421.tif 000009
2020536421.tif 000010
【０１５０】
この場合に、ダウンリンク信号ブロックは、２ミリ秒（ｍｓ）を占有する必要があり、ランダムアクセスリソースは、システムフレームにおいてダウンリンク信号ブロックの時間に置かれ得ない。例えば、ダウンリンク信号ブロックが０及び１の番号を付されたスロットに位置する場合に、ランダムアクセスリソースは、２から９の番号を付されたスロットのうちの１つ以上に位置する。他の例として、ダウンリンク信号ブロックが２及び３の番号を付されたスロットに位置する場合に、ランダムアクセスリソースは、０、１及び４から９の番号を付されたスロットのうちの１つ以上に位置する。これは、特にここで制限されない。
【０１５１】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表３及び表４のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。同様の場合は、続く実施形態でも存在し、詳細は再び記載されない。
【０１５２】
ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が８０ｍｓであり、且つ／あるいは、ダウンリンク信号が０番及び１番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表３又は表４に示される。ダウンリンク信号が位置しているスロットが他のスロットである場合に、ランダムアクセスリソースが位置しているスロットが、ダウンリンク信号が位置しているスロットと重なり合わないという条件で、ランダムアクセスリソースが位置しているスロットも変化してよい。
【０１５３】
上記の表中の全てのスロット及びシステムフレームは、例である。なお、スロット及びシステムフレームは、表中のものに限られない。例えば、上記の表３及び表４のＭｏｄ（ＳＦＮ，８）＝０は、８で割り切れるシステムフレーム番号を示し、Ｍｏｄ（ＳＦＮ，８）＝１、Ｍｏｄ（ＳＦＮ，８）＝２、Ｍｏｄ（ＳＦＮ，８）＝３、Ｍｏｄ（ＳＦＮ，８）＝４、Ｍｏｄ（ＳＦＮ，８）＝５、Ｍｏｄ（ＳＦＮ，８）＝６、及びＭｏｄ（ＳＦＮ，８）＝７のうちのいずれか１つで置換されてよい。他の例として、上記の表３及び表４で、Ｍｏｄ（ＳＦＮ，４）＝０は、Ｍｏｄ（ＳＦＮ，４）＝１、Ｍｏｄ（ＳＦＮ，４）＝２、及びＭｏｄ（ＳＦＮ，４）＝３のうちのいずれか１つで置換されてよい。他の例として、上記の表３及び表４で、Ｍｏｄ（ＳＦＮ，２）＝０は、Ｍｏｄ（ＳＦＮ，２）＝１で置換されてよい。
【０１５４】
同様に、ランダムアクセスリソースが位置しているスロットは、表３及び表４のどちらのものにも限られない。例えば、表４のランダムアクセス構成インデックスが“６”である場合に、ランダムアクセスリソースが位置している対応するスロットは“２，６”であるが、ダウンリンク信号が０番及び１番のスロットに位置しているシナリオでは、ランダムアクセスリソースが位置しているスロットは、スロット２から９のうちのいずれか１つ以上であってよい。例えば、“２，６”に加えて、３から９の番号を付されたスロットの中のいずれか２つの異なる値（ｘ１，ｘ２）が使用されてよい。
【０１５５】
他の例として、表４のランダムアクセス構成インデックスが“８”である場合に、ランダムアクセスリソースが位置している対応するスロットは“２，３，４，５”である。実際に、２から９の中のいずれか４つの異なる値ｘ１、ｘ２、ｘ３、及びｘ４が使用されてよく、あるいは、（ｘ１，ｘ２）及び（ｘ３，ｘ４）のような、それらのスロットのいずれかの対組み合わせが使用されてもよい。
【０１５６】
ランダムアクセス構成インデックスが異なる場合に、対応するスロットは異なる。例えば、第１ランダムアクセス構成インデックスに対応するスロットは、（ｘ１，ｘ２，ｘ３，ｘ４）によって示され、第１ランダムアクセス構成インデックスに対応するスロットは、（ｙ１，ｙ２，ｙ３，ｙ４）によって示され、このとき、（ｘ１，ｘ２，ｘ３，ｘ４）及び（ｙ１，ｙ２，ｙ３，ｙ４）は、３から９の中のいずれか４つの異なる数値を含み、２つの番号グループ（ｘ１，ｘ２，ｘ３，ｘ４）及び（ｙ１，ｙ２，ｙ３，ｙ４）において、最大３つまでの番号が同じである。他の実施では、ｘ１及びｘ２、ｘ３及びｘ４、並びに／又はｘ２及びｘ３は、等しいインターバルで分布する。例えば、ｘ２＝ｘ１＋ａ、ｘ４＝ｘ３＋ａ、及び／又はｘ３＝ｘ２＋ａであり、ａは１から４の中のいずれかの整数であってよい。同様に、ｙ１及びｙ２、ｙ３及びｙ４、並びに／又はｙ２及びｙ３は、等しいインターバルで分布する。例えば、ｙ２＝ｙ１＋ｂ、ｙ４＝ｙ３＋ｂ、及び／又はｙ３＝ｙ２＋ｂ。
【０１５７】
他の実施では、アップリンク通信及びダウンリンク通信のために異なる周波数（又は周波数バンド）が使用される、すなわち、周波数分割モードがアップリンク通信及びダウンリンク通信のために使用される場合に、ｘ１からｘ４及びｙ１からｙ４は、０から９の中のいずれかの値であってよい。具体的な設定方法は、上記の方法と同じである。詳細はここで再び記載されない。
【０１５８】
例えば、表５及び表６は、サブキャリア間隔が１５キロヘルツ（ｋＨｚ）であり、ダウンリンク信号ブロックの最大数が８である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【０１５９】
表５中、ランダムアクセスリソースが位置しているスロットは、連続的なスロットである。
【表５】
2020536421.tif 000011
2020536421.tif 000012
2020536421.tif 000013
【０１６０】
表６中の、ランダムアクセスリソースが位置しているスロットは、連続しないスロットである。
【表６】
2020536421.tif 000014
2020536421.tif 000015
2020536421.tif 000016
【０１６１】
この場合に、ダウンリンク信号ブロックは、４ミリ秒（ｍｓ）を占有する必要があり、ランダムアクセスリソースは、システムフレームにおいてダウンリンク信号ブロックの時間に置かれ得ない。例えば、ダウンリンク信号ブロックが０から３の番号を付されたスロットに位置する場合に、ランダムアクセスリソースは、４から９の番号を付されたスロットのうちの１つ以上に位置する。
【０１６２】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表５及び表６のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【０１６３】
ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が８０ｍｓであり、且つ／あるいは、ダウンリンク信号が０番から３番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表３又は表４に示される。ダウンリンク信号が位置しているスロットが他のスロットである場合に、ランダムアクセスリソースが位置しているスロットが、ダウンリンク信号が位置しているスロットと重なり合わないという条件で、ランダムアクセスリソースが位置しているスロットも変化してよい。
【０１６４】
上記の表中の全てのスロット及びシステムフレームは、例である。なお、スロット及びシステムフレームは、表中のものに限られない。それらの具体的な置換については、表３及び表４に関する説明を参照されたい。詳細はここで再び記載されない。
【０１６５】
同様に、ランダムアクセスリソースが位置しているスロットは、表５及び表６のどちらのものにも限られない。それらの具体的な置換については、やはり表３及び表４に関する説明を参照されたい。詳細はここで再び記載されない。
【０１６６】
他の実施形態で、ランダムアクセス構成インデックス５８から６３に対応するスロットインデックスは、他の値であってもよい。例えば、ランダムアクセス構成インデックスが５８であり、システムフレーム位置Ｍｏｄ（ＳＦＮ，８）＝１の場合に、スロット位置は、Ｍｏｄ（ＳＦＮ，８）＝０の場合のものと同じであり、４、５、６、及び７であり、あるいは、ランダムアクセス構成インデックスが５９であり、システムフレーム位置Ｍｏｄ（ＳＦＮ，８）＝１の場合に、スロット位置は、Ｍｏｄ（ＳＦＮ，８）＝０の場合のものと同じであり、６、７、８、及び９である。同様に、ランダムアクセス構成インデックスが６０，６１、６２、又は６３である場合に、同様の動作がやはり存在し得る。
【０１６７】
表３、表４、表５、及び表６中のスロット位置は、１５ｋＨｚのサブキャリア間隔に基づく。他の実施形態では、アップリンク又はダウンリンクデータのサブキャリア間隔は、ランダムアクセスプリアンブルのサブキャリア間隔とは異なるので、アップリンク又はダウンリンクデータのサブキャリア間隔に対応するスロット存続期間は、ランダムアクセスプリアンブルのサブキャリア間隔に対応するスロット存続期間とは異なる。アップリンク又はダウンリンクデータのサブキャリア間隔がランダムアクセスプリアンブルのサブキャリア間隔とは異なる場合に、表中のスロットは、ランダムアクセスプリアンブルのサブキャリア間隔に基づいてよく、あるいは、アップリンク又はダウンリンクデータのサブキャリア間隔に基づいてよい。代替的に、ネットワークデバイスは指示情報Ｆｌａｇを設定し、Ｆｌａｇ＝０の場合に、それは前者の方法に対応し、あるいは、Ｆｌａｇ＝１の場合に、それは後者の方法に対応する。ランダムアクセスリソース構成表中のスロットがアップリンク又はダウンリンクデータのサブキャリア間隔に基づき、アップリンク又はダウンリンクデータのサブキャリア間隔がランダムアクセスプリアンブルのサブキャリア間隔とは異なる場合に、表３、表４、表５、及び表６における時間位置インデックス、連続するスロットの数、及びスロット内のランダムアクセスプリアンブル構造のうちの少なくとも１つは、ネットワークデバイス及び端末側でランダムアクセスリソース及びアップリンク又はダウンリンクデータについて時間アライメントが達成されるように、更に調整されてよい。
【０１６８】
例えば、アップリンク又はダウンリンクデータのサブキャリア間隔が３０ｋＨｚである場合に、表３、表４、表５、及び表６中のいずれかのスロットインデックスは、２つの連続する３０ｋＨｚスロットに対応してよく、対応するスロットインデックス及び／又は連続するスロットの数は増減される。具体的に言えば、ランダムアクセスプリアンブルが位置している１５ｋＨｚスロットのインデックスがｋである場合に、スロットは、スロットインデックスが２ｋ及び２ｋ＋１である３０ｋＨｚスロットに調整される。すなわち、ランダムアクセスリソースの絶対時間は変わらないままである。この場合に、スロット内のランダムアクセスプリアンブルの構造は更に調整されてよい。例えば、１つの１５ｋＨｚスロット内のランダムアクセスプリアンブルの構造は、２つの連続する３０ｋＨｚスロットｋ及びｋ＋１に基づいてよい。他の例として、２つの新しい３０ｋＨｚスロットｋ及びｋ＋１は、１５ｋＨスロットの半分に夫々対応する（すなわち、ダウンリンク信号によって占有されるシンボルの数が７つよりも少ない１５ｋＨｚＯＦＤＭシンボルである構成が表１６、表１７、表１８、表１９、表２０、及び表２１で除かれた後に十分なランダムアクセスリソースを有している任意の構造と同等の７つの１５ｋＨｚＯＦＤＭシンボル）。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【０１６９】
同様に、アップリンク又はダウンリンクデータのサブキャリア間隔が６０ｋＨｚである場合に、対応する調整が存在する。詳細はここで再び記載されない。
【０１７０】
例えば、表７及び表８は、サブキャリア間隔が３０ｋＨｚであり、ダウンリンク信号ブロックの最大数が４である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【０１７１】
表７中、ランダムアクセスリソースが位置しているスロットは、連続するスロットである。
【表７】
2020536421.tif 000017
2020536421.tif 000018
2020536421.tif 000019
【０１７２】
表８中、ランダムアクセスリソースが位置しているスロットは、連続しないスロットである。
【表８】
2020536421.tif 000020
2020536421.tif 000021
2020536421.tif 000022
【０１７３】
この場合に、ダウンリンク信号ブロックは、４ミリ秒（ｍｓ）を占有する必要があり、ランダムアクセスリソースは、システムフレームにおいてダウンリンク信号ブロックの時間に置かれ得ない。その上、サブキャリア間隔が３０ｋＨｚであるシナリオの場合に、サブキャリア間隔が１５ｋＨｚであるシナリオとの共存を考慮すれば、ランダムアクセスリソースなしの存続期間は２ｍｓである。例えば、ダウンリンク信号ブロックが０及び１の番号を付されたスロットに位置する場合に、ランダムアクセスリソースは、５から１９の番号を付されたスロットのうちの１つ以上に位置する。他の例として、ダウンリンク信号ブロックが２及び３の番号を付されたスロットに位置する場合に、ランダムアクセスリソースは、０、１、及び６から１９の番号を付されたスロットのうちの１つ以上に位置する。
【０１７４】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表７及び表８のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【０１７５】
ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が８０ｍｓであり、且つ／あるいは、ダウンリンク信号が０番及び１番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表５又は表６に示される。ダウンリンク信号が位置しているスロットが他のスロットである場合に、ランダムアクセスリソースが位置しているスロットが、ダウンリンク信号が位置しているスロットと重なり合わないという条件で、ランダムアクセスリソースが位置しているスロットも変化してよい。
【０１７６】
上記の表中の全てのスロット及びシステムフレームは、例である。なお、スロット及びシステムフレームは、表中のものに限られない。それらの具体的な置換については、表３及び表４に関する説明を参照されたい。詳細はここで再び記載されない。
【０１７７】
同様に、ランダムアクセスリソースが位置しているスロットは、表７及び表８のどちらのものにも限られない。それらの具体的な置換については、やはり表３及び表４に関する説明を参照されたい。詳細はここで再び記載されない。
【０１７８】
他の実施形態で、ランダムアクセス構成インデックス５８から６３に対応するスロットインデックスは、他の値であってもよい。例えば、ランダムアクセス構成インデックスが５８であり、システムフレーム位置Ｍｏｄ（ＳＦＮ，８）＝１の場合に、スロット位置は、Ｍｏｄ（ＳＦＮ，８）＝０の場合のものと同じであり、８、９、１０、及び１１であり、あるいは、ランダムアクセス構成インデックスが５９であり、システムフレーム位置Ｍｏｄ（ＳＦＮ，８）＝１の場合に、スロット位置は、Ｍｏｄ（ＳＦＮ，８）＝０の場合のものと同じであり、１４、１５、１６、及び１７である。同様に、ランダムアクセス構成インデックスが６０，６１、６２、又は６３である場合に、同様の動作がやはり存在し得る。
【０１７９】
表７、表８、表９、及び表１０中のスロット位置は、３０ｋＨｚのサブキャリア間隔に基づく。他の実施形態では、アップリンク又はダウンリンクデータのサブキャリア間隔は、ランダムアクセスプリアンブルのサブキャリア間隔とは異なるので、アップリンク又はダウンリンクデータのサブキャリア間隔に対応するスロット存続期間は、ランダムアクセスプリアンブルのサブキャリア間隔に対応するスロット存続期間とは異なる。アップリンク又はダウンリンクデータのサブキャリア間隔がランダムアクセスプリアンブルのサブキャリア間隔とは異なる場合に、ランダムアクセスリソース構成表中のスロットは、ランダムアクセスプリアンブルのサブキャリア間隔に基づいてよく、あるいは、アップリンク又はダウンリンクデータのサブキャリア間隔に基づいてよい。代替的に、ネットワークデバイスは指示情報Ｆｌａｇを設定し、Ｆｌａｇ＝０の場合に、それは前者の方法に対応し、あるいは、Ｆｌａｇ＝１の場合に、それは後者の方法に対応する。ランダムアクセスリソース構成表中のスロットがアップリンク又はダウンリンクデータのサブキャリア間隔に基づき、アップリンク又はダウンリンクデータのサブキャリア間隔がランダムアクセスプリアンブルのサブキャリア間隔とは異なる場合に、表７、表８、表９、及び表１０における時間位置インデックス、連続するスロットの数、及びスロット内のランダムアクセスプリアンブル構造のうちの少なくとも１つは、ネットワークデバイス及び端末側でランダムアクセスリソース及びアップリンク又はダウンリンクデータについて時間アライメントが達成されるように、更に調整されてよい。
【０１８０】
例えば、アップリンク又はダウンリンクデータのサブキャリア間隔が６０ｋＨｚである場合に、表７、表８、表９、及び表１０中のいずれかのスロットインデックスは、２つの連続する６０ｋＨｚスロットに対応してよく、対応するスロットインデックス及び／又は連続するスロットの数は増減される。具体的に言えば、ランダムアクセスプリアンブルが位置している３０ｋＨｚスロットのインデックスがｋである場合に、スロットは、スロットインデックスが２ｋ及び２ｋ＋１である６０ｋＨｚスロットに調整される。すなわち、ランダムアクセスリソースの絶対時間は変わらないままである。この場合に、スロット内のランダムアクセスプリアンブルの構造は更に調整されてよい。例えば、１つの３０ｋＨｚスロット内のランダムアクセスプリアンブルの構造は、２つの連続する６０ｋＨｚスロットｋ及びｋ＋１に基づいてよい。他の例として、２つの新しい６０ｋＨｚスロットｋ及びｋ＋１は、３０ｋＨスロットの半分に夫々対応する（すなわち、ダウンリンク信号によって占有されるシンボルの数が７つよりも少ない３０ｋＨｚＯＦＤＭシンボルである構成が表１６、表１７、表１８、表１９、表２０、及び表２１で除かれた後に十分なランダムアクセスリソースを有している任意の構造と同等の７つの３０ｋＨｚＯＦＤＭシンボル）。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【０１８１】
例えば、アップリンク又はダウンリンクデータのサブキャリア間隔が１５ｋＨｚである場合に、表７、表８、表９、及び表１０中のいずれかのスロットインデックスは、１５ｋＨｚスロットの半分に対応してよく、対応するスロットインデックス及び／又は連続するスロットの数は増減される。具体的に言えば、ランダムアクセスプリアンブルが位置している３０ｋＨｚスロットのインデックスがｋである場合に、スロットは、１５ｋＨｚスロットの半分に調整され、あるいは、ランダムアクセスプリアンブルが、インデックスがｋ及びｋ＋１である２つの連続する３０ｋＨｚスロットに位置する場合に、スロットは、１つの１５ｋＨｚに調整される。すなわち、ランダムアクセスリソースの絶対時間は変わらないままである。この場合に、スロット内のランダムアクセスプリアンブルの構造は更に調整されてよい。例えば、１つの１５ｋＨｚスロット内のランダムアクセスプリアンブルの構造は、２つの連続する３０ｋＨｚスロットｋ及びｋ＋１に基づいてよい。他の例として、１５ｋＨｚスロットの半分は１つの３０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【０１８２】
例えば、表９及び表１０は、サブキャリア間隔が３０ｋＨｚであり、ダウンリンク信号ブロックの最大数が８である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【０１８３】
表９中、ランダムアクセスリソースが位置しているスロットは、連続的なスロットである。
【表９】
2020536421.tif 000023
2020536421.tif 000024
2020536421.tif 000025
【０１８４】
表１０中、ランダムアクセスリソースが位置しているスロットは、連続しないスロットである。
【表１０】
2020536421.tif 000026
2020536421.tif 000027
2020536421.tif 000028
【０１８５】
この場合に、ダウンリンク信号ブロックは、２ミリ秒（ｍｓ）を占有する必要があり、ランダムアクセスリソースは、システムフレームにおいてダウンリンク信号ブロックの時間に置かれ得ない。その上、サブキャリア間隔が３０ｋＨｚであるシナリオの場合に、サブキャリア間隔が１５ｋＨｚであるシナリオとの共存を考慮すれば、ランダムアクセスリソースなしの存続期間は２ｍｓである。例えば、ダウンリンク信号ブロックが０から３の番号を付されたスロットに位置する場合に、ランダムアクセスリソースは、８から１９の番号を付されたスロットのうちの１つ以上に位置する。他の例として、ダウンリンク信号ブロックが４から７の番号を付されたスロットに位置する場合に、ランダムアクセスリソースは、０、１、２、３、及び１２から１９の番号を付されたスロットのうちの１つ以上に位置する。
【０１８６】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表９及び表１０のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【０１８７】
ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が８０ｍｓであり、且つ／あるいは、ダウンリンク信号が０番から３番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表９又は表１０に示される。ダウンリンク信号が位置しているスロットが他のスロットである場合に、ランダムアクセスリソースが位置しているスロットが、ダウンリンク信号が位置しているスロットと重なり合わないという条件で、ランダムアクセスリソースが位置しているスロットも変化してよい。
【０１８８】
上記の表中の全てのスロット及びシステムフレームは、例である。なお、スロット及びシステムフレームは、表中のものに限られない。それらの具体的な置換については、表３及び表４に関する説明を参照されたい。詳細はここで再び記載されない。
【０１８９】
同様に、ランダムアクセスリソースが位置しているスロットは、表９及び表１０のどちらのものにも限られない。それらの具体的な置換については、やはり表３及び表４に関する説明を参照されたい。詳細はここで再び記載されない。
【０１９０】
他の実施形態で、ランダムアクセス構成インデックス５８から６３に対応するスロットインデックスは、他の値であってもよい。例えば、表１１中のランダムアクセス構成インデックスが５８であり、システムフレーム位置Ｍｏｄ（ＳＦＮ，１６）＝１の場合に、スロット位置は、Ｍｏｄ（ＳＦＮ，１６）＝０の場合のものとは異なり、２４乃至３９であり、あるいは、ランダムアクセス構成インデックスが５９であり、システムフレーム位置Ｍｏｄ（ＳＦＮ，１６）＝０の場合に、スロット位置は、Ｍｏｄ（ＳＦＮ，１６）＝１の場合のものとは異なり、２４乃至３９である。同様に、Ｍｏｄ（ＳＦＮ，１６）＝０、Ｍｏｄ（ＳＦＮ，１６）＝１、Ｍｏｄ（ＳＦＮ，１６）＝２、及びＭｏｄ（ＳＦＮ，１６）＝３のうちのいずれか複数について、同様の調整が行われてよい。詳細はここで再び記載されない。
【０１９１】
他の例として、表１２中のランダムアクセス構成インデックスが５８であり、システムフレーム位置Ｍｏｄ（ＳＦＮ，１６）＝１の場合に、スロット位置は、Ｍｏｄ（ＳＦＮ，１６）＝０の場合のものとは異なり、８乃至３９であり、あるいは、ランダムアクセス構成インデックスが５９であり、システムフレーム位置Ｍｏｄ（ＳＦＮ，１６）＝０の場合に、スロット位置は、Ｍｏｄ（ＳＦＮ，１６）＝１の場合のものとは異なり、８乃至３９である。同様に、ランダムアクセス構成インデックスが６０，６１、６２、又は６３である場合に、同様の動作がやはり存在し得る。
【０１９２】
表１１及び表１２中のスロット位置は、６０ｋＨｚのサブキャリア間隔に基づく。他の実施形態では、アップリンク又はダウンリンクデータのサブキャリア間隔は、ランダムアクセスプリアンブルのサブキャリア間隔とは異なるので、アップリンク又はダウンリンクデータのサブキャリア間隔に対応するスロット存続期間は、ランダムアクセスプリアンブルのサブキャリア間隔に対応するスロット存続期間とは異なる。アップリンク又はダウンリンクデータのサブキャリア間隔がランダムアクセスプリアンブルのサブキャリア間隔とは異なる場合に、ランダムアクセスリソース構成表中のスロットは、ランダムアクセスプリアンブルのサブキャリア間隔に基づいてよく、あるいは、アップリンク又はダウンリンクデータのサブキャリア間隔に基づいてよい。代替的に、ネットワークデバイスは指示情報Ｆｌａｇを設定し、Ｆｌａｇ＝０の場合に、それは前者の方法に対応し、あるいは、Ｆｌａｇ＝１の場合に、それは後者の方法に対応する。ランダムアクセスリソース構成表中のスロットがアップリンク又はダウンリンクデータのサブキャリア間隔に基づき、アップリンク又はダウンリンクデータのサブキャリア間隔がランダムアクセスプリアンブルのサブキャリア間隔とは異なる場合に、表１１及び表１２における時間位置インデックス、連続するスロットの数、及びスロット内のランダムアクセスプリアンブル構造のうちの少なくとも１つは、ネットワークデバイス及び端末側でランダムアクセスリソース及びアップリンク又はダウンリンクデータについて時間アライメントが達成されるように、更に調整されてよい。
【０１９３】
例えば、アップリンク又はダウンリンクデータのサブキャリア間隔が１２０ｋＨｚである場合に、表１１及び表１２中のいずれかのスロットインデックスは、２つの連続する１２０ｋＨｚスロットに対応してよく、対応するスロットインデックス及び／又は連続するスロットの数は増減される。具体的に言えば、ランダムアクセスプリアンブルが位置している６０ｋＨｚスロットのインデックスがｋである場合に、スロットは、スロットインデックスが２ｋ及び２ｋ＋１である６０ｋＨｚスロットに調整される。すなわち、ランダムアクセスリソースの絶対時間は変わらないままである。この場合に、スロット内のランダムアクセスプリアンブルの構造は更に調整されてよい。例えば、１つの６０ｋＨｚスロット内のランダムアクセスプリアンブルの構造は、２つの連続する１２０ｋＨｚスロットｋ及びｋ＋１の存続期間に基づいてよい。他の例として、２つの新しい１２０ｋＨｚスロットｋ及びｋ＋１は、６０ｋＨスロットの半分に夫々対応する（すなわち、ダウンリンク信号によって占有されるシンボルの数が７つよりも少ない６０ｋＨｚＯＦＤＭシンボルである構成が表１６、表１７、表１８、表１９、表２０、及び表２１で除かれた後に十分なランダムアクセスリソースを有している任意の構造と同等の７つの６０ｋＨｚＯＦＤＭシンボル）。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【０１９４】
例えば、アップリンク又はダウンリンクデータのサブキャリア間隔が３０ｋＨｚである場合に、表１１及び表１２中のいずれかのスロットインデックスは、３０ｋＨｚスロットの半分に対応してよく、対応するスロットインデックス及び／又は連続するスロットの数は増減される。具体的に言えば、ランダムアクセスプリアンブルが位置している６０ｋＨｚスロットのインデックスがｋである場合に、スロットは、３０ｋＨｚスロットの半分に調整され、あるいは、ランダムアクセスプリアンブルが、インデックスが２ｋ及び２ｋ＋１である２つの連続する６０ｋＨｚスロットに位置する場合に、スロットは、１つの３０ｋＨｚに調整される。すなわち、ランダムアクセスリソースの絶対時間は変わらないままである。この場合に、スロット内のランダムアクセスプリアンブルの構造は更に調整されてよい。例えば、１つの３０ｋＨｚスロット内のランダムアクセスプリアンブルの構造は、２つの連続する６０ｋＨｚスロットｋ及びｋ＋１に基づいてよい。他の例として、３０ｋＨｚスロットの半分は１つの６０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【０１９５】
例えば、アップリンク又はダウンリンクデータのサブキャリア間隔が１５ｋＨｚである場合に、表１１及び表１２中のいずれかのスロットインデックスは、１５ｋＨｚスロットの１／４に対応してよく（例えば、２乃至４つの１５ｋＨｚＯＦＤＭシンボル）、対応するスロットインデックス及び／又は連続するスロットの数は増減される。具体的に言えば、ランダムアクセスプリアンブルが位置している６０ｋＨｚスロットのインデックスがｋである場合に、スロットは、１５ｋＨｚスロットの１／４に調整され、あるいは、ランダムアクセスプリアンブルが、ｋ及びｋ＋１である２つの連続する６０ｋＨｚスロットに位置する場合に、スロットは、１つの１５ｋＨｚに調整され、あるいは、ランダムアクセスプリアンブルが、インデックスがｋ乃至ｋ＋３である４つの連続する６０ｋＨｚスロットに位置する場合に、スロットは、１つの１５ｋＨｚに調整される。すなわち、ランダムアクセスリソースの絶対時間は変わらないままである。この場合に、スロット内のランダムアクセスプリアンブルの構造は更に調整されてよい。例えば、１つの１５ｋＨｚスロット内のランダムアクセスプリアンブルの構造は、４つの連続する６０ｋＨｚスロットｋ乃至ｋ＋３に基づいてよい。他の例として、１５ｋＨｚスロットの半分におけるランダムアクセスプリアンブルの構造は、２つの連続する６０ｋＨｚスロットｋ及びｋ＋１に対応する。他の例として、１つの１５ｋＨｚの１／４は、１つの６０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは最初の方法に対応し、Ｆｌａｇ＝１の場合、それは２番目の調整方法に対応し、あるいは、Ｆｌａｇ＝２の場合に、それは３番目の調整方法に対応する）。
【０１９６】
例えば、表１１及び表１２は、サブキャリア間隔が６０ｋＨｚであり、ダウンリンク信号ブロックの最大数が６４である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【０１９７】
表１１中、ランダムアクセスリソースは、２０から２９番のスロットのうちの１つ以上に配置されている。
【表１１】
2020536421.tif 000029
2020536421.tif 000030
2020536421.tif 000031
【０１９８】
表１２中、ランダムアクセスリソースは、システムフレーム内の全ての位置に配置されてよい。
【表１２】
2020536421.tif 000032
2020536421.tif 000033
2020536421.tif 000034
【０１９９】
サブキャリア間隔が６０ｋＨｚであり、ダウンリンク信号ブロックの最大数が６４である場合に、対応するダウンリンク信号ブロックは、５ｍｓを占有する必要がある。
【０２００】
実施において、時分割モードが、同じ周波数バンドにおいてアップリンク及びダウンリンク通信のために使用され、ランダムアクセスリソースは、システムフレーム内のダウンリンク信号ブロックの時間には配置され得ない。例えば、ダウンリンク信号が１から１９番のスロットに位置する場合に、ランダムアクセスリソースは、２０から３９番のスロットのうちの１つ以上に位置する。他の例として、ダウンリンク信号ブロックが２０から３９番のスロットに位置する場合に、ランダムアクセスリソースは、０から１９番のスロットのうちの１つ以上に位置する。
【０２０１】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１１及び表１２のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【０２０２】
他の実施では、異なる周波数バンドがアップリンク通信及びダウンリンク通信のために使用される。異なる周波数バンドがアップリンク通信及びダウンリンク通信のために使用されるので、ランダムアクセスリソースは、システムフレーム内の全ての時間位置に配置され得る。
【０２０３】
任意に、ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が１６０ｍｓであり、ダウンリンク信号が０から１９番のスロットに位置する場合に、時分割モードが同じ周波数バンドにおいてアップリンク及びダウンリンク通信のために使用されるならば、ランダムアクセス構成インデックスと、組み合わせ［ランダムアクセスリソースが位置しているスロット，ランダムアクセスプリアンブルのフォーマット，システムフレーム位置］との間のマッピング関係は、表１１に示される。異なる周波数バンドがアップリンク及びダウンリンクで使用されるならば、ランダムアクセス構成インデックスと、組み合わせ［ランダムアクセスリソースが位置しているスロット，ランダムアクセスプリアンブルのフォーマット，システムフレーム位置］との間のマッピング関係は、表１２に示される。
【０２０４】
上記の表中の全てのスロット及びシステムフレームは、例である。なお、スロット及びシステムフレームは、表中のものに限られない。例えば、上記の表１１及び表１２で、Ｍｏｄ（ＳＦＮ，１６）＝０は、Ｍｏｄ（ＳＦＮ，１６）＝１乃至Ｍｏｄ（ＳＦＮ，１６）＝１５のうちのいずれか１つで置換されてよい。他の例として、上記の表１１及び表１２で、Ｍｏｄ（ＳＦＮ，８）＝０は、Ｍｏｄ（ＳＦＮ，８）＝１乃至Ｍｏｄ（ＳＦＮ，８）＝７のうちのいずれか１つで置換されてよい。他の場合は同様である。具体的に言えば、上記の実施形態で、Ｍｏｄ（ＳＦＮ，Ｑ）＝０は、Ｍｏｄ（ＳＦＮ，Ｑ）＝１乃至Ｍｏｄ（ＳＦＮ，Ｑ）＝（Ｑ−１）のうちのいずれか１つで置換されてよく、このとき、Ｑは１よりも大きい整数である。詳細は再び記載されない。
【０２０５】
同様に、ランダムアクセスリソースが位置しているスロットは、表１１及び表１２のどちらのものにも限られない。例えば、表１１中、ランダムアクセス構成インデックスが“６”である場合に、ランダムアクセスリソースが位置している対応するスロットは“２０から２７（２０から２７までの全ての整数を示す）”であるが、時分割モードが同じ周波数バンドにおいてアップリンク及びダウンリンクのために使用され、ダウンリンク信号が０から１９番のスロットに位置しているシナリオでは、ランダムアクセスリソースが位置しているスロットは、２０から３９番のスロットのうちのいずれか１つ以上であってよく、例えば、２０から３９番のスロットのうちのいずれか２つの異なる値（ｘ１，ｘ２）であってよい。ここで、上記の表に関する説明を参照されたい。詳細はここで再び記載されない。
【０２０６】
時分割モードが同じ周波数バンドにおいてアップリンク及びダウンリンクで使用される場合に、ダウンリンク信号ブロックが他のスロット番号にマッピングされるならば、その場合は上記の実施形態と同様である。ダウンリンク信号が位置するスロットが他のスロットである場合に、ランダムアクセスリソースが位置するスロットが、ダウンリンク信号が位置するスロットと重なり合わないという条件で、ランダムアクセスリソースが位置するスロットも変化し得る。あるいは、システムフレーム内のスロットと、次のシステムフレームにおいてダウンリンク信号ブロックの前のスロットとは、一緒にマッピングされ、対応するスロット番号は、相応してシフトされる。
【０２０７】
例えば、表１３は、サブキャリア間隔が１２０ｋＨｚであり、ダウンリンク信号ブロックの最大数が６４である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【０２０８】
表１３中、ランダムアクセスリソースは、４０から７９番のスロットのうちの１つ以上に配置されている。
【表１３】
2020536421.tif 000035
2020536421.tif 000036
2020536421.tif 000037
【０２０９】
サブキャリア間隔が１２０ｋＨｚであり、ダウンリンク信号ブロックの最大数が６４である場合に、対応するダウンリンク信号ブロックは、５ｍｓを占有する必要がある。
【０２１０】
実施において、時分割モードが、同じ周波数バンドにおいてアップリンク及びダウンリンクで使用され、ランダムアクセスリソースは、システムフレーム内のダウンリンク信号ブロックの時間には配置され得ない。例えば、ダウンリンク信号が０から３９番のスロットに位置する場合に、ランダムアクセスリソースは、４０から７９番のスロットのうちの１つ以上に位置する。他の例として、ダウンリンク信号ブロックが４０から７９番のスロットに位置する場合に、ランダムアクセスリソースは、０から３９番のスロットのうちの１つ以上に位置する。
【０２１１】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１３のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。他の実施では、異なる周波数バンドがアップリンク及びダウンリンクで使用される。異なる周波数バンドがアップリンク及びダウンリンク通信のために使用されるので、ランダムアクセスリソースは、システムフレームにおいて全ての時間位置に配置され得る。
【０２１２】
任意に、ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が１６０ｍｓであり、ダウンリンク信号が０から３９番のスロットに位置する場合に、時分割モードが同じ周波数バンドにおいてアップリンク及びダウンリンクで使用されるならば、ランダムアクセス構成インデックスと、組み合わせ［ランダムアクセスリソースが位置しているスロット，ランダムアクセスプリアンブルのフォーマット，システムフレーム位置］との間のマッピング関係は、表１３に示される。
【０２１３】
上記の表中の全てのスロット及びシステムフレームは、例である。なお、スロット及びシステムフレームは、表中のものに限られない。例えば、上記の表１３で、Ｍｏｄ（ＳＦＮ，１６）＝０は、Ｍｏｄ（ＳＦＮ，１６）＝１乃至Ｍｏｄ（ＳＦＮ，１６）＝１５のうちのいずれか１つで置換されてよい。他の例として、上記の表１３で、Ｍｏｄ（ＳＦＮ，８）＝０は、Ｍｏｄ（ＳＦＮ，８）＝１乃至Ｍｏｄ（ＳＦＮ，８）＝７のうちのいずれか１つで置換されてよい。他の場合は同様である。具体的に言えば、上記の実施形態で、Ｍｏｄ（ＳＦＮ，Ｑ）＝０は、Ｍｏｄ（ＳＦＮ，Ｑ）＝１乃至Ｍｏｄ（ＳＦＮ，Ｑ）＝（Ｑ−１）のうちのいずれか１つで置換されてよく、このとき、Ｑは１よりも大きい整数である。詳細は再び記載されない。
【０２１４】
他の実施では、表１３中のスロット位置は、他の値、例えば、プリアンブルフォーマット及びシステムフレーム位置が表中同じである場合に設定される２つの値、であってよい。スロット位置が夫々４０乃至４７及び５６乃至６３である場合に（ａ乃至ｂは、ａからｂまでの全ての整数を示し、例えば、２０乃至２７は、２０、２１、２２、２３、２４、２５、２６、及び２７を示す）、スロット位置は他の値、例えば、４０乃至７９のうちのいずれか１６個の異なる値ｘ１乃至ｘ８及びｙ１乃至ｙ８であってよい。スロット位置が４０乃至５５である場合に、スロット位置は他の値、例えば、４０乃至７９のうちのいずれか１６個の異なる値ｘ１乃至ｘ１６であってよい。スロット位置が４０乃至７１である場合に、スロット位置は他の値、例えば、４０乃至７９のうちのいずれか３２個の異なる値ｘ１乃至ｘ３２であってよい。他の実施では、ｘ１乃至ｘ８及びｙ１乃至ｙ８、ｘｄ１乃至ｘ１６及びｙ１乃至ｙ１６、並びにｘ１乃至ｘ３２は、等しいインターバルで分布する。具体的に言えば、ｘ（ｉ＋１）＝ｘｉ＋ｋ１、ここで、ｉ＝１，２，・・・，１６；ｙ（ｉ＋１）＝ｙｉ＋ｋ２、ここで、ｉ＝１，２，・・・，８；及び／又はｙｉ＝ｘｉ＋ｋ３、ここで、ｋ１及びｋ２は１から１６のいずれかの整数であってよく、ｋ３はいずれかの整数であってよい。ｋ１＝ｋ２＝１のとき、２つのスロットは隣接する。
【０２１５】
時分割モードが同じ周波数バンドにおいてアップリンク及びダウンリンクで使用される場合に、ダウンリンク同期信号ブロックが他のスロット番号にマッピングされるならば、同様の方法が、システムフレーム内の他のスロット番号に対して同様の操作を実行するために使用されてよく、あるいは、システムフレームは、次のシステムフレームにおいてダウンリンク同期信号ブロックの前のスロットとともにマッピングされ、対応するスロット番号は、相応してシフトされることが留意されるべきである。例えば、他の実施では、ダウンリンク同期信号ブロックが４０から７９番のスロットに位置する場合には、ランダムアクセスリソースは、０から３９番のスロットに配置される。調整方法は、上記の実施形態におけるそれと同様であり、詳細はここで再び記載されない。
【０２１６】
他の実施形態では、異なる周波数バンドがアップリンク及びダウンリンクで使用される場合に、ｘ１乃至ｘ３２及びｙ１乃至ｙ１６は、０乃至７９のいずれかの異なる整数であってよい。
【０２１７】
更に、他の実施では、ランダムアクセス構成インデックスと、ランダムアクセスリソースが位置するスロットとの間のマッピング関係は、ランダムアクセスプリアンブルのシーケンス長さに基づいて決定されてよい。
【０２１８】
任意に、ランダムアクセス構成インデックスと、組み合わせ［ランダムアクセスリソースが位置しているスロット，ランダムアクセスプリアンブルのフォーマット，システムフレーム位置］との間のマッピング関係は、ランダムアクセスプリアンブルのシーケンス長さに基づいて決定される。
【０２１９】
同じシステムフレーム周期内の複数のスロット位置は、更なるシステムフレームにおいて分布してもよい。例えば、構成インデックスが０である場合に、ランダムアクセスリソースが位置するスロットは、システムフレーム位置Ｍｏｄ（ＳＦＮ，８）＝ｘ１におけるスロットインデックスｉ１乃至ｊ１、システムフレーム位置Ｍｏｄ（ＳＦＮ，８）＝ｘ２におけるスロットインデックスｉ２乃至ｊ２、・・・、システムフレーム位置Ｍｏｄ（ＳＦＮ，８）＝ｘＫにおけるスロットインデックスｉＫ乃至ｊＫであってよく、すなわち、８つのスロットがＫ個のシステムフレームにおいて分布し、各システムフレームは７つのスロットを含む。構成インデックスが１である場合に、ランダムアクセスリソースが位置するスロットは、システムフレーム位置Ｍｏｄ（ＳＦＮ，８）＝ｙ１におけるスロットインデックスｌ１乃至ｍ１、システムフレーム位置Ｍｏｄ（ＳＦＮ，８）＝ｙ２におけるスロットインデックスｌ２乃至ｌ２、・・・、システムフレーム位置Ｍｏｄ（ＳＦＮ，８）＝ｙＫにおけるスロットインデックスｌＫ乃至ｍＫであってよく、すなわち、８つのスロットがＫ個のシステムフレームにおいて分布し、各システムフレームは７つのスロットを含む。任意に、ｘ１乃至ｘＫはｙ１乃至ｙＫまで異なっている。この場合に、いずれかのｋについて、共通部分集合がｉｋ乃至ｊｋとｌｋ乃至ｍｋとの間に存在してもしなくてもよい。任意に、ｘｋ＝ｙｋ、及びｋ＝１乃至Ｋ。この場合に、いずれかのｋについて、ｉｋ乃至ｊｋ及びｌｋ乃至ｍｋは完全に同じであることができない。Ｋは、ランダムアクセスリソースがシステムフレーム周期において分布しているシステムフレームの数を示す。例えば、構成インデックスが表１３中の０及び１である場合に、Ｋは１であり、あるいは、構成インデックスが５８乃至６３である場合に、Ｋは２である。他の実施形態では、Ｋは他の値であってもよい。例えば、Ｋは、１から６４のうちのいずれかの値に等しく、Ｋは、構成インデックスｉにおける対応するランダムアクセスリソースが位置しているシステムフレーム周期Ｐｉよりも小さく、すなわち、構成インデックスに対応するシステムフレーム位置がｍｏｄ（ＳＦＮ，Ｐｉ）＝ｘである場合に、Ｋ≦Ｐｉ。方法は、本明細書中のランダムアクセスリソース構成の全ての実施形態に適用可能であり、詳細はランダムアクセスリソース構成の他の実施形態で再び記載されないことが留意されるべきである。
【０２２０】
他の実施形態では、ランダムアクセス構成インデックス５８乃至６３に対応するスロットインデックスは、他の値であってもよい。例えば、表１１中のランダムアクセス構成インデックスが５８であり、システムフレーム位置Ｍｏｄ（ＳＦＮ，１６）＝１の場合に、スロット位置は、Ｍｏｄ（ＳＦＮ，１６）＝０の場合のそれらとは異なり、２４から３９であり、あるいは、ランダムアクセス構成インデックスが５９であり、システムフレーム位置Ｍｏｄ（ＳＦＮ，１６）＝０の場合に、スロット位置は、Ｍｏｄ（ＳＦＮ，１６）＝１の場合のそれらとは異なり、２４から３９である。同様に、いずれかの複数のＭｏｄ（ＳＦＮ，１６）＝０、Ｍｏｄ（ＳＦＮ，１６）＝１、Ｍｏｄ（ＳＦＮ，１６）＝２、及びＭｏｄ（ＳＦＮ，１６）＝３について、同様の調整が実行されてよい。詳細はここで再び記載されない。
【０２２１】
他の例として、表１２中のランダムアクセス構成インデックスが５８であり、システムフレーム位置Ｍｏｄ（ＳＦＮ，１６）＝１の場合に、スロット位置は、Ｍｏｄ（ＳＦＮ，１６）＝０の場合のそれらとは異なり、８から３９であり、あるいは、ランダムアクセス構成インデックスが５９であり、システムフレーム位置Ｍｏｄ（ＳＦＮ，１６）＝０の場合に、スロット位置は、Ｍｏｄ（ＳＦＮ，１６）＝の場合のそれらとは異なり、８から３９である。同様に、ランダムアクセス構成インデックスが６０、６１、６２、又は６３の場合に、同様の操作がやはり存在してもよい。
【０２２２】
表１１及び表１２中のスロット位置は、６０ｋＨｚのサブキャリア間隔に基づく。他の実施形態では、アップリンク又はダウンリンクデータのサブキャリア間隔は、ランダムアクセスプリアンブルのサブキャリア間隔とは異なるので、アップリンク又はダウンリンクデータのサブキャリア間隔に対応するスロット存続期間は、ランダムアクセスプリアンブルのサブキャリア間隔に対応するスロット存続期間とは異なる。アップリンク又はダウンリンクデータのサブキャリア間隔がランダムアクセスプリアンブルのサブキャリア間隔とは異なる場合に、ランダムアクセスリソース構成表中のスロットは、ランダムアクセスプリアンブルのサブキャリア間隔に基づいてよく、あるいは、アップリンク又はダウンリンクデータのサブキャリア間隔に基づいてよい。代替的に、ネットワークデバイスは指示情報Ｆｌａｇを設定し、Ｆｌａｇ＝０の場合に、それは前者の方法に対応し、あるいは、Ｆｌａｇ＝１の場合に、それは後者の方法に対応する。ランダムアクセスリソース構成表中のスロットがアップリンク又はダウンリンクデータのサブキャリア間隔に基づき、アップリンク又はダウンリンクデータのサブキャリア間隔がランダムアクセスプリアンブルのサブキャリア間隔とは異なる場合に、表１１及び表１２における時間位置インデックス、連続するスロットの数、及びスロット内のランダムアクセスプリアンブル構造のうちの少なくとも１つは、ネットワークデバイス及び端末側でランダムアクセスリソース及びアップリンク又はダウンリンクデータについて時間アライメントが達成されるように、更に調整されてよい。
【０２２３】
例えば、アップリンク又はダウンリンクデータのサブキャリア間隔が１２０ｋＨｚである場合に、表１１及び表１２中のいずれかのスロットインデックスは、２つの連続する１２０ｋＨｚスロットに対応してよく、対応するスロットインデックス及び／又は連続するスロットの数は増減される。具体的に言えば、ランダムアクセスプリアンブルが位置している６０ｋＨｚスロットのインデックスがｋである場合に、スロットは、スロットインデックスが２ｋ及び２ｋ＋１である６０ｋＨｚスロットに調整される。すなわち、ランダムアクセスリソースの絶対時間は変わらないままである。この場合に、スロット内のランダムアクセスプリアンブルの構造は更に調整されてよい。例えば、１つの６０ｋＨｚスロット内のランダムアクセスプリアンブルの構造は、２つの連続する１２０ｋＨｚスロットｋ及びｋ＋１の存続期間であってよい。他の例として、２つの新しい１２０ｋＨｚスロットｋ及びｋ＋１は、６０ｋＨスロットの半分に夫々対応する（すなわち、ダウンリンク信号によって占有されるシンボルの数が７つよりも少ない３０ｋＨｚＯＦＤＭシンボルである構成が表１６、表１７、表１８、表１９、表２０、及び表２１で除かれた後に十分なランダムアクセスリソースを有している任意の構造と同等の７つの６０ｋＨｚＯＦＤＭシンボル）。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【０２２４】
例えば、アップリンク又はダウンリンクデータのサブキャリア間隔が３０ｋＨｚである場合に、表１１及び表１２のいずれかのスロットインデックスは、３０ｋＨｚスロットの半分に対応してよく、対応するスロットインデックス及び／又は連続するスロットの数は増減される。具体的に言えば、ランダムアクセスプリアンブルが位置している６０ｋＨｚスロットのインデックスがｋである場合に、スロットは、３０ｋＨｚスロットの半分に調整され、あるいは、ランダムアクセスプリアンブルが、インデックスが２ｋ及び２ｋ＋１である２つの連続する６０ｋＨｚスロットに位置する場合に、スロットは、１つの３０ｋＨｚに調整される。すなわち、ランダムアクセスリソースの絶対時間は変わらないままである。この場合に、スロット内のランダムアクセスプリアンブルの構造は更に調整されてよい。例えば、１つの３０ｋＨｚスロット内のランダムアクセスプリアンブルの構造は、２つの連続する６０ｋＨｚスロットｋ及びｋ＋１に基づいてよい。他の例として、３０ｋＨｚスロットの半分は１つの６０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【０２２５】
例えば、アップリンク又はダウンリンクデータのサブキャリア間隔が１５ｋＨｚである場合に、表１１及び表１２のいずれかのスロットインデックスは、１つの１５ｋＨｚスロットの１／４に対応してよく（例えば。２乃至４個の１５ｋＨｚＯＦＤＭシンボル）、対応するスロットインデックス及び／又は連続するスロットの数は増減される。具体的に言えば、ランダムアクセスプリアンブルが位置している６０ｋＨｚスロットのインデックスがｋである場合に、スロットは、１５ｋＨｚスロットの１／４に調整され、あるいは、ランダムアクセスプリアンブルが、インデックスがｋ及びｋ＋１である２つの連続する６０ｋＨｚスロットに位置する場合に、スロットは、１つの１５ｋＨｚに調整され、あるいは、ランダムアクセスプリアンブルが、インデックスがｋ乃至ｋ＋３である４つの連続する６０ｋＨｚスロットに位置する場合に、スロットは、１つの１５ｋＨｚスロットに調整される。すなわち、ランダムアクセスリソースの絶対時間は変わらないままである。この場合に、スロット内のランダムアクセスプリアンブルの構造は更に調整されてよい。例えば、１つの１５ｋＨｚスロット内のランダムアクセスプリアンブルの構造は、４つの連続する６０ｋＨｚスロットｋ乃至ｋ＋３に基づいてよい。他の例として、１５ｋＨｚスロットの半分におけるランダムアクセスプリアンブルの構造は、２つの連続する６０ｋＨｚスロットｋ及びｋ＋１に基づいてよい。他の例として、１つの１５ｋＨｚスロットの１／４は、１つの６０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは最初の方法に対応し、Ｆｌａｇ＝１の場合、それは２番目の調整方法に対応し、あるいは、Ｆｌａｇ＝２の場合、それは３番目の調整方法に対応する）。
【０２２６】
例えば、表１４は、ランダムアクセスプリアンブルのシーケンス長さが８３９である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【表１４】
2020536421.tif 000038
2020536421.tif 000039
2020536421.tif 000040
【０２２７】
実施において、アップリンク通信及びダウンリンク通信は、別々に異なる周波数バンドで実行され、そして、干渉を回避するために、他のネットワークデバイスによって送信されるダウンリンク信号のそれとは異なる時間に実行される必要がある。従って、ランダムアクセスリソースは、システムフレームにおいてダウンリンク信号ブロックの時間には配置され得ない。例えば、ダウンリンク信号ブロックが０及び５番のスロットに位置する場合に、ランダムアクセスリソースは、４及び６から９番のスロットのうちの１つ以上に位置する。
【０２２８】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１４のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【０２２９】
他の実施では、時分割モードが、同じ周波数バンドにおいてアップリンク及びダウンリンクで使用され、ランダムアクセスリソースは、システムフレームにおいてダウンリンク信号ブロックの時間に配置され得ない。
【０２３０】
任意に、ランダムアクセス構成インデックスと、組み合わせ［ランダムアクセスリソースが位置しているスロット，ランダムアクセスプリアンブルのフォーマット，システムフレーム位置］との間のマッピング関係は更に、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が１６０ｍｓであり、ダウンリンク信号が０番及び５番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表１４に示される。
【０２３１】
上記の表中の全てのスロット及びシステムフレームは、例である。なお、スロット及びシステムフレームは、表中のものに限られない。例えば、上記の表１４で、Ｍｏｄ（ＳＦＮ，１６）＝０は、Ｍｏｄ（ＳＦＮ，１６）＝１乃至Ｍｏｄ（ＳＦＮ，１６）＝１５のうちのいずれか１つで置換されてよい。他の例として、上記の表１４で、Ｍｏｄ（ＳＦＮ，８）＝０は、Ｍｏｄ（ＳＦＮ，８）＝１乃至Ｍｏｄ（ＳＦＮ，８）＝７のうちのいずれか１つで置換されてよい。他の場合は同様である。具体的に言えば、上記の実施形態で、Ｍｏｄ（ＳＦＮ，Ｑ）＝０は、Ｍｏｄ（ＳＦＮ，Ｑ）＝１乃至Ｍｏｄ（ＳＦＮ，Ｑ）＝（Ｑ−１）のうちのいずれか１つで置換されてよく、このとき、Ｑは１よりも大きい整数である。詳細は再び記載されない。
【０２３２】
同様に、ランダムアクセスリソースが位置しているスロットは、表１４に限られない。詳細については、上記の実施形態を参照されたい。詳細はここで再び記載されない。
【０２３３】
時分割モードが同じ周波数バンドにおいてアップリンク及びダウンリンクで使用される場合に、ダウンリンク信号ブロックが他のスロット番号にマッピングされるならば、その場合は上記の実施形態と同様である。ダウンリンク信号が位置するスロットが他のスロットである場合に、ランダムアクセスリソースが位置するスロットが、ダウンリンク信号が位置するスロットと重なり合わないという条件で、ランダムアクセスリソースが位置するスロットも変化し得る。あるいは、システムフレーム内のスロットと、次のシステムフレームにおいてダウンリンク信号ブロックの前のスロットとは、一緒にマッピングされ、対応するスロット番号は、相応してシフトされる。
【０２３４】
例えば、表１５は、ランダムアクセスプリアンブルのシーケンス長さが１２７又は１３９である場合の、ランダムアクセス構成インデックスと、組み合わせ［ランダムアクセスリソースが位置しているスロット，ランダムアクセスプリアンブルのフォーマット，システムフレーム位置］との間のマッピング関係を示す。
【表１５】
2020536421.tif 000041
2020536421.tif 000042
2020536421.tif 000043
【０２３５】
表１５に示されるマッピング関係は、異なるサブキャリア間隔及びダウンリンク信号ブロックの異なる最大数に適用可能である。
【０２３６】
実施において、異なる周波数バンドがアップリンク及びダウンリンクで使用される。異なる周波数バンドがアップリンク及びダウンリンク通信のために使用されるので、ランダムアクセスリソースは、システムフレーム内の全ての時間位置に配置され得る。
【０２３７】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１５のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【０２３８】
他の実施では、時分割モードが同じ周波数バンドにおいてアップリンク及びダウンリンクで使用され、対応するダウンリンク信号ブロックは５ｍｓを占有する必要があり、ランダムアクセスリソースは、システムフレームにおいてダウンリンク信号ブロックの時間に配置され得ない。例えば、ダウンリンク信号ブロックが０から４番のスロットに位置する場合に、ランダムアクセスリソースは、５から９番のスロットのうちの１つ以上に位置する。他の例として、ダウンリンク信号ブロックが５から９番のスロットに位置する場合に、ランダムアクセスリソースは、０から４番のスロットのうちの１つ以上に位置する。
【０２３９】
任意に、ランダムアクセス構成インデックスと、組み合わせ［ランダムアクセスリソースが位置しているスロット，ランダムアクセスプリアンブルのフォーマット，システムフレーム位置］との間のマッピング関係は更に、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が１６０ｍｓであり、ダウンリンク信号が０番から４番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表１５に示される。
【０２４０】
上記の表中の全てのスロット及びシステムフレームは、例である。なお、スロット及びシステムフレームは、表中のものに限られない。例えば、上記の表１５で、Ｍｏｄ（ＳＦＮ，１６）＝０は、Ｍｏｄ（ＳＦＮ，１６）＝１乃至Ｍｏｄ（ＳＦＮ，１６）＝１５のうちのいずれか１つで置換されてよい。他の例として、上記の表１５で、Ｍｏｄ（ＳＦＮ，８）＝０は、Ｍｏｄ（ＳＦＮ，８）＝１乃至Ｍｏｄ（ＳＦＮ，８）＝７のうちのいずれか１つで置換されてよい。他の場合は同様である。具体的に言えば、上記の実施形態で、Ｍｏｄ（ＳＦＮ，Ｑ）＝０は、Ｍｏｄ（ＳＦＮ，Ｑ）＝１乃至Ｍｏｄ（ＳＦＮ，Ｑ）＝（Ｑ−１）のうちのいずれか１つで置換されてよく、このとき、Ｑは１よりも大きい整数である。詳細は再び記載されない。
【０２４１】
同様に、ランダムアクセスリソースが位置しているスロットは、表１５に限られない。詳細については、上記の実施形態を参照されたい。詳細はここで再び記載されない。
【０２４２】
時分割モードが同じ周波数バンドにおいてアップリンク及びダウンリンクで使用される場合に、ダウンリンク信号ブロックが他のスロット番号にマッピングされるならば、その場合は上記の実施形態と同様である。ダウンリンク信号が位置するスロットが他のスロットである場合に、ランダムアクセスリソースが位置するスロットが、ダウンリンク信号が位置するスロットと重なり合わないという条件で、ランダムアクセスリソースが位置するスロットも変化し得る。あるいは、システムフレーム内のスロットと、次のシステムフレームにおいてダウンリンク信号ブロックの前のスロットとは、一緒にマッピングされ、対応するスロット番号は、相応してシフトされる。
【０２４３】
上記の式のＭｏｄ（ｘ、ｙ）は、モジュロ演算を示し、ｘ％ｙとも表されることがあり、あるいは、ｘ  Ｍｏｄ  ｙと表されてもよいことが留意されるべきである。
【０２４４】
上記の表３から表１５において、ランダムアクセスリソースが位置するスロットは、システムフレームのスロット番号を示し、表中のシステムフレーム位置は、ランダムアクセスリソース周期としても考えられてよい。
【０２４５】
表３から表１３に対応する実施形態で、各ランダムアクセス構成インデックスに対応するスロットは、ランダムアクセスプリアンブルの複数のスロット構造に関連付けられてよい。
【０２４６】
図７Ａ及び図７Ｂは、本願の実施形態に従うランダムアクセス方法におけるランダムアクセスプリアンブルの略構造図である。図８Ａ及び図８Ｂは、本願の他の実施形態に従うランダムアクセス方法におけるランダムアクセスプリアンブルの略構造図である。図９Ａ及び図９Ｂは、本願の他の実施形態に従うランダムアクセス方法におけるランダムアクセスプリアンブルの略構造図である。図１０Ａ及び図１０Ｂは、本願の他の実施形態に従うランダムアクセス方法におけるランダムアクセスプリアンブルの略構造図である。図１１Ａ及び図１１Ｂは、本願の他の実施形態に従うランダムアクセス方法におけるランダムアクセスプリアンブルの略構造図である。図１２Ａ及び図１２Ｂは、本願の他の実施形態に従うランダムアクセス方法におけるランダムアクセスプリアンブルの略構造図である。図１３Ａ及び図１３Ｂは、本願の他の実施形態に従うランダムアクセス方法におけるランダムアクセスプリアンブルの略構造図である。図１４Ａ及び図１４Ｂは、本願の他の実施形態に従うランダムアクセス方法におけるランダムアクセスプリアンブルの略構造図である。図１５Ａ及び図１５Ｂは、本願の他の実施形態に従うランダムアクセス方法におけるランダムアクセスプリアンブルの略構造図である。
【０２４７】
例えば、図７Ａ及び図７Ｂ乃至図１５及び図１５Ｂは、ランダムアクセスプリアンブルの９つのスロット構造を示す。
【０２４８】
任意に、複数のランダムアクセス構造は、複数のランダムアクセスリソース時間密度に対応する。例えば、図７Ａ及び図７Ｂ乃至図９Ａ及び図９Ｂ、並びに図１２Ａ及び図１２Ｂ並びに図１５Ａ及び図１５Ｂは夫々、異なるスロット又はＯＦＤＭシンボル位置におけるランダムアクセスリソースを示すが、サブフレーム内のスロットにおけるランダムアクセスリソースの数は同じである。他の例として、図９Ａ及び図９Ｂ乃至図１１Ａ乃至図１１Ｂは夫々、各スロットが２つ、４つ、又は６つのランダムアクセスリソースを含むことを示す（プリアンブルフォーマットはＡ１又はＢ１である）。
【０２４９】
任意に、複数のスロットにおけるランダムアクセスリソースの数は、異なる。例えば、図１５Ａ及び図１５Ｂにおいて３０ｋＨｚ、６０ｋＨｚ、及び１２０ｋＨｚのサブキャリア間隔を有しているサブフレームで、奇数スロットのリソースの数は、偶数スロットのリソースの数とは異なる。上記の｛図７Ａ及び図７Ｂ乃至図１１及び図１１Ｂ｝並びに｛図１２Ａ及び図１２Ｂ及び図１５Ａ及び図１５Ｂ｝は夫々、ランダムアクセスプリアンブルフォーマットＡ１及びＢ１、並びにＡ２及びＢ２を対象とする。実際に、ランダムアクセスプリアンブルフォーマットは、それらのランダムアクセスプリアンブルフォーマットに制限されず、いずれかの他の１つ以上のランダムアクセスプリアンブルフォーマットであってよい。
【０２５０】
例えば、｛図７Ａ及び図７Ｂ乃至図１１Ａ及び図１１Ｂ｝並びに｛図１２Ａ及び図１２Ｂ乃至図１５Ａ及び図１５Ｂ｝の中の各図は、４つの異なるサブキャリア間隔、１５ｋＨｚ、３０ｋＨｚ、６０ｋＨｚ、及び１２０ｋＨｚでのランダムアクセス構造を示す。実際に、特定のランダムアクセス構造は、ネットワークデバイスによって設定若しくは前もってセットされたサブキャリア間隔、及び／又はランダムアクセス構造の指示情報に基づいて、決定される。具体的に言えば、異なるサブキャリア間隔で、異なるランダムアクセス構造は、図中の対応するサブキャリア間隔における構造のうちのいずれか１つであってよく、図中の対応の組み合わせに制限されない。例えば、１５ｋＨｚで、ランダムアクセス構造の指示情報が０である場合に、それは図７Ａ及び図７Ｂの構造に対応し、あるいは、ランダムアクセス構造の指示情報が１である場合に、それは図７Ａ及び図７Ｂ乃至図９Ａ及び図９Ｂの構造に対応し、３０ｋＨｚで、ランダムアクセス構造の指示情報が０である場合に、それは図７Ａ及び図７Ｂの構造に対応し、あるいは、ランダムアクセス構造の指示情報が１である場合に、それは図８Ａ及び図８Ｂの構造に対応する。
【０２５１】
ネットワークデバイスは、シグナリングを使用することによって現在のランダムアクセス構成インデックス及びランダムアクセスプリアンブルの構造情報を示す。端末デバイスは、ランダムアクセスリソースが位置しているスロット又若しくはサブフレーム、開始ＯＦＤＭシンボル位置、存続期間、又は終了位置、及びランダムアクセスリソースの数を、ランダムアクセスプリアンブルのシーケンス長さ、ランダムアクセスプリアンブルのサブキャリア間隔、ランダムアクセスプリアンブルフォーマット、ランダムアクセスリソースのサービングセル識別、ランダムアクセスリソースのキャリア周波数情報、キャリア周波数範囲、サービスタイプ、ダウンリンク信号の最大数、実際に送信されるダウンリンク信号に関する情報、同じ時間でのランダムアクセスリソース周波数の数、ランダムアクセスリソース周期、ダウンリンク信号とランダムアクセスリソースとの間の関連付け関係、ダウンリンク信号に関連付けられたランダムアクセスリソースの数、ランダムアクセス構成インデックス、及びランダムアクセス構造の指示情報に基づいて取得する。シグナリングは、ラジオ・リソース・コントロール（radio  resource  control，ＲＲＣ）シグナリング、システム情報（system  information，ＳＩ）、媒体アクセス制御−制御要素（Medium  access  control-control  element，ＭＡＣ  ＣＥ）シグナリング、ダウンリンク制御情報（downlink  control  information，ＤＣＩ）、物理ダウンリンク制御チャネル次数（physical  downlink  control  channel，ＰＤＣＣＨ  ｏｒｄｅｒ）、などであってよい。
【０２５２】
例えば、ランダムアクセスプリアンブルのサブキャリア間隔は、ランダムアクセスプリアンブルのサブキャリア間隔に関してネットワークデバイスによって示される情報及びランダムアクセスリソースの周波数に基づいて、決定される。ランダムアクセスリソースが６ＧＨｚよりも低い周波数バンドに位置し、ランダムアクセスプリアンブルのサブキャリア間隔に関してネットワークデバイスによって示される情報が第１の前もってセットされた値（例えば、０）である場合に、ランダムアクセスプリアンブルのサブキャリア間隔は１５ｋＨｚであり、ランダムアクセスリソースが６ＧＨｚよりも低い周波数バンドに位置し、ランダムアクセスプリアンブルのサブキャリア間隔に関してネットワークデバイスによって示される情報が第２の前もってセットされた値（例えば、１）である場合に、ランダムアクセスプリアンブルのサブキャリア間隔は３０ｋＨｚであり、ランダムアクセスリソースが６ＧＨｚよりも高い周波数バンドに位置し、ランダムアクセスプリアンブルのサブキャリア間隔に関してネットワークデバイスによって示される情報が第１の前もってセットされた値（例えば、０）である場合に、ランダムアクセスプリアンブルのサブキャリア間隔は６０ｋＨｚであり、あるいは、ランダムアクセスリソースが６ＧＨｚよりも高い周波数バンドに位置し、ランダムアクセスプリアンブルのサブキャリア間隔に関してネットワークデバイスによって示される情報が前もってセットされた値（例えば、１）である場合に、ランダムアクセスプリアンブルのサブキャリア間隔は１２０ｋＨｚである。
【０２５３】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は同じである。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。
【０２５４】
ランダムアクセス構造は、１つ以上のスロット／サブフレーム内で１つ以上のランダムアクセスプリアンブル又はリソースを有している構造であるか、あるいは、例えば、表２２乃至表２４に示されるように、１つ以上のＯＦＤＭシンボルにおいて１つ以上のランダムアクセスプリアンブル又はリソースを有している構造であってよいことが留意されるべきである。他の実施形態では、ランダムアクセス構造におけるランダムアクセスリソースは、代替的に他の形をとってもよい。例えば、ランダムアクセス構造において、１つのスロットが参照のために使用され、複数のスロットが新しいランダムアクセス構造を形成し（例えば、ランダムアクセスリソースは時間において連続していなくてもよい）、ランダムアクセス構造において、１つのスロットが参照のために使用され、１つ以上のサブフレーム内のスロットが新しいランダムアクセス構造を形成し（例えば、ランダムアクセスリソースは時間において連続していなくてもよい）、あるいは、ランダムアクセス構造において、複数のＯＦＤＭシンボルが参照のために使用され、１つ以上のスロットが新しいランダムアクセス構造を形成する（例えば、ランダムアクセスリソースは時間において連続していなくてもよい）。
【０２５５】
図１６は、本願の実施形態に従うランダムアクセス方法におけるランダムアクセス構造の概略図である。
【０２５６】
図１６で、ランダムアクセスリソースの時間範囲は、Ｔ個のスロットによって示され、このとき、Ｔは、０よりも大きい整数である。
【０２５７】
図１６に示されるように、ダウンリンクデータ及び／又はアップリンクデータが、Ｔ個のスロットに存在してよく、Ｐ個のランダムアクセスプリアンブルフォーマット及びダウンリンクデータは夫々時間において連続しており、Ｐ個のランダムアクセスプリアンブルは異なるフォーマットを使用してよい。Ｋ１は、ダウンリンクデータによって占有されるＯＦＤＭシンボルの数を示し、Ｋ２は、ランダムアクセスプリアンブルフォーマットの前の第１アップリンクデータによって占有されるＯＦＤＭシンボルの数（又は存続期間）を示し、Ｋ３は、ランダムアクセスプリアンブルフォーマットの後の第２ダウンリンクデータによって占有されるＯＦＤＭシンボルの数を示し、Ｓは、アップリンク又はダウンリンク切り替え時間によって占有されるＯＦＤＭシンボルの数を示す。
【０２５８】
図１６のＯＦＤＭシンボルは、参照のためにアップリンク又はダウンリンクデータのサブキャリア間隔を使用する。
【０２５９】
例えば、Ｔ＝１の場合に、アップリンクデータ及びダウンリンクデータのサブキャリア間隔は、ランダムアクセスプリアンブルのそれと同じである。この場合に、Ｋ１、Ｋ２、及びＫ３は、０から１２個のＯＦＤＭシンボルであってよい。例えば、Ｐ＝８、全てのランダムアクセスプリアンブルフォーマットは同じであってＡ０であり、Ｋ１＝４、Ｋ２＝０、Ｋ３＝０、及びＳ＝２個のＯＦＤＭシンボル。他の例として、Ｐ＝８、全てのランダムアクセスプリアンブルフォーマットはＣ０であり、Ｋ１＝０、Ｋ２＝０、Ｋ３＝０、及びＳ＝２個のＯＦＤＭシンボル。他の例として、Ｐ＝２、全てのランダムアクセスプリアンブルフォーマットはＣ２であり、Ｋ１＝３、Ｋ２＝０、Ｋ３＝０、及びＳ＝２個のＯＦＤＭシンボル。他の実施形態では、Ｋ１、Ｋ２、及びＫ３のうちの少なくとも１つは固定値である。例えば、Ｋ１は０に固定される。他の例として、Ｋ２は０に固定される。他の例として、Ｋ３は０に固定される。他の実施では、Ｋ１、Ｋ２、Ｋ３、Ｐ、Ｓ、及びＴの特定の値は、ランダムアクセスプリアンブルフォーマット、ランダムアクセスプリアンブルのシーケンス長さ、ランダムアクセスプリアンブルのサブキャリア間隔、ランダムアクセス構成インデックス、ダウンリンク信号の数、時間−周波数リソースのキャリア周波数範囲、周波数バンドによってサポートされるサービスタイプ、及び周波数バンドにおける基準時間での波形パラメータ（例えば、サブキャリア又はフレーム構造）のうちの少なくとも１つに関係がある。アップリンクデータ及びダウンリンクデータの総存続期間Ｐ個のランダムアクセスプリアンブルの総存続期間、並びにダウンリンクからアップリンクへの切り替え時間Ｓの和は、Ｔ個のスロットの存続期間を超えない。例えば、Ｔ及びＰは、ランダムアクセスプリアンブルフォーマット及びランダムアクセスプリアンブルのサブキャリア間隔（又は対応するサブキャリア間隔インデックス）に関係がある。ランダムアクセスプリアンブルのサブキャリア間隔インデックスがｕであり、対応するサブキャリア間隔が１５×２ｕｋＨｚである場合に、対応するＴ＝２ｕ個のスロット、及びＰ＝ｐ０×２ｕ、このとき、Ｐ０は、シグナリングを使用することによってネットワークデバイスによって指示及び設定される値であるか、あるいは、ランダムアクセスプリアンブルフォーマットに関係がある前もって定義された値である。
【０２６０】
しかし、これは制限されない。続く表１６乃至表２４では、夫々の切り替え時間ｉ（アップリンク−ダウンリンク切り替え時間を示す）のカラムにおいて、第１サブカラムは、切り替え時間（Ｓとして表され、時間単位はκ・２ｕである）を示し、第２サブカラムは、Ｔ個のスロット内のＯＦＤＭシンボルの数（Ｍとして表され、他のアップリンク及びダウンリンクデータを示す）を示し、第３サブカラムは、Ｔ個のスロット内のＲＯ（ランダムアクセスリソース）の数（Ｓとして表される）を示し、このとき、Ｍ＝Ｋ１＋Ｋ２＋Ｋ３である。
【０２６１】
任意に、各切り替え時間ｉの第１サブカラムは同じであって、ｉ×２１９２時間（単位はκ・２ｕである）である。切り替え時間が時間０又は０．５ｍｓに及ぶ場合に、１６の時間（単位はκ・２ｕである）が相応して加えられる。
【０２６２】
実施形態において、第２アップリンクデータによって占有されるＯＦＤＭシンボルの数Ｋ３は０に等しい。この場合に、Ｔ個のスロット内の第１ランダムアクセスリソースの開始時間は（２１９２×Ｍ＋Ｓ）×κ×２ｕ基本時間単位であり、ｐ番目のランダムアクセスリソースの開始時間は（２１９２×Ｍ＋Ｓ）×κ×２ｕ＋ｐ×Ｎであり、このとき、ｐ＝０，１，・・・，Ｐ−１、Ｎ＝Ｎｕ＋ＮＣＰＲＡ＋ＮＧＴＲＡ又はＮ＝Ｎｕ＋ＮＣＰＲＡ（表１及び表２で記載されるように、Ｎｕはランダムアクセスプリアンブルのシーケンス長さであり、ＮＣＰＲＡはランダムアクセスプリアンブルフォーマットの巡回プレフィックス長さであり、ＮＧＴＲＡはランダムアクセスプリアンブルフォーマットの保護インターバルである）。実施形態において、第２アップリンクデータによって占有されるＯＦＤＭシンボルの数Ｋ３は０に等しい。この場合に、Ｔ個のスロット内の第１ランダムアクセスリソースの開始時間は（２１９２×（Ｋ１＋Ｋ２）＋Ｓ）×κ×２ｕ基本時間単位であり、ｐ番目のランダムアクセスリソースの開始時間は（２１９２×Ｍ＋Ｓ）×κ×２ｕ＋ｐ×Ｎであり、このとき、ｐ＝０，１，・・・，Ｐ−１。
【０２６３】
ダウンリンクデータ、アップリンクデータ、切り替え時間、又はランダムアクセスプリアンブルが、ｎ個のサブフレームの開始時間又はサブフレームの中央値（例えば、Ｑが整数であるとして、Ｑ＋０．５ｍｓ）に及ぶ場合に、ランダムアクセスプリアンブルの巡回プリフィックス又は保護期間が相応して、１６×ｎ×κ×２ｕ基本時間単位だけ延ばされるか、あるいは、ランダムアクセスプリアンブルを送信する時間が、１６×ｎ×κ×２ｕ基本時間単位だけ前進される。他の実施形態では、各ランダムアクセスプリアンブルを送信する時間は、ランダムアクセスリソースの時間（例えば、サブフレーム、スロット、開始ＯＦＤＭシンボル、及び終了ＯＦＤＭシンボルのうちの少なくとも１つ）に対して、８×ｍ×κ×２ｕ基本だけ前進され、このとき、ｍは、前もって設定された値又は、シグナリングを使用することによってネットワークデバイスによって設定される値であり、ｍ＝０乃至４０９５である。
【０２６４】
他の実施形態では、Ｐは、ランダムアクセスプリアンブルフォーマット、ランダムアクセスプリアンブルのシーケンス長さ、ランダムアクセスプリアンブルのサブキャリア間隔、ダウンリンク信号の最大数、実際に送信されるダウンリンク信号、サービスタイプ、及びキャリア周波数に関係がある。任意に、Ｔ個のスロットごとのランダムアクセスリソースの数Ｐは２ｋに等しく、このとき、ｋは０乃至８に等しい。例えば、Ｔ＝１、ダウンリンク信号の最大数が４であり、ランダムアクセスプリアンブルフォーマットがＡ０、Ｃ０、Ａ１、又はＢ１である場合に、Ｐ＝４である。他の例として、Ｔ＝１、ダウンリンク信号の最大数が８であり、ランダムアクセスプリアンブルフォーマットがＡ０又はＣ０である場合に、Ｐ＝８である。他の例として、Ｔ＝１、ランダムアクセスプリアンブルフォーマットがＡ１、Ａ３、又はＣ２である場合に、Ｐ＝２である。他の例として、Ｔ＝１、ランダムアクセスプリアンブルフォーマットがＢ４である場合に、Ｐ＝１である。
【０２６５】
他の実施形態では、Ｔ及びＰは、ランダムアクセスプリアンブルフォーマット、ランダムアクセスプリアンブルのシーケンス長さ、ランダムアクセスプリアンブルのサブキャリア間隔、ダウンリンク信号に関連付けられたランダムアクセスリソースの数、ダウンリンク信号の最大数、実際に送信されるダウンリンク信号、サービスタイプ、及びキャリア周波数に関係がある。例えば、ランダムアクセスプリアンブルのサブキャリア間隔が１５ｋＨｚ又は３０ｋＨｚであり、ダウンリンク信号の最大数が４であり、ランダムアクセスプリアンブルフォーマットがＡ０、Ｃ０、Ａ１、又はＢ１である場合に、Ｔ＝１、及びＰ＝４である。他の例として、ランダムアクセスプリアンブルのサブキャリア間隔が１５ｋＨｚ又は３０ｋＨｚであり、ダウンリンク信号の最大数が４であり、ランダムアクセスプリアンブルフォーマットがＡ２、Ａ３、又はＣ２である場合に、Ｔ＝２、及びＰ＝２である。他の例として、ランダムアクセスプリアンブルのサブキャリア間隔が１５ｋＨｚ又は３０ｋＨｚであり、ダウンリンク信号の最大数が４であり、ランダムアクセスプリアンブルフォーマットがＢ４である場合に、Ｔ＝４、及びＰ＝１である。他の例として、ランダムアクセスプリアンブルのサブキャリア間隔が１５ｋＨｚ又は３０ｋＨｚであり、ダウンリンク信号の最大数が８であり、ランダムアクセスプリアンブルフォーマットがＡ０、Ｃ０、Ａ１、又はＢ１である場合に、Ｔ＝１、及びＰ＝８である。他の例として、ランダムアクセスプリアンブルのサブキャリア間隔が１５ｋＨｚ又は３０ｋＨｚであり、ダウンリンク信号の最大数が８であり、ランダムアクセスプリアンブルフォーマットがＡ２、Ａ３、又はＣ２である場合に、Ｔ＝４、及びＰ＝２である。他の例として、ランダムアクセスプリアンブルのサブキャリア間隔が１５ｋＨｚであり、ダウンリンク信号の最大数が８であり、ランダムアクセスプリアンブルフォーマットがＢ４である場合に、Ｔ＝４、及びＰ＝１である。他の例として、ランダムアクセスプリアンブルのサブキャリア間隔が３０ｋＨｚであり、ダウンリンク信号の最大数が８であり、ランダムアクセスプリアンブルフォーマットがＢ４である場合に、Ｔ＝８、及びＰ＝１である。
【０２６６】
表１６では、Ｔ＝１が一例として使用される。
【表１６】
2020536421.tif 000044
2020536421.tif 000045
2020536421.tif 000046
【０２６７】
表１７では、Ｔ＝２が一例として使用される。
【表１７】
2020536421.tif 000047
2020536421.tif 000048
2020536421.tif 000049
2020536421.tif 000050
【０２６８】
表１８では、Ｔ＝３が一例として使用される。
【表１８】
2020536421.tif 000051
2020536421.tif 000052
2020536421.tif 000053
2020536421.tif 000054
【０２６９】
表１９では、Ｔ＝４が一例として使用される。
【表１９】
2020536421.tif 000055
2020536421.tif 000056
2020536421.tif 000057
2020536421.tif 000058
【０２７０】
表２０では、Ｔ＝５が一例として使用される。
【表２０】
2020536421.tif 000059
2020536421.tif 000060
2020536421.tif 000061
【０２７１】
表２１では、Ｔ＝６が一例として使用される。
【表２１】
2020536421.tif 000062
2020536421.tif 000063
2020536421.tif 000064
2020536421.tif 000065
【０２７２】
表２２では、Ｔ＝１／２（すなわち、７つのＯＦＤＭシンボル）が一例として使用される。
【表２２】
2020536421.tif 000066
2020536421.tif 000067
【０２７３】
表２３では、Ｔ＝１／４（すなわち、４つのＯＦＤＭシンボル）が一例として使用される。
【表２３】
2020536421.tif 000068
【０２７４】
表２４では、Ｔ＝２／１４（すなわち、２つのＯＦＤＭシンボル）が一例として使用される。
【表２４】
2020536421.tif 000069
【０２７５】
上記の表中の「フォーマット」は、ランダムアクセスプリアンブルのフォーマットである。
【０２７６】
図１７は、本願の他の実施形態に従うランダムアクセス方法におけるスロット構造の概略図である。図１８は、本願の更なる他の実施形態に従うランダムアクセス方法におけるスロット構造の概略図である。
【０２７７】
同じランダムアクセス構成インデックスに基づいて決定される内容、すなわち、同じランダムアクセスリソースが位置しているスロット、ランダムアクセスプリアンブルのフォーマット、システムフレーム位置、などについては、具体的な配置は代替的に異なってもよい。ネットワークデバイスは、構造フラグビットを運ぶ構造指示情報を端末へ送信してよい。
【０２７８】
例えば、構造フラグビットが“１”である場合に、Ｔ個のスロット内のランダムアクセスプリアンブルの分布は、図１７に示される。構造フラグビットが“０”である場合に、Ｔ個のスロット内のランダムアクセスプリアンブルの分布は、図１８に示される。
【０２７９】
具体的に、Ｔ＝１の場合に、図１７の構造は２つのランダムアクセスプリアンブルを含み、表３中のインデックス２６に対応するランダムアクセスプリアンブルフォーマットが、ランダムアクセスプリアンブルフォーマットの例として使用される。
【０２８０】
Ｔ＝２の場合に、図１８の構造は４つのランダムアクセスプリアンブルを含み、表３中のインデックス２６に対応するランダムアクセスプリアンブルフォーマットが、ランダムアクセスプリアンブルフォーマットの例として使用される。
【０２８１】
更に、ネットワークデバイスによって実際に送信されるダウンリンク信号ブロックが変化する場合に、ランダムアクセス周期内のランダムアクセスリソースも変化し得る。
【０２８２】
具体的に、ランダムアクセスリソースはダウンリンク信号と関連付けられ、１つのダウンリンク信号は、１つ以上のランダムアクセスリソースに対応する。ダウンリンク同期中に、端末は、ダウンリンク信号ｉを選択し、関連付け関係に基づいて、ダウンリンク信号ｉに対応するランダムアクセスリソースの時間−周波数位置を決定する。ランダムアクセス構成において、最大ダウンリンク信号セット（又はダウンリンク信号掃引期間）内のダウンリンク信号と関連付けられたランダムアクセスリソースは、まさに、１つのランダムアクセス周期内のランダムアクセスリソースである（１つのダウンリンク信号は、１つ以上のリソースと関連付けられてよく、同じダウンリンク信号に関連付けられた複数のリソースは、時間において連続的であってよく、あるいは、時間において連続していなくてもよい）。最大ダウンリンク信号セットは、キャリア周波数又は周波数バンドに対応する許可されたダウンリンク信号ブロックの最大数であってよい（例えば、３ギガヘルツ（ＧＨｚ）を下回る最大ダウンリンク信号セットは４つのダウンリンク信号ブロックを含む）。
【０２８３】
例えば、ダウンリンク信号セットが４つのダウンリンク信号ブロックを含み、ランダムアクセス構成インデックスが２６である場合に、ランダムアクセスリソースの構造は図１７に示され、このとき、周波数領域にはただ１つのランダムアクセスリソースしかなく、各ダウンリンク信号ブロックは１つの時間でのランダムアクセスリソースと関連付けられる。具体的に言えば、ダウンリンク信号セット内のダウンリンク信号ブロックと関連付けられたランダムアクセスリソースは、まさに、１つのランダムアクセス周期内の特定のリソースである。
【０２８４】
しかし、実際の用途では、ダウンリンク信号セット内の、ネットワークデバイスによって実際に送信されるダウンリンク信号ブロックは、調整されてよい。例えば、ダウンリンク信号セット内のダウンリンク信号の一部しか送信されない。調整は、ダウンリンク信号とランダムアクセスリソースとの間の対応に影響を及ぼす。固定ランダムアクセスリソースが使用される場合に、ダウンリンク信号セット内のダウンリンク信号ブロックと関連付けられたランダムアクセスリソースの時間−周波数位置の不確かさは、不可避的に生じる。任意に、最大ダウンリンク信号セット内の実際に送信されるダウンリンク信号ブロックに基づいて、ランダムアクセス周期内のランダムアクセスリソースが、相応して調整され、且つ／あるいは、ダウンリンク信号ブロックと関連付けられたランダムアクセスリソースの数が調整される。例えば、実施は、実際に送信されるダウンリンク信号ブロック（信号インデックスｉ）をランダムアクセス周期内のランダムアクセスリソース（リソースインデックスｉ）に対して順次マッピングし、他のアップリンク若しくはダウンリンク通信のためにランダムアクセスリソースの残りのランダムアクセスリソースを解放すること、又は予め設定されたルール若しくはネットワークデバイスによって指定されたルールに従ってランダムアクセス周期内のランダムアクセスリソースの構造を調整すること、である。具体的に、最大ダウンリンク信号セットＮ＝４の中の２つのダウンリンク信号ブロックが実際に送信される場合に、図１７に示される構造では、スロット２又はスロット３のランダムアクセスリソースがリザーブされてよく、残りのランダムアクセスリソースは他の目的のために解放される。代替的に、フォーマットがＢ１であるランダムアクセスリソースは、図１７ではスロット２及びスロット３の夫々でリザーブされ、フォーマットがＡ１である２つのランダムアクセスリソースは、他の目的のために解放される。代替的に、２つの実際に送信されるダウンリンク信号ブロックと関連付けられたランダムアクセスリソースの数は２に調整され、ダウンリンク信号ブロックをランダムアクセスリソースと関連付ける方法は、前もってセットされたルールに従って調整されてよく、あるいは、ネットワークデバイスが、関連付け方法を指示する。例えば、第１ダウンリンク信号ブロックと関連付けられたランダムアクセスリソースはインデックス１及び２（１又は３）に調整され、第２ダウンリンク信号ブロックと関連付けられたランダムアクセスリソースはインデックス３及び４（相応して、２又は４）に調整される。他の例として、最大ダウンリンク信号セットＮ＝４の中の３つのダウンリンク信号が実際に送信される場合に、図１７に示される構造では、スロット２の全てのランダムアクセスリソース、及びスロット３の、フォーマットがＡ１であるランダムアクセスリソースのみがリザーブされ、スロット３の、フォーマットがＡ１であるランダムアクセスリソースは、他の目的のために解放される。代替的に、図１７では、スロット３の全てのランダムアクセスリソース、及びスロット２の、フォーマットがＢ１であるランダムアクセスリソースがリザーブされ、スロット２の、フォーマットがＡ１であるランダムアクセスリソースは、他の目的のために解放される。代替的に、ネットワークデバイスが、端末に対して、ランダムアクセスリソースの構造を調整するように指示するか、あるいは、端末が、予め定義されたルールに従ってランダムアクセスリソースの構造を調整する。代替的に、１つの実際に送信されるダウンリンク信号ブロックと関連付けられたランダムアクセスリソースの数は２に調整され、他のダウンリンク信号ブロックと関連付けられたランダムアクセスリソースは変わらないままである。例えば、第１ダウンリンク信号ブロックと関連付けられたランダムアクセスリソースの数は２に調整される。代替的に、送信されない他のダウンリンク信号ブロックに対応するランダムアクセスリソースは、調整され、第１ダウンリンク信号ブロックのために提供される。
【０２８５】
他の例として、ダウンリンク信号セットがＮ＝４個のダウンリンク信号を含み、ランダムアクセス構成インデックスが２６である場合に、ランダムアクセスリソースの構造は図１８に示され、このとき、周波数領域にはただ１つのランダムアクセスリソースしかなく、各ダウンリンク信号ブロックは２つの時間でのランダムアクセスリソースと関連付けられる。具体的に言えば、ダウンリンク信号セット内のダウンリンク信号ブロックと関連付けられたランダムアクセスリソースは、まさに、１つのランダムアクセス周期内の特定のリソースである。上述されたように、実施において、最大ダウンリンク信号セットＮ＝４の中の２つのダウンリンク信号ブロックが実際に送信される。この場合に、図１８に示されるように、スロット２又はスロット３のランダムアクセスリソースがリザーブされ、残りのランダムアクセスリソースは他の目的のために解放される。代替的に、図１８では、フォーマットがＡ１及びＢ１である２つの最後のランダムアクセスリソースが夫々スロット２及びスロット３でリザーブされ、各スロットの、フォーマットがＡ１である最初の２つのランダムアクセスリソースは、他の目的のために解放される。代替的に、２つの実際に送信されるダウンリンク信号ブロックと関連付けられたランダムアクセスリソースの数は４に調整される。具体的に言えば、ランダムアクセスリソースの目的は変更されず、ダウンリンク信号をランダムアクセスリソースと関連付ける方法が、前もってセットされたルールに従って調整されてよく、あるいは、関連付け方法が、ネットワークデバイスによって指示される。他の例として、最大ダウンリンク信号セットＮ＝４の中の３つのダウンリンク信号が実際に送信される場合に、図１８に示される構造では、スロット２の全てのランダムアクセスリソース、及びスロット３の、フォーマットがＡ１及びＢ１である最後の２つのランダムアクセスリソースがリザーブされ、スロット３の、フォーマットがＡ１である最初の２つのランダムアクセスリソースは、他の目的のために解放される。代替的に、図１８に示される構造では、スロット３の全てのランダムアクセスリソース、及びスロット２の、フォーマットがＡ１及びＢ１である最後の２つのランダムアクセスリソースがリザーブされ、スロット２の、フォーマットがＡ１である最初の２つのランダムアクセスリソースは、他の目的のために解放される。代替的に、ネットワークデバイスが、端末に対して、ランダムアクセスリソースの構造を調整するように指示するか、あるいは、ランダムアクセスリソースの構造は、予め定義されたルールに従って調整される。代替的に、１つの実際に送信されるダウンリンク信号ブロックと関連付けられたランダムアクセスリソースの数は４に調整され、他のダウンリンク信号ブロックと関連付けられたランダムアクセスリソースは変わらないままである。例えば、第１ダウンリンク信号ブロックと関連付けられたランダムアクセスリソースの数は４に調整される。代替的に、送信されない他のダウンリンク信号ブロックに対応するランダムアクセスリソースは、調整され、第１ダウンリンク信号ブロックのために提供される。
【０２８６】
実施において、ランダムアクセスリソースとダウンリンク信号との間の対応は、ダウンリンク信号ブロックの最大可能数に基づき決定され、ダウンリンク信号ブロックインデックスｉ１は、ランダムアクセス周期内のランダムアクセスリソースｊ１に対応する。実際に、いくつかのダウンリンク信号ブロック（例えば、インデックスがｉ２であるダウンリンク信号ブロック）は送信されない。この場合に、対応するランダムアクセスリソース（例えば、ランダムアクセスリソースｊ２）は、他のタイプのランダムアクセス、例えば、ビームリカバリ、システム情報の要求、ページングメッセージの送信のトリガ、複数のメッセージ１の送信（ランダムアクセス応答が受信される前に複数のメッセージ１を送信すること）、及び２ステップランダムアクセス（２ステップＲＡＣＨプロシージャ）、のために使用されてよい。
【０２８７】
任意に、ランダムアクセスプロセスでは、ランダムアクセスプリアンブルを送信するためのメインパラメータが、表２５に示されるパラメータのうちの１つ以上を含む。
【表２５】
2020536421.tif 000070
【０２８８】
ランダムアクセスリソースの周波数位置は、初期アクセスバンド幅に対するオフセットであってよく、あるいは、ダウンリンク信号の周波数（例えば、ダウンリンク信号の中心周波数又は開始周波数又は終了周波数）に対するオフセットであってよく、単位は、サブキャリアの数、又は物理リソースブロック（physical  resource  block）又は物理リソースブロックグループ（physical  resource  block  group）であってよいことが留意されるべきである。
【０２８９】
ランダムアクセスプリアンブルのサブキャリア間隔Ｍｓｇ１ＳｕｂｃａｒｒｉｅｒＳｐａｓｉｎｇ、関連付け関係Ａｓｓｏｃｉａｔｉｏｎ、ダウンリンク信号受信電力閾値ＲＳＲＰＴｈｒｅｓｈｏｌｄ、実際に送信されるダウンリンク信号ＳＳＢＴｘＰｏｗｅｒ、及びダウンリンク信号送信電力ＳＳＢＴｘＰｏｗｅｒは、ＬＴＥに基づき加えられたパラメータである。実際に送信されるダウンリンク信号ＳＳＢＴｘＰｏｗｅｒ、初期プリアンブル受信電力ＰｒｅａｍｂｅｌＩｎｉｔｉａｌＲｅｃｅｉｖｅｄＴａｒｇｅｔＰｏｗｅｒ、及びダウンリンク信号送信電力ＳＳＢＴｘＰｏｗｅｒは、複数のダウンリンク信号に基づいて設定される。周波数バンド内のダウンリンク信号の最大可能数はＮである。例えば、周波数バンドが３ＧＨｚよりも低い場合に、Ｎ＝４である。例えば、周波数バンドが３ＧＨｚよりも高く、６ＧＨｚよりも高くない場合に、Ｎ＝８である。例えば、周波数バンドが６ＧＨｚよりも高い場合に、Ｎ＝６４である。実際に、ネットワークデバイスの実施能力及びカバレッジのような因子の影響により、セル内で実際に使用されるダウンリンク信号の数は、ダウンリンク信号の最大可能数に満たない。従って、実際に送信されるダウンリンク信号、すなわち、セルカバレッジを実施するために使用されるダウンリンク信号の数及びインデックスが、指示される必要がある。ダウンリンク信号は、ダウンリンク同期信号ＳＳブロック又はＰＢＣＨブロック（同期信号若しくは物理ブロードキャストチャネルブロック）、及び／又はダウンリンクチャネル状態参照信号ＣＳＩ−ＲＳ（channel  state  information  reference  signal）であってよい。
【０２９０】
実施において、実際に送信されるダウンリンク信号は、ビットマップ（bitmap）を使用することによって設定されてよく、ビットマップにおいて必要とされるビットの数は、周波数バンドに関係がある。例えば、ダウンリンク信号又はダウンリンク信号グループが送信されるかどうかを示すために１つのビットが使用される場合に、周波数バンドが３ＧＨｚよりも低いときには、４つのビットが必要とされ、周波数バンドが３ＧＨｚよりも高く、６ＧＨｚよりも高くないときには、８つのビットが必要とされ、あるいは、周波数バンドが６ＧＨｚよりも高いときには、最大６４個までのビットが必要とされる。周波数バンドが６ＧＨｚよりも高いときに、ビットマップにおいて必要とされるビットの数は減らされてもよい。方法１で、６４個のダウンリンク信号は、Ｌ個のグループに分類され、各グループは、Ｍ個のダウンリンク信号を含み、このとき、Ｌは、２、４、８、１６、又は３２であってよく、相応して、Ｍは、３２、１６、８、４、又は２であってよい。この場合に、ダウンリンク信号が各ダウンリンク信号グループで送信されるかどうかを示すためにＬ個のビットが使用されてよい。例えば、第１ビットが１である場合に、それは、第１ダウンリンク信号グループ内のダウンリンク信号が送信されることを示す。Ｍ個のビットは、ダウンリンク信号グループ内の実際に送信されるダウンリンク信号を示すために使用され、全てのダウンリンク信号グループ内の実際に送信されるダウンリンク信号は同じである。例えば、ｍ番目のビットが１である場合に、それは、ダウンリンク信号グループ内のｍ番目のダウンリンク信号が送信されることを示す。
【０２９１】
図１９は、本願の実施形態に従うランダムアクセス方法におけるダウンリンク信号の概略図である。具体的に、図１９に示されるように、Ｌ＝８であり、対応するビットマップは１０１０１１０１であり、Ｍ＝８であり、対応するビットマップは１０１０１０１０であり、このとき、影付き部分は、ダウンリンク信号（ＳＳＢとして表される）が送信されることを示す。
【０２９２】
ランダムアクセス中に、少なくとも次のパラメータが必要とされる：ダウンリンク信号（又はダウンリンク信号グループ）が送信されるかどうか、ダウンリンク信号（又はダウンリンク信号グループ）の送信電力、ネットワークデバイス上の送信ビームフォーミング利得、関連するランダムアクセスリソースの数、ダウンリンク信号（又はダウンリンク信号グループ）に対応するランダムアクセスリソース上の初期プリアンブル受信電力、及びネットワークデバイス上の受信ビームフォーミング利得。しかし、上記のパラメータは、異なるダウンリンク信号の場合に異なってもよい。従って、上記のパラメータは、送信のために組み合わされる。例えば、上記のパラメータのうちのいずれかの量が組み合わされ、残りのパラメータから別々に構成される。
【０２９３】
具体的に、例えば、ダウンリンク信号が送信されるかどうか、ダウンリンク信号の送信電力、及びネットワークデバイス上の送信ビームフォーミング利得は、同じパラメータを使用することによって構成される。
【０２９４】
他の例として、ダウンリンク信号が送信されるかどうか、及び関連するランダムアクセスリソースの数は、同じパラメータを使用することによって構成される。
【０２９５】
他の例として、ダウンリンク信号が送信されるかどうか、ダウンリンク信号に対応するランダムアクセスリソース上の初期プリアンブル受信電力、及びネットワークデバイス上の受信ビームフォーミング利得は、同じパラメータを使用することによって構成される。
【０２９６】
更に、実施形態において、ダウンリンク信号が送信されるかどうか、及び関連するランダムアクセスリソースの数は、同じパラメータを使用することによって構成される。例えば、周波数バンドが３ＧＨｚよりも低い場合に、各ダウンリンク信号について、２乃至４（又はそれ以上）のビット、全部で８又は１２又は１６のビットが、ダウンリンク信号が送信されるかどうか、及び関連するランダムアクセスリソースの数を示すために使用される。一例としてダウンリンク信号ごとに２つのビットを使用すると、全部で８つのビットが必要とされる。ダウンリンク信号ｍは、ビット２ｍ及び２ｍ＋１を使用することによって示される。ビット２ｍ及び２ｍ＋１が００である場合に、それは、ダウンリンク信号が送信されないことを示し、ビット２ｍ及び２ｍ＋１が０１である場合に、それは、ダウンリンク信号が送信され、且つ、ダウンリンク信号と関連付けられたランダムアクセスリソースの数が１であることを示し、ビット２ｍ及び２ｍ＋１が１０である場合に、それは、ダウンリンク信号が送信され、且つ、ダウンリンク信号と関連付けられたランダムアクセスリソースの数が２であることを示し、あるいは、ビット２ｍ及び２ｍ＋１が１１である場合に、それは、ダウンリンク信号が送信され、且つ、ダウンリンク信号と関連するランダムアクセスリソースの数が３であることを示す。ここで、１つのランダムアクセスリソースは、セット内の１つのランダムアクセス時間−周波数リソース又はプリアンブルを示し、セットのサイズは、ネットワークデバイスによって設定されるか、あるいは、前もって定義又は前もって記憶される。同様に、周波数バンドが３ＧＨｚよりも高く、６ＧＨｚよりも高くない場合に、８×２又は８×３又は８×４、すなわち、１６又は２４又は３２のビットが必要とされてよく、あるいは、周波数バンドが６ＧＨｚよりも高い場合に、Ｌ個のビットが、実際に送信されるダウンリンク信号グループ、ダウンリンク信号グループ内の実際に送信されるダウンリンク信号、及び各ダウンリンク信号と関連付けられたランダムアクセスリソースの数を示すために使用され、そして、ダウンリンク信号の数を示すために、Ｍ×２又はＭ×３又はＭ×４が必要とされる。具体的に言えば、全部でＬ＋２Ｍ又はＬ＋３Ｍ又はＬ＋４Ｍ個のビットが必要とされる。他の実施では、上記の指示は、ランダムアクセスリソースの時間、周波数位置、若しくはインデックス、及び／又はランダムアクセスリソースの数であってもよい。
【０２９７】
他の実施形態では、ネットワークデバイスは、指示情報を使用することによって、端末に、現在使用されている方法を通知する。例えば、指示情報がＦｌａｇ＝０を運ぶ場合に、使用される方法は、ダウンリンク信号が送信されるかどうか、及び関連するランダムアクセスリソースの数が、同じパラメータを使用することによって構成されることであり、あるいは、指示情報がＦｌａｇ＝１を運ぶ場合に、使用される方法は、ダウンリンク信号グループが送信されるかどうか、及び関連するランダムアクセスリソースの数が、同じパラメータを使用することによって構成されることである。
【０２９８】
実施形態において、ダウンリンク信号グループが送信されるかどうか、及び関連するランダムアクセスリソースの数は、同じパラメータを使用することによって構成される。関連するランダムアクセスリソースの数は、ダウンリンク信号グループと関連付けられたランダムアクセスリソースの総数、又はダウンリンク信号グループ内のダウンリンク信号と関連付けられたランダムアクセスリソースの数であってよい。同じダウンリンク信号グループ内のダウンリンク信号と関連付けられたランダムアクセスリソースの数は、同じである。例えば、周波数バンドが６ＧＨｚよりも高い場合に、ダウンリンク信号はＬ個のグループに分類され、各グループはＭ個の信号を含む。各ダウンリンク信号グループについて、２乃至４（又はそれ以上）のビット、全部で２Ｌ又は３Ｌ又は４Ｌのビットが、ダウンリンク信号グループが送信されるかどうか、及び関連するランダムアクセスリソースの数を示すために使用される。具体的に言えば、全部で２Ｌ＋Ｍ又は３Ｌ＋Ｍ又は４Ｌ＋Ｍ個のビットが、実際に送信されるダウンリンク信号グループ、ダウンリンク信号グループ内の実際に送信されるダウンリンク信号、及び各ダウンリンク信号と関連付けられたランダムアクセスリソースの数を示すために、必要とされる。
【０２９９】
他の実施形態では、上記のパラメータは、ダウンリンク信号グループに基づいて設定される。例えば、ランダムアクセス中に、少なくとも次のパラメータが必要とされる：ダウンリンク信号グループが送信されるかどうか、ダウンリンク信号グループの送信電力、ネットワークデバイス上の送信ビームフォーミング利得、関連するランダムアクセスリソースの数、ダウンリンク信号グループに対応するランダムアクセスリソース上の初期プリアンブル受信電力、及びネットワークデバイス上の受信ビームフォーミング利得。しかし、上記のパラメータは、異なるダウンリンク信号グループの場合に異なってよい。従って、上記のパラメータは、送信のために組み合わされる。例えば、上記のパラメータのうちのいずれかの量が組み合わされ、残りのパラメータから別々に構成される。ダウンリンク信号グループに基づくパラメータ設定は、具体的に次の通りであってよい。同じダウンリンク信号グループ内のダウンリンク信号の電力パラメータは同じであるか、あるいは、同じダウンリンク信号グループ内のダウンリンク信号の電力パラメータは異なるが、異なるダウンリンク信号グループにおいて同じインデックス位置にあるダウンリンク信号の電力パラメータは同じである。ダウンリンク信号グループに基づくパラメータ設定方法は、ダウンリンク信号に基づく上記のパラメータ設定方法と同様である。詳細はここで再び記載されない。
【０３００】
他の実施形態では、ダウンリンク信号の送信電力、ネットワークデバイス上の送信ビームフォーミング利得、ダウンリンク信号に対応するランダムアクセスリソース上の初期プリアンブル受信電力、及びネットワークデバイス上の受信ビームフォーミング利得は、２つのパラメータ、例えば、ネットワークデバイスの送信電力パラメータ及びネットワークデバイスの受信電力パラメータ、を使用することによって別々に構成される。２つのパラメータは、上記の４つのパラメータの組み合わせであってよい。例えば、ネットワークデバイスの送信電力は、少なくとも、ダウンリンク信号の送信電力を含み、ネットワークデバイスの受信電力パラメータは、少なくとも、初期プリアンブル受信電力を含む。他の例として、ネットワークデバイスの送信電力は、ダウンリンク信号の送信電力及びネットワークデバイス上の送信／受信ビームフォーミング利得を含み、ネットワークデバイスの受信電力パラメータは、初期プリアンブル受信電力を含む。他の例として、ネットワークデバイスの送信電力は、ダウンリンク信号の送信電力であり、ネットワークデバイスの受信電力パラメータは、初期プリアンブル受信電力及びネットワークデバイス上の送信／受信ビームフォーミング利得を含む。２つのパラメータは複数の方法で送信されてよい。例えば、方法１：ネットワークデバイスの送信電力パラメータ及びネットワークデバイスの受信電力パラメータは、夫々のダウンリンク信号（又はダウンリンク信号グループ内）について別々に構成され、方法２：夫々のダウンリンク信号（又はダウンリンク信号グループ）についてのネットワークデバイスの送信電力パラメータに関しては、ネットワークデバイスの送信電力パラメータ及びダウンリンク信号（又はダウンリンク信号グループ）に対応する送信電力オフセットを参照されたく、夫々のダウンリンク信号（又はダウンリンク信号グループ）についてのネットワークデバイスの受信電力パラメータに関しては、ネットワークデバイスの受信電力パラメータ及びダウンリンク信号（又はダウンリンク信号グループ）に対応する受信電力オフセットを参照されたい。方法２で、ダウンリンク信号（又はダウンリンク信号グループ）が送信されるかどうかは、送信のために送信電力オフセット及び受信電力オフセットと組み合わされてよい。
【０３０１】
例えば、実施形態において、ダウンリンク信号が送信されるかどうか、及び受信電力オフセットは、同じパラメータを使用することによって構成される。周波数バンドが３ＧＨｚよりも低い場合に各ダウンリンク信号について、２乃至４（又はそれ以上）のビット、全部で８又は１２又は１６のビットが、ダウンリンク信号が送信されるかどうか、及び受信電力オフセットを示すために使用される。一例としてダウンリンク信号ごとに２つのビットを使用すると、全部で８つのビットが必要とされる。ダウンリンク信号ｍは、ビット２ｍ及び２ｍ＋１を使用することによって示される。ビット２ｍ及び２ｍ＋１が００である場合に、それは、ダウンリンク信号が送信されないことを示し、ビット２ｍ及び２ｍ＋１が０１である場合に、それは、ダウンリンク信号が送信され、且つ、ダウンリンク信号に対応する受信電力オフセットがｐ１（ｄＢｍ）であることを示し、ビット２ｍ及び２ｍ＋１が１０である場合に、それは、ダウンリンク信号が送信され、且つ、ダウンリンク信号に対応する受信電力オフセットがｐ２（ｄＢｍ）であることを示し、あるいは、ビット２ｍ及び２ｍ＋１が１１である場合に、それは、ダウンリンク信号が送信され、且つ、ダウンリンク信号に対応する受信電力オフセットがｐ３（ｄＢｍ）であることを示す。ここで、ｐ１、ｐ２、及びｐ３は、予め定義された又は予め記憶された値である。同様に、周波数バンドが３ＧＨｚよりも高く、６ＧＨｚよりも高くない場合に、８×２又は８×３又は８×４、すなわち、１６又は２４又は３２のビットが必要とされてよく、あるいは、周波数バンドが６ＧＨｚよりも高い場合に、Ｌ個のビットが、実際に送信されるダウンリンク信号グループを示すために使用され、そして、ダウンリンク信号の数を示すために、Ｍ×２又はＭ×３又はＭ×４が必要とされる。具体的に言えば、全部でＬ＋２Ｍ又はＬ＋３Ｍ又はＬ＋４Ｍ個のビットが必要とされる。同じパラメータを使用することによって、ダウンリンク信号が送信されるかどうか及び送信電力オフセットを構成し、同じパラメータを使用することによって、ダウンリンク信号が送信されるかどうか及び受信電力オフセットを構成する方法は、上記の方法と同様である。詳細はここで再び記載されない。
【０３０２】
他の実施では、上記の実施形態における方法は、如何なる様態でも組み合わされてよい。詳細はここで再び記載されない。
【０３０３】
他の実施形態では、ランダムアクセス構成表中の値は、相対的なスロット位置である。ランダムアクセスリソースの実際のスロット位置は、サブキャリア間隔と、ダウンリンク信号の最大数に対応する全てのランダムアクセス構成表中の相対的なスロット位置と、ダウンリンク信号の時間オフセット位置とに基づいて、決定される必要がある。ダウンリンク信号の時間オフセット位置は、参照ダウンリンク信号が送信される時間又はスロットに対するダウンリンク信号の時間オフセットである。例えば、参照ダウンリンク信号が送信される時間は、０から５ｍｓ（すなわち、スロット０から５×２ｕ−１）内の時間（すなわち、スロット０）であり、このとき、ｕは、ダウンリンク信号時間に対応するダウンリンク信号サブキャリアインデックス又は参照サブキャリア間隔インデックスである。実施形態において、ダウンリンク信号が送信される時間と、参照ダウンリンク信号が送信される時間又はスロットとの間の時間オフセットが、Ｔ＿Ｏｆｆｓｅｔ（ｍｓ又はスロットインデックス）である場合に、全ての構成表で特定される相対的なスロット位置は、実際のスロット位置を取得するように、Ｔ＿Ｏｆｆｓｅｔに基づいて調整される必要がある。具体的に言えば、ランダムアクセスリソースの実際のスロット位置は、Ｔ＿Ｏｆｆｓｅｔと、対応するランダムアクセス構成表によって特定されるスロット位置とに関係がある。
【０３０４】
ＮＲシステムでは、ダウンリンク同期信号ＳＳブロック又はＰＢＣＨブロックのバンド幅は２８８個のサブキャリアであるから、ランダムアクセスプリアンブルのサブキャリア間隔がダウンリンク同期信号ブロックのそれと同じである場合に、ダウンリンク同期信号ブロックのバンド幅は、２つのランダムアクセスリソースの位置をサポートし得る。従って、時間領域ではたった２つの位置しか必要とされず、ランダムアクセスリソースの４つのとり得る異なる位置が提供され得る。従って、ランダムアクセスは、４つの隣接するセルにおいて同じ周波数で実行可能であり、ランダムアクセスは、異なるセルでは異なる時間−周波数位置で実行され、相互干渉は存在しない。ＬＴＥ設計基準は、３つのセルが互いに干渉しないことであり、ただ１つのランダムアクセスリソースがＬＴＥシステムにおいて最小システムバンド幅１．２５ＭＨｚ内に配置され得ることが留意されるべきである。従って、周波数領域では３つの位置が必要とされる。
【０３０５】
図２０は、本願の実施形態に従うランダムアクセス装置の略構造図である。装置は、端末に組み込まれるか、あるいは、端末に組み込まれたチップ又は機能モジュールである。図２０に示されるように、装置は、受信モジュール１９０１、決定モジュール１９０２、及び送信モジュール１９０３を含む。
【０３０６】
受信モジュール１９０１は、ネットワークデバイスによって送信された第１指示情報を受信するよう構成され、第１指示情報は、ランダムアクセス構成インデックスを示すために使用される。
【０３０７】
決定モジュール１９０２は、ランダムアクセス構成インデックスに基づいてランダムアクセスリソースを決定し、ランダムアクセスリソースとダウンリンク信号との間の関連付け関係に基づいて、ダウンリンク信号に対応するランダムアクセスリソースを決定するよう構成される。
【０３０８】
送信モジュール１９０３は、ダウンリンク信号に対応するランダムアクセスリソースに基づいてランダムアクセスプリアンブルをネットワークデバイスへ送信するよう構成される。
【０３０９】
任意に、ランダムアクセスリソースとダウンリンク信号との間の関連付け関係は、ランダムアクセスリソースのインデックス作成モードを含む。
【０３１０】
任意に、決定モジュール１９０２は、
ランダムアクセスリソースの時間でランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定するよう、又は
周波数領域におけるランダムアクセスリソースの時間内に、ランダムアクセスリソースのインデックス作成モード及び同じ時間でのランダムアクセスリソースの数に基づいて、ダウンリンク信号に対応するランダムアクセスリソースの周波数位置ｆを最初に決定し、それから、周波数位置ｆにおいて、ダウンリンク信号に対応するランダムアクセスリソースの時間ｔを決定するよう、又は
Ｎが０よりも大きい整数であるとして、ランダムアクセスリソースの周期内のＮ個のスロット又はサブフレームにおいて、ランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定するよう
特に構成される。
【０３１１】
任意に、決定モジュール１９０２は、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて、ランダムアクセスリソースの時間範囲を決定するよう特に構成される。
【０３１２】
任意に、決定モジュール１９０２は、送信モジュールが、ダウンリンク信号に対応するランダムアクセスリソースに基づいてランダムアクセスプリアンブルをネットワークデバイスへ送信する前に、
スロット又はサブフレームの前もって設定された構造情報に基づいて、ランダムアクセスリソースの時間範囲内のランダムアクセスリソースの時間を決定するよう、又は
ネットワークデバイスによって送信された、ランダムアクセススロット又はサブフレームの構造情報を含む第２指示情報を受信し、ランダムアクセススロット又はサブフレームの構造情報に基づいて、ランダムアクセスリソースの時間範囲内のランダムアクセスリソースの時間を決定するよう
更に構成される。
【０３１３】
任意に、決定モジュール１９０２は、ランダムアクセスリソースの前もって設定されたインデックス作成モードを取得するよう更に構成され、あるいは、
受信モジュールは、ネットワークデバイスによって送信された第３指示情報を受信するよう更に構成され、第３指示情報は、ランダムアクセスリソースのインデックス作成モードを示すために使用される。
【０３１４】
任意に、決定モジュール１９０２は、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて、ランダムアクセスリソースの時間範囲内のランダムアクセスプリアンブルのシステムフレーム位置及びフォーマットを決定するよう更に構成される。
【０３１５】
任意に、受信モジュール１９０１は、ネットワークデバイスによって送信された第４指示情報を受信するよう更に構成され、第４指示情報は、実際に送信されるダウンリンク信号ブロックを示すために使用される。
【０３１６】
図２１は、本願の実施形態に従うランダムアクセス装置の略構造図である。装置は、ネットワークデバイスであってよく、あるいは、ネットワークデバイスに組み込まれたチップ又は機能モジュールである。図２１に示されるように、装置は、生成モジュール２１０及び送信モジュール２２０を含む。
【０３１７】
生成モジュール２１０は、第１指示情報を生成するよう構成され、第１指示情報は、ランダムアクセス構成インデックスを示すために使用される。
【０３１８】
送信モジュール２２０は、第１指示情報を端末へ送信するよう構成され、端末のランダムアクセスリソースは、ランダムアクセス構成インデックスに基づいて決定され、ランダムアクセスリソースとダウンリンク信号との間の関連付け関係に基づいて、ダウンリンク信号に対応するランダムアクセスリソースが決定される。
【０３１９】
任意に、ランダムアクセスリソースとダウンリンク信号との間の関連付け関係は、前記ランダムアクセスリソースのインデックス作成モードを含む。
【０３２０】
可能な実施において、ランダムアクセスリソースのインデックス作成モードは、
ランダムアクセスリソースの時間でランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定すること、又は
周波数領域におけるランダムアクセスリソースの時間内に、ランダムアクセスリソースのインデックス作成モード及び同じ時間でのランダムアクセスリソースの数に基づいて、ダウンリンク信号に対応するランダムアクセスリソースの周波数位置ｆを最初に決定し、それから、周波数位置ｆにおいて、ダウンリンク信号に対応するランダムアクセスリソースの時間ｔを決定すること、又は
Ｎが０よりも大きい整数であるとして、ランダムアクセスリソースの周期内のＮ個のスロット又はサブフレームにおいて、ランダムアクセスリソースのインデックス作成モード及び同じ時間でのランダムアクセスリソースの数に基づいて、ダウンリンク信号に対応するランダムアクセスリソースの時間ｔを最初に決定し、それから、時間ｔで、ダウンリンク信号に対応するランダムアクセスリソースの周波数位置ｆを決定すること
を含む。
【０３２１】
任意に、ランダムアクセスリソースの時間範囲は、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて決定される。
【０３２２】
他の実施では、送信モジュール２２０は、第２指示情報を端末へ送信するよう更に構成され、第２指示情報は、ランダムアクセススロット又はサブフレームの構造情報を含み、ランダムアクセスリソースの時間は、ランダムアクセススロット又はサブフレームの構造情報に基づいてランダムアクセスリソースの時間範囲において決定される。
【０３２３】
送信モジュール２２０は、第３指示情報を端末へ送信するよう構成され、第３指示情報は、ランダムアクセスリソースのインデックス作成モードを示すために使用され、ダウンリンク信号に対応するランダムアクセスリソースは、ランダムアクセスリソースのインデックス作成モードに基づいてランダムアクセスリソースの時間内で決定される。
【０３２４】
更には、ランダムアクセスリソースの時間範囲内のランダムアクセスプリアンブルのシステムフレーム位置及びフォーマットは、ランダムアクセス構成インデックスと、ランダムアクセスプリアンブルのサブキャリア間隔、ランダムアクセスプリアンブルのシーケンス長さ、ダウンリンク信号ブロックの最大数、及び実際に送信されるダウンリンク信号ブロックのうちの１つ以上とに基づいて決定される。
【０３２５】
任意に、送信モジュール２２０は、第４指示情報を端末へ送信するよう更に構成され、第４指示情報は、実際に送信されるダウンリンク信号ブロックを示すために使用される。
【０３２６】
上記の装置は、上記の方法実施形態で提供される方法を実行するよう構成されてよい。装置の具体的な実施及び技術的効果は、方法実施形態のそれらと同様であり、詳細はここで再び記載されない。
【０３２７】
装置のモジュールの分割は、論理的な機能分割にすぎず、モジュールは、完全に又は部分的に１つの物理エンティティに組み込まれてよく、あるいは、実際の実施では物理的に分離していてもよい。モジュールは、ソフトウェアの形で完全に実施され、処理要素によって呼び出されてよく、あるいは、ハードウェアの形で完全に実施されてもよく、あるいは、いくつかのモジュールがソフトウェアの形で実施され、処理要素によって呼び出されてよく、そして、いくつかのモジュールがハードウェアの形で実施される。例えば、決定モジュールは、別々に配置された処理要素であってよく、あるいは、実施のために上記の装置のチップに組み込まれてもよい。その上、決定モジュールは、プログラムコードの形で上記の装置のメモリに記憶されてよく、上記の装置の処理要素によって、上記の決定モジュールの機能を実行するように呼び出される。他のモジュールの実施はこれと同様である。その上、モジュールは、完全に又は部分的に一体化されてよく、あるいは、別々に実施されてもよい。処理要素は集積回路であってよく、信号処理機能を備える。実施プロセスにおいて、上記の方法のステップ又は上記のモジュールは、処理要素内のハードウェア集積論理回路を使用することによって、又はソフトウェアの形をした命令を使用することによって、実施されてよい。
【０３２８】
例えば、モジュールは、上記の方法を実施するための１つ以上の集積回路、例えば、１つ以上の特定用途向け集積回路（Application-Specific  Integrated  Circuit，ＡＳＩＣ）、１つ以上のマイクロプロセッサ（digital  signal  processor，ＤＳＰ）、又は１つ以上のフィールド・プログラマブル・ゲート・アレイ（Field  Programmable  Gate  Array，ＦＰＧＡ）として構成されてよい。他の例として、モジュールがプログラムコードの形で実施され、処理要素によって呼び出される場合に、処理要素は、汎用のプロセッサ、例えば、中央演算処理装置（Central  Processing  Unit，ＣＰＵ）又はプログラムコードを呼び出すことができる他のプロセッサであってよい。他の例として、モジュールは一体化されて、システム・オン・チップ（system-on-a-chip，ＳＯＣ）の形で実施されてよい。
【０３２９】
図２２は、本願の他の実施形態に従うランダムアクセス装置の略構造図である。装置は、上記のネットワークデバイス又は端末に組み込まれてよい。図２２に示されるように、装置は、メモリ１０、プロセッサ１１、送信器１２、及び受信器１３を含む。
【０３３０】
メモリ１０は、独立した物理ユニットであってよく、バス１４を使用することによってプロセッサ１１、送信器１２、及び受信器１３へ接続されてよい。代替的に、メモリ１０、プロセッサ１１、送信器１２、及び受信器１３は、ハードウェアなどによって一体化され、実施されてよい。
【０３３１】
送信器１２及び受信器１３は更に、アンテナへ接続されてよい。受信器１３は、アンテナを使用することによって、他のデバイスによって送信された情報を受信する。相応して、送信器１２は、アンテナを使用することによって他のデバイスへ情報を送信する。
【０３３２】
メモリ１０は、上記の方法実施形態又は装置実施形態における各モジュールを実施するためのプログラムを記憶するよう構成され、プロセッサ１１は、上記の方法実施形態の動作を実行するためにプログラムを呼び出す。
【０３３３】
任意に、上記の実施形態におけるランダムアクセス方法が完全に又は部分的にソフトウェアによって実施される場合に、ランダムアクセス装置は、代替的に、プロセッサしか含まなくてもよい。プログラムを記憶するよう構成されたメモリは、ランダムアクセス装置の外に置かれ、プロセッサは、回路／配線を使用することによってメモリへ接続され、メモリに記憶されたプログラムを読み出して実行するよう構成される。
【０３３４】
プロセッサは、中央演算処理装置（central  processing  unit，ＣＰＵ）、ネットワーク・プロセッサ（network  processor，ＮＰ）、又はＣＰＵとＮＰとの組み合わせであってよい。
【０３３５】
プロセッサは、ハードウェアチップを更に含んでよい。ハードウェアチップは、特定用途向け集積回路（application-specific  integrated  circuit，ＡＳＩＣ）、プログラム可能論理デバイス（programmable  logic  device，ＰＬＤ）、又はそれらの組み合わせであってよい。ＰＬＤは、結合プログラム可能論理回路（complex  programmable  logic  device，ＣＰＬＤ）、フィールド・プログラマブル・ゲート・アレイ（field  programmable  gate  array，ＦＰＧＡ）、汎用アレイロジック（generic  array  logic，ＧＡＬ）、又はそれらの任意の組み合わせであってよい。
【０３３６】
メモリは、揮発性メモリ（volatile  memory）、例えば、ランダム・アクセス・メモリ（random  access  memory，ＲＡＭ）を含んでよく、あるいは、メモリは、不揮発性メモリ（non-volatile  memory）、例えば、フラッシュメモリ（flash  memory）、ハード・ディスク・ドライブ（hard  disk  drive，ＨＤＤ）、又はソリッド・ステート・ドライブ（solid-state  drive，ＳＳＤ）を含んでよく、あるいは、メモリは、上記のタイプのメモリの組み合わせを含んでよい。
【０３３７】
上記の実施形態において、送信モジュール又は送信器は、上記の方法実施形態における送信のステップを実行し、受信モジュール又は受信器は、上記の方法実施形態における受信のステップを実行し、他のステップは、他のモジュール又はプロセッサによって実行される。送信モジュール及び受信モジュールは、トランシーバモジュールを形成してよい。受信器及び送信器は、トランシーバを形成してよい。
【０３３８】
本願の実施形態は、コンピュータプログラムを記憶するコンピュータ記憶媒体を更に提供し、コンピュータプログラムは、上記の実施形態で提供されるランダムアクセス方法を実行するために使用される。
【０３３９】
本願の実施形態は、命令を含むコンピュータプログラム製品を更に提供し、コンピュータプログラム製品がコンピュータで実行される場合に、コンピュータは、上記の実施形態で提供されるランダムアクセス方法を実行することを可能にされる。
【０３４０】
当業者であれば、本願の実施形態が方法、システム、又はコンピュータプログラム製品として提供されることを理解するはずである。従って、本願は、ハードウェアのみの実施形態、ソフトウェアのみの実施形態、又はソフトウェアとハードウェアとの組み合わせによる実施形態の形を使用してよい。更に、本願は、コンピュータ使用可能なプログラムコードを含む１つ以上のコンピュータ使用可能な記憶媒体（ディスクメモリ、ＣＤ−ＲＯＭ、光学式メモリ、などを含むが限られない）で実施されるコンピュータプログラム製品の形を使用してもよい。
【０３４１】
本願は、本願の実施形態に従う方法、装置（システム）、及びコンピュータプログラム製品のフローチャート及び／又はブロック図を参照して記載される。コンピュータプログラム命令は、フローチャート及び／又はブロック図の各プロセス及び／又は各ブロック並びにフローチャート及び／又はブロック図のプロセス及び／又はブロックの組み合わせを実施するために使用されてよいことが理解されるべきである。そのようなコンピュータプログラム命令は、汎用コンピュータ、専用コンピュータ、埋め込みプロセッサ、又はマシンを生成する他のプログラム可能なデータ処理のプロセッサに提供されてよく、それにより、コンピュータ又は他のプログラム可能なデータ処理デバイスのプロセッサによって実行される命令は、フローチャート内の１つ以上のプロセス及び／又はブロック図内の１つ以上のブロックにおける特定の機能を実施するための装置を生成する。
【０３４２】
そのようなコンピュータプログラム命令は、コンピュータ又は他のプログラム可能なデータ処理デバイスに対して特定の方法で作動するように指示することができるコンピュータ可読メモリに記憶されてよく、それにより、コンピュータ可読メモリに記憶されている命令は、命令装置を含むアーチファクトを生成する。命令装置は、フローチャート内の１つ以上のプロセス及び／又はブロック図内の１つ以上のブロックにおける特定の機能を実施する。
【０３４３】
そのようなコンピュータプログラム命令は、コンピュータ又は他のプログラム可能なデータ処理デバイスにロードされてよく、それにより、一連の動作及びステップがコンピュータ又は他のプログラム可能なデータ処理デバイスで実行されて、コンピュータ実装処理がもたらされる。従って、コンピュータ又は他のプログラム可能なデータ処理デバイスで実行される命令は、フローチャート内の１つ以上のプロセス及び／又はブロック図内の１つ以上のブロックにおける特定の機能を実施するためのステップを提供する。
【０３４４】
本願は、２０１７年９月３０日付けで、“RANDOM  ACCESS  METHOD  AND  APPARATUS”と題されて中国特許庁に出願された中国特許出願第２０１７１０９１７１４．３号の優先権を主張する。なお、この中国特許出願は、その全文を参照により本願に援用される。
【図１】
2020536421.tif 000071
【図２】
2020536421.tif 000072
【図３】
2020536421.tif 000073
【図４】
2020536421.tif 000074
【図５】
2020536421.tif 000075
【図６】
2020536421.tif 000076
【図７Ａ】
2020536421.tif 000077
【図７Ｂ】
2020536421.tif 000078
【図８Ａ】
2020536421.tif 000079
【図８Ｂ】
2020536421.tif 000080
【図９Ａ】
2020536421.tif 000081
【図９Ｂ】
2020536421.tif 000082
【図１０Ａ】
2020536421.tif 000083
【図１０Ｂ】
2020536421.tif 000084
【図１１Ａ】
2020536421.tif 000085
【図１１Ｂ】
2020536421.tif 000086
【図１２Ａ】
2020536421.tif 000087
【図１２Ｂ】
2020536421.tif 000088
【図１３Ａ】
2020536421.tif 000089
【図１３Ｂ】
2020536421.tif 000090
【図１４Ａ】
2020536421.tif 000091
【図１４Ｂ】
2020536421.tif 000092
【図１５Ａ】
2020536421.tif 000093
【図１５Ｂ】
2020536421.tif 000094
【図１６】
2020536421.tif 000095
【図１７】
2020536421.tif 000096
【図１８】
2020536421.tif 000097
【図１９】
2020536421.tif 000098
【図２０】
2020536421.tif 000099
【図２１】
2020536421.tif 000100
【図２２】
2020536421.tif 000101
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
端末に適用されるランダムアクセス方法であって、
ネットワークデバイスから同期信号／物理ブロードキャストチャネル（ＳＳ／ＰＢＣＨ）ブロックを受信することと、
前記ＳＳ／ＰＢＣＨブロックがマッピングされるランダムアクセスリソースを決定することであり、前記ＳＳ／ＰＢＣＨブロックがマッピングされる前記ランダムアクセスリソースは、複数のランダムアクセス周期の中の１つのランダムアクセス周期内のランダムアクセスリソースであり、前記複数のランダムアクセス周期の夫々は、前記ネットワークデバイスによって送信される複数のＳＳ／ＰＢＣＨブロックと関連付けられるランダムアクセスリソースを有し、前記複数のランダムアクセス周期の夫々におけるランダムアクセスリソースの最初は、ＳＳ／ＰＢＣＨブロックを示す同じ番号に対応し、前記ＳＳ／ＰＢＣＨブロックは、前記ネットワークデバイスによって送信される前記複数のＳＳ／ＰＢＣＨブロックの中の１つである、前記決定することと、
前記決定されたランダムアクセスリソースに基づいてランダムアクセスプリアンブルを前記ネットワークデバイスへ送信することと
を有する方法。
【請求項２】
前記ネットワークデバイスによって送信される前記複数のＳＳ／ＰＢＣＨブロックは、１つ以上のサイクルにおいて前記１つのランダムアクセス周期内のランダムアクセスリソースへマッピングされる、
請求項１に記載の方法。
【請求項３】
前記ネットワークデバイスによって送信される前記複数のＳＳ／ＰＢＣＨブロックは、前記１つのランダムアクセス周期内のランダムアクセスリソースへ巡回的にマッピングされ、前記複数のＳＳ／ＰＢＣＨブロックの夫々は、同数のランダムアクセスリソースへマッピングされる、
請求項１に記載の方法。
【請求項４】
前記ランダムアクセスリソースは、ランダムアクセス機会であり、
前記ネットワークデバイスによって送信される前記複数のＳＳ／ＰＢＣＨブロックは、１つ以上のサイクルにおいて前記１つのランダムアクセス周期内のランダムアクセス機会へマッピングされ、前記１つのランダムアクセス周期は、いずれのＳＳ／ＰＢＣＨブロックとも関連付けられず且つランダムアクセスのために使用されない１つ以上のランダムアクセス機会を更に有する、
請求項１に記載の方法。
【請求項５】
前記１つのランダムアクセス周期は、１つ以上のランダムアクセススロットを有し、
前記１つ以上のランダムアクセススロットの夫々は、１つ以上のランダムアクセス時間リソースを有し、
前記１つ以上のランダムアクセス時間リソースの夫々は、１つ以上の周波数分割多重化ランダムアクセス機会を有する、
請求項１に記載の方法。
【請求項６】
前記１つのランダムアクセス周期内のランダムアクセスリソースは、ランダムアクセス機会であり、
前記ＳＳ／ＰＢＣＨブロックの番号ｋと、前記１つのランダムアクセス周期内の前記ランダムアクセス機会のインデックスｉとは、ｋ＝ｆｌｏｏｒ（ｉ／ｆ）を満足し、あるいは、
前記ＳＳ／ＰＢＣＨブロックの番号ｋと、前記１つのランダムアクセス周期内の前記ランダムアクセス機会のインデックスｉとは、ｋ＝ｍｏｄ（ｉ，Ｋ）を満足し、あるいは、
ランダムアクセスリソースは、前記１つのランダムアクセス周期内のランダムアクセス機会の中のランダムアクセスプリアンブルセットであり、前記ＳＳ／ＰＢＣＨブロックの番号ｋと、前記ランダムアクセスプリアンブルセットのインデックスｉとは、ｋ＝ｍｏｄ（ｉ，Ｋ）を満足し、ここで、
ｋは、前記ネットワークデバイスによって送信されるＫ個のＳＳ／ＰＢＣＨブロックの中の前記ＳＳ／ＰＢＣＨブロックの番号であり、Ｆは、ＳＳ／ＰＢＣＨブロックと関連付けられるランダムアクセス機会の数であり、Ｋは、前記ネットワークデバイスによって送信されるＳＳ／ＰＢＣＨブロックの数である、
請求項１に記載の方法。
【請求項７】
前記１つのランダムアクセス周期内のランダムアクセス機会のインデックスは、次の方法：
最初のランダムアクセススロットの最初のランダムアクセス時間リソースで前記周波数分割多重化ランダムアクセス機会のインデックスを順次に増やすことと、
前記ランダムアクセススロットにおける全てのランダムアクセス時間リソースで全てのランダムアクセス機会がインデックス付けされるまで、ランダムアクセス時間リソースを増大させることと、
前記１つのランダムアクセス周期内の全てのランダムアクセススロットで全てのランダムアクセス機会がインデックス付けされるまで、ランダムアクセススロットを増大させる
ことと
で決定される、
請求項５に記載の方法。
【請求項８】
１つのランダムアクセス機会は、ＳＳ／ＰＢＣＨブロックへマッピングするためのＭ個のランダムアクセスプリアンブルセットを有し、ここで、Ｍは、前記ランダムアクセス機会へマッピングされるＳＳ／ＰＢＣＨブロックの数であり、ランダムアクセスプリアンブルセットの夫々に対応するランダムアクセスプリアンブルは、次の：
ランダムアクセスルートシーケンスの巡回シフトに基づいて複数のランダムアクセスプリアンブルを生成し、それから、生成されたランダムアクセスプリアンブルの数がランダムアクセスプリアンブルセット内のプリアンブルの数に達するまで、１つ以上の他のランダムアクセスルートシーケンスの巡回シフトに基づいてランダムアクセスプリアンブルを生成すること
に従って決定され、
残りは、ランダムアクセス機会の中のランダムアクセスプリアンブルセットの夫々に対応するランダムアクセスプリアンブルが生成されるまで類推によって推定される、
請求項５に記載の方法。
【請求項９】
ランダムアクセスプリアンブルセット内のプリアンブルの前記数は、ネットワーク構成情報に基づいて決定される、
請求項８に記載の方法。
【請求項１０】
ランダムアクセスリソースはランダムアクセス機会であり、前記ネットワークデバイスによって送信される前記複数のＳＳ／ＰＢＣＨブロックは、次の順序：
前記ネットワークデバイスによって送信される前記複数のＳＳ／ＰＢＣＨブロックが、ランダムアクセスプリアンブルインデックスの昇順に基づいて、最初のランダムアクセススロット内の最初のランダムアクセス時間リソースでの最初のランダムアクセス機会におけるランダムアクセスプリアンブルへ順次にマッピングされること、
前記ネットワークデバイスによって送信される前記複数のＳＳ／ＰＢＣＨブロックが、周波数分割多重化ランダムアクセス機会の周波数昇順に基づいて、最初のランダムアクセス時間リソースでのランダムアクセス機会へ順次にマッピングされること、
前記ネットワークデバイスによって送信される前記複数のＳＳ／ＰＢＣＨブロックが、ランダムアクセス時間リソースの時間昇順に基づいて、最初のランダムアクセススロット内のランダムアクセス時間リソースへ順次にマッピングされること、及び
前記ネットワークデバイスによって送信される前記複数のＳＳ／ＰＢＣＨブロックが、ランダムアクセススロットのスロット昇順に基づいて、前記１つのランダムアクセス周期内のランダムアクセススロットへ順次にマッピングされること
でランダムアクセス機会へマッピングされる、
請求項１に記載の方法。
【請求項１１】
前記１つのランダムアクセス周期の存続期間は、５ｍｓ、１０ｍｓ、２０ｍｓ、４０ｍｓ、８０ｍｓ、１６０ｍｓ、３２０ｍｓ、又は６４０ｍｓのうちの１つである、
請求項１に記載の方法。
【請求項１２】
前記ランダムアクセスリソースは、該ランダムアクセスリソースのキャリア周波数範囲及び前記ネットワークデバイスから受信されるランダムアクセス構成インデックスに従って決定され、
前記ランダムアクセスリソースは、次のパラメータ：ランダムアクセスプリアンブルフォーマット、前記ランダムアクセスリソースが位置しているシステムフレーム、及び前記ランダムアクセスリソースが位置しているサブフレーム、のうちの１つ以上を有し、
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム１に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム７に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム１に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム２及び７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム４及び９に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム４及び９に位置し、前記システムフレームのフレーム番号は、４を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム２及び７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４及び９に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム１に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム４に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム７に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム９に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム１に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム７に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム９に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム４に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム７に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム９に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム１に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム７に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム９に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、２であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、２であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が０に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム４に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム７に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム１に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム７に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム９に位置し、前記システムフレームのフレーム番号は、４を法として前記システムフレーム番号が１に等しいことを満足する、
請求項１に記載の方法。
【請求項１３】
前記ランダムアクセスリソースは、ランダムアクセス時間リソースのキャリア周波数範囲及び前記ネットワークデバイスから受信されるランダムアクセス構成インデックスに従って決定され、
前記ランダムアクセスリソースは、次のパラメータ：ランダムアクセスプリアンブルフォーマット、及びランダムアクセスリソースが位置しているスロット内のランダムアクセス時間リソースの数、のうちの１つ以上を有し、
前記ランダムアクセス構成インデックスに対応する前記ランダムアクセスプリアンブルフォーマットは、Ａ１であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ１であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ａ１であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ｂ１であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ｂ１であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ｂ１であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ｂ４であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ２であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ２であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ａ２であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ３であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ３であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ｃ０であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ｃ０であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ｃ０であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ｃ２であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ｃ２であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースが位置している前記スロット内のランダムアクセスリソースの数は、２である、
請求項１に記載の方法。
【請求項１４】
前記ネットワークデバイスによって送信される前記複数のＳＳ／ＰＢＣＨブロックは、前記ネットワークデバイスからの構成情報に従って決定される、
請求項１に記載の方法。
【請求項１５】
ネットワークデバイスから同期信号／物理ブロードキャストチャネル（ＳＳ／ＰＢＣＨ）ブロックを受信するよう構成される受信器と、
前記ＳＳ／ＰＢＣＨブロックがマッピングされるランダムアクセスリソースを決定するよう構成されるプロセッサであり、前記ＳＳ／ＰＢＣＨブロックがマッピングされる前記ランダムアクセスリソースは、複数のランダムアクセス周期の中の１つのランダムアクセス周期内のランダムアクセスリソースであり、前記複数のランダムアクセス周期の夫々は、前記ネットワークデバイスによって送信される複数のＳＳ／ＰＢＣＨブロックと関連付けられるランダムアクセスリソースを有し、前記複数のランダムアクセス周期の夫々におけるランダムアクセスリソースの最初は、ＳＳ／ＰＢＣＨブロックを示す同じ番号に対応し、前記ＳＳ／ＰＢＣＨブロックは、前記ネットワークデバイスによって送信される前記複数のＳＳ／ＰＢＣＨブロックの中の１つである、前記プロセッサと、
前記決定されたランダムアクセスリソースに基づいてランダムアクセスプリアンブルを前記ネットワークデバイスへ送信するよう構成される送信器と
を有する通信装置。
【請求項１６】
前記ネットワークデバイスによって送信される前記複数のＳＳ／ＰＢＣＨブロックは、１つ以上のサイクルにおいて前記１つのランダムアクセス周期内のランダムアクセスリソースへマッピングされる、
請求項１５に記載の通信装置。
【請求項１７】
前記ネットワークデバイスによって送信される前記複数のＳＳ／ＰＢＣＨブロックは、前記１つのランダムアクセス周期内のランダムアクセスリソースへ巡回的にマッピングされ、前記複数のＳＳ／ＰＢＣＨブロックの夫々は、同数のランダムアクセスリソースへマッピングされる、
請求項１５に記載の通信装置。
【請求項１８】
前記ランダムアクセスリソースは、ランダムアクセス機会であり、
前記ネットワークデバイスによって送信される前記複数のＳＳ／ＰＢＣＨブロックは、１つ以上のサイクルにおいて前記１つのランダムアクセス周期内のランダムアクセス機会へマッピングされ、前記１つのランダムアクセス周期は、いずれのＳＳ／ＰＢＣＨブロックとも関連付けられず且つランダムアクセスのために使用されない１つ以上のランダムアクセス機会を更に有する、
請求項１５に記載の通信装置。
【請求項１９】
前記１つのランダムアクセス周期は、１つ以上のランダムアクセススロットを有し、
前記１つ以上のランダムアクセススロットの夫々は、１つ以上のランダムアクセス時間リソースを有し、
前記１つ以上のランダムアクセス時間リソースの夫々は、１つ以上の周波数分割多重化ランダムアクセス機会を有する、
請求項１５に記載の通信装置。
【請求項２０】
ランダムアクセスリソースはランダムアクセス機会であり、前記ネットワークデバイスによって送信される前記複数のＳＳ／ＰＢＣＨブロックは、次の順序：
前記ネットワークデバイスによって送信される前記複数のＳＳ／ＰＢＣＨブロックが、ランダムアクセスプリアンブルインデックスの昇順に基づいて、最初のランダムアクセススロット内の最初のランダムアクセス時間リソースでの最初のランダムアクセス機会におけるランダムアクセスプリアンブルへ順次にマッピングされること、
前記ネットワークデバイスによって送信される前記複数のＳＳ／ＰＢＣＨブロックが、周波数分割多重化ランダムアクセス機会の周波数昇順に基づいて、最初のランダムアクセス時間リソースでのランダムアクセス機会へ順次にマッピングされること、
前記ネットワークデバイスによって送信される前記複数のＳＳ／ＰＢＣＨブロックが、ランダムアクセス時間リソースの時間昇順に基づいて、最初のランダムアクセススロット内のランダムアクセス時間リソースへ順次にマッピングされること、及び
前記ネットワークデバイスによって送信される前記複数のＳＳ／ＰＢＣＨブロックが、ランダムアクセススロットのスロット昇順に基づいて、前記１つのランダムアクセス周期内のランダムアクセススロットへ順次にマッピングされること
でランダムアクセス機会へマッピングされる、
請求項１５に記載の通信装置。
【請求項２１】
ネットワークデバイスに適用されるランダムアクセス方法であって、
同期信号／物理ブロードキャストチャネル（ＳＳ／ＰＢＣＨ）ブロックを端末へ送信することと、
前記ＳＳ／ＰＢＣＨブロックがマッピングされるランダムアクセスリソースを決定することであり、前記ＳＳ／ＰＢＣＨブロックがマッピングされる前記ランダムアクセスリソースは、複数のランダムアクセス周期の中の１つのランダムアクセス周期内のランダムアクセスリソースであり、前記複数のランダムアクセス周期の夫々は、前記ネットワークデバイスによって送信される複数のＳＳ／ＰＢＣＨブロックと関連付けられるランダムアクセスリソースを有し、前記複数のランダムアクセス周期の夫々におけるランダムアクセスリソースの最初は、ＳＳ／ＰＢＣＨブロックを示す同じ番号に対応し、前記ＳＳ／ＰＢＣＨブロックは、前記ネットワークデバイスによって送信される前記複数のＳＳ／ＰＢＣＨブロックの中の１つである、前記決定することと、
前記決定されたランダムアクセスリソースに基づいて前記端末からランダムアクセスプリアンブルを受信することと
を有する方法。
【請求項２２】
前記ネットワークデバイスによって送信される前記複数のＳＳ／ＰＢＣＨブロックは、１つ以上のサイクルにおいて前記１つのランダムアクセス周期内のランダムアクセスリソースへマッピングされる、
請求項２１に記載の方法。
【請求項２３】
前記ネットワークデバイスによって送信される前記複数のＳＳ／ＰＢＣＨブロックは、前記１つのランダムアクセス周期内のランダムアクセスリソースへ巡回的にマッピングされ、前記複数のＳＳ／ＰＢＣＨブロックの夫々は、同数のランダムアクセスリソースへマッピングされる、
請求項２１に記載の方法。
【請求項２４】
前記ランダムアクセスリソースは、ランダムアクセス機会であり、
前記ネットワークデバイスによって送信される前記複数のＳＳ／ＰＢＣＨブロックは、１つ以上のサイクルにおいて前記１つのランダムアクセス周期内のランダムアクセス機会へマッピングされ、前記１つのランダムアクセス周期は、いずれのＳＳ／ＰＢＣＨブロックとも関連付けられず且つランダムアクセスのために使用されない１つ以上のランダムアクセス機会を更に有する、
請求項２１に記載の方法。
【請求項２５】
前記ランダムアクセスリソースは、該ランダムアクセスリソースのキャリア周波数範囲及び前記ネットワークデバイスによって送信されるランダムアクセス構成インデックスに従って決定され、
前記ランダムアクセスリソースは、次のパラメータ：ランダムアクセスプリアンブルフォーマット、前記ランダムアクセスリソースが位置しているシステムフレーム、及び前記ランダムアクセスリソースが位置しているサブフレーム、のうちの１つ以上を有し、
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム１に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム７に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム１に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ０であり、前記ランダムアクセス構成インデックスに対応する前記ランダムアクセスリソースは、前記システムフレーム内のサブフレーム２及び７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム４及び９に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム４及び９に位置し、前記システムフレームのフレーム番号は、４を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム２及び７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ｃ２であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４及び９に位置し、前記システムフレームのフレーム番号は、２を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム１に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム７に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースは、前記システムフレーム内のサブフレーム１及び６に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースは、前記システムフレーム内のサブフレーム４及び９に位置し、前記システムフレームのフレーム番号は、１を法として前記システムフレーム番号が０に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム４に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム７に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム９に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム１に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム７に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、０であり、前記ランダムアクセス構成インデックスに対応する前記ランダムアクセスリソースは、前記システムフレーム内のサブフレーム９に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム４に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム７に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム９に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム１に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム７に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、１であり、前記ランダムアクセス構成インデックスに対応する前記ランダムアクセスリソースは、前記システムフレーム内のサブフレーム９に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、２であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、２であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が０に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム１に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム４に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム７に位置し、前記システムフレームのフレーム番号は、８を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム１に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム４に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム７に位置し、前記システムフレームのフレーム番号は、４を法として前記システムフレーム番号が１に等しいことを満足し、又は
前記ランダムアクセス構成インデックスに対応する前記ランダムアクセスプリアンブルフォーマットは、３であり、前記ランダムアクセス構成インデックスに対応する前記ランダムアクセスリソースは、前記システムフレーム内のサブフレーム９に位置し、前記システムフレームのフレーム番号は、４を法として前記システムフレーム番号が１に等しいことを満足する、
請求項２１に記載の方法。
【請求項２６】
前記ランダムアクセスリソースは、ランダムアクセス時間リソースのキャリア周波数範囲及び前記ネットワークデバイスによって送信されるランダムアクセス構成インデックスに従って決定され、
前記ランダムアクセスリソースは、次のパラメータ：ランダムアクセスプリアンブルフォーマット、及びランダムアクセスリソースが位置しているスロット内のランダムアクセス時間リソースの数、のうちの１つ以上を有し、
前記ランダムアクセス構成インデックスに対応する前記ランダムアクセスプリアンブルフォーマットは、Ａ１であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ１であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ａ１であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ｂ１であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ｂ１であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ｂ１であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ｂ４であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ２であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ２であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ａ２であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ３であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ３であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ｃ０であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ｃ０であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ｃ０であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ｃ２であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ｃ２であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースが位置している前記スロット内のランダムアクセスリソースの数は、６であり、又は
前記ランダムアクセス構成インデックスに対応する前記ランダムアクセスプリアンブルフォーマットは、Ａ１若しくはＢ１であり、前記ランダムアクセス構成インデックスに対応する前記ランダムアクセスリソースが位置している前記スロット内のランダムアクセスリソースの数は、７であり、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースが位置している前記スロット内のランダムアクセスリソースの数は、２であり、又は
前記ランダムアクセス構成インデックスに対応する前記ランダムアクセスプリアンブルフォーマットは、Ａ２若しくはＢ２であり、前記ランダムアクセス構成インデックスに対応する前記ランダムアクセスリソースが位置している前記スロット内のランダムアクセスリソースの数は、３であり、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースが位置している前記スロット内のランダムアクセスリソースの数は、１であり、又は
前記ランダムアクセス構成インデックスに対応する前記ランダムアクセスプリアンブルフォーマットは、Ａ３若しくはＢ３であり、前記ランダムアクセス構成インデックスに対応する前記ランダムアクセスリソースが位置している前記スロット内のランダムアクセスリソースの数は、２である、
請求項２１に記載の方法。
【請求項２７】
通信装置であって、
同期信号／物理ブロードキャストチャネル（ＳＳ／ＰＢＣＨ）ブロックを端末へ送信するよう構成される送信器と、
前記ＳＳ／ＰＢＣＨブロックがマッピングされるランダムアクセスリソースを決定するよう構成されるプロセッサであり、前記ＳＳ／ＰＢＣＨブロックがマッピングされる前記ランダムアクセスリソースは、複数のランダムアクセス周期の中の１つのランダムアクセス周期内のランダムアクセスリソースであり、前記複数のランダムアクセス周期の夫々は、当該通信装置によって送信される複数のＳＳ／ＰＢＣＨブロックと関連付けられるランダムアクセスリソースを有し、前記複数のランダムアクセス周期の夫々におけるランダムアクセスリソースの最初は、ＳＳ／ＰＢＣＨブロックを示す同じ番号に対応し、前記ＳＳ／ＰＢＣＨブロックは、当該通信装置によって送信される前記複数のＳＳ／ＰＢＣＨブロックの中の１つである、前記プロセッサと、
前記決定されたランダムアクセスリソースに基づいて前記端末からランダムアクセスプリアンブルを受信するよう構成される受信器と
を有する通信装置。
【請求項２８】
前記ランダムアクセスリソースは、ランダムアクセス機会であり、
当該通信装置によって送信される前記複数のＳＳ／ＰＢＣＨブロックは、１つ以上のサイクルにおいて前記１つのランダムアクセス周期内のランダムアクセス機会へマッピングされ、前記１つのランダムアクセス周期は、いずれのＳＳ／ＰＢＣＨブロックとも関連付けられず且つランダムアクセスのために使用されない１つ以上のランダムアクセス機会を更に有する、
請求項２７に記載の通信装置。
【請求項２９】
前記１つのランダムアクセス周期は、１つ以上のランダムアクセススロットを有し、
前記１つ以上のランダムアクセススロットの夫々は、１つ以上のランダムアクセス時間リソースを有し、
前記１つ以上のランダムアクセス時間リソースの夫々は、１つ以上の周波数分割多重化ランダムアクセス機会を有する、
請求項２７に記載の通信装置。
【請求項３０】
ランダムアクセスリソースはランダムアクセス機会であり、当該通信装置によって送信される前記複数のＳＳ／ＰＢＣＨブロックは、次の順序：
当該通信装置によって送信される前記複数のＳＳ／ＰＢＣＨブロックが、ランダムアクセスプリアンブルインデックスの昇順に基づいて、最初のランダムアクセススロット内の最初のランダムアクセス時間リソースでの最初のランダムアクセス機会におけるランダムアクセスプリアンブルへ順次にマッピングされること、
当該通信装置によって送信される前記複数のＳＳ／ＰＢＣＨブロックが、周波数分割多重化ランダムアクセス機会の周波数昇順に基づいて、最初のランダムアクセス時間リソースでのランダムアクセス機会へ順次にマッピングされること、
当該通信装置によって送信される前記複数のＳＳ／ＰＢＣＨブロックが、ランダムアクセス時間リソースの時間昇順に基づいて、最初のランダムアクセススロット内のランダムアクセス時間リソースへ順次にマッピングされること、及び
当該通信装置によって送信される前記複数のＳＳ／ＰＢＣＨブロックが、ランダムアクセススロットのスロット昇順に基づいて、前記１つのランダムアクセス周期内のランダムアクセススロットへ順次にマッピングされること
でランダムアクセス機会へマッピングされる、
請求項２７に記載の通信装置。
【手続補正２】
【補正対象書類名】明細書
【補正対象項目名】０１０９
【補正方法】変更
【補正の内容】
【０１０９】
本願では、ダウンリンク信号は、同期信号ブロック（synchronization  signal  block，ＳＳブロック）及びチャネル状態情報参照信号（channel  state  information  reference  signal，ＣＳＩ−ＲＳ）のうちの少なくとも１つであってよい。ＳＳブロックは、１つ以上のＯＦＤＭシンボルに対応してよい。ＳＳブロックは、次の：プライマリ同期信号（primary  synchronization  signal，ＰＳＳ）、セカンダリ同期信号（secondary  synchronization  signal，ＳＳＳ）、物理ブロードキャストチャネル（physical  broadcast  channel，ＰＢＣＨ）、及び復調参照信号（demodulation  reference  signal，ＤＭＲＳ）のうちの少なくとも１つを含む。ＳＳブロックは、同期信号／物理ブロードキャストチャネル（ＳＳ／ＰＢＣＨ）ブロックとも呼ばれ得る。
【手続補正３】
【補正対象書類名】明細書
【補正対象項目名】０１１０
【補正方法】変更
【補正の内容】
【０１１０】
本願では、ランダムアクセス周期は、ランダムアクセスリソース周期とも呼ばれ、標準規格で定義されたランダムアクセスリソース期間、又はランダムアクセスリソースが現れる期間、又は同じダウンリンク信号に関連付けられたランダムアクセスリソースが現れる最小周期であってよい。
【手続補正４】
【補正対象書類名】明細書
【補正対象項目名】０１２９
【補正方法】変更
【補正の内容】
【０１２９】
ランダムアクセスリソースのインデックスｉは、ランダムアクセスリソースが位置しているスロット、ランダムアクセス時間、及びランダムアクセス周波数に基づいて同等に示されてよい。上記のマッピング関係を使用することによって、ダウンリンク信号は、ランダムアクセスリソースの特定の時間及び周波数と直接関連付けられてよい。例えば、図５のランダムアクセスリソース０は、リソースが位置しているスロット、スロット内のランダムアクセス時間０、及びランダムアクセス周波数０によって示されてよく、図５のランダムアクセスリソースＦ＋１は、リソースが位置しているスロット、スロット内のランダムアクセス時間１、及びランダムアクセス周波数１によって示されてよい。
【手続補正５】
【補正対象書類名】明細書
【補正対象項目名】０１５１
【補正方法】変更
【補正の内容】
【０１５１】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表３及び表４のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。同様の場合は、続く実施形態でも存在し、詳細は再び記載されない。
【手続補正６】
【補正対象書類名】明細書
【補正対象項目名】０１５６
【補正方法】変更
【補正の内容】
【０１５６】
ランダムアクセス構成インデックスが異なる場合に、対応するスロットは異なる。例えば、第１ランダムアクセス構成インデックスに対応するスロットは、（ｘ１，ｘ２，ｘ３，ｘ４）によって示され、第２ランダムアクセス構成インデックスに対応するスロットは、（ｙ１，ｙ２，ｙ３，ｙ４）によって示され、このとき、（ｘ１，ｘ２，ｘ３，ｘ４）及び（ｙ１，ｙ２，ｙ３，ｙ４）は、３から９の中のいずれか４つの異なる数値を含み、２つの番号グループ（ｘ１，ｘ２，ｘ３，ｘ４）及び（ｙ１，ｙ２，ｙ３，ｙ４）において、最大３つまでの番号が同じである。他の実施では、ｘ１及びｘ２、ｘ３及びｘ４、並びに／又はｘ２及びｘ３は、等しいインターバルで分布する。例えば、ｘ２＝ｘ１＋ａ、ｘ４＝ｘ３＋ａ、及び／又はｘ３＝ｘ２＋ａであり、ａは１から４の中のいずれかの整数であってよい。同様に、ｙ１及びｙ２、ｙ３及びｙ４、並びに／又はｙ２及びｙ３は、等しいインターバルで分布する。例えば、ｙ２＝ｙ１＋ｂ、ｙ４＝ｙ３＋ｂ、及び／又はｙ３＝ｙ２＋ｂ。
【手続補正７】
【補正対象書類名】明細書
【補正対象項目名】０１６２
【補正方法】変更
【補正の内容】
【０１６２】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表５及び表６のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【手続補正８】
【補正対象書類名】明細書
【補正対象項目名】０１６３
【補正方法】変更
【補正の内容】
【０１６３】
ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が８０ｍｓであり、且つ／あるいは、ダウンリンク信号が０番から３番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表５又は表６に示される。ダウンリンク信号が位置しているスロットが他のスロットである場合に、ランダムアクセスリソースが位置しているスロットが、ダウンリンク信号が位置しているスロットと重なり合わないという条件で、ランダムアクセスリソースが位置しているスロットも変化してよい。
【手続補正９】
【補正対象書類名】明細書
【補正対象項目名】０１７４
【補正方法】変更
【補正の内容】
【０１７４】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表７及び表８のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【手続補正１０】
【補正対象書類名】明細書
【補正対象項目名】０１７５
【補正方法】変更
【補正の内容】
【０１７５】
ランダムアクセス構成インデックスと、組み合わせ［ランダムアクセスリソースが位置しているスロット，ランダムアクセスプリアンブルのフォーマット，システムフレーム位置］との間のマッピング関係は更に、“ランダムアクセスプリアンブルのサブキャリア間隔、ダウンリンク信号ブロックの最大数、及び実際に送信されるダウンリンク信号ブロックのうちの１つ以上”に加えて、ランダムアクセスリソースの最大周期、及びダウンリンク信号が位置しているスロットに関係があってもよい。ランダムアクセスリソースの最大周期は、次の、５ｍｓ、１０ｍｓ、２０ｍｓ、４０ｍｓ、８０ｍｓ、１６０ｍｓ、３２０ｍｓ、及び６４０ｍｓのうちのいずれか１つであってよい。ランダムアクセスリソースの最大周期が８０ｍｓであり、且つ／あるいは、ダウンリンク信号が０番及び１番のスロットに位置する場合に、ランダムアクセス構成インデックスと、組み合わせ［ランダムアクセスリソースが位置しているスロット，ランダムアクセスプリアンブルのフォーマット，システムフレーム位置］との間のマッピング関係は、表７又は表８に示される。ダウンリンク信号が位置しているスロットが他のスロットである場合に、ランダムアクセスリソースが位置しているスロットが、ダウンリンク信号が位置しているスロットと重なり合わないという条件で、ランダムアクセスリソースが位置しているスロットも変化してよい。
【手続補正１１】
【補正対象書類名】明細書
【補正対象項目名】０１８６
【補正方法】変更
【補正の内容】
【０１８６】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表９及び表１０のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【手続補正１２】
【補正対象書類名】明細書
【補正対象項目名】０１９０
【補正方法】変更
【補正の内容】
【０１９０】
他の実施形態で、ランダムアクセス構成インデックス５８から６３に対応するスロットインデックスは、他の値であってもよい。例えば、表９中のランダムアクセス構成インデックスが５８であり、システムフレーム位置Ｍｏｄ（ＳＦＮ，１６）＝１の場合に、スロット位置は、Ｍｏｄ（ＳＦＮ，１６）＝０の場合のものとは異なり、２４乃至３９であり、あるいは、ランダムアクセス構成インデックスが５９であり、システムフレーム位置Ｍｏｄ（ＳＦＮ，１６）＝０の場合に、スロット位置は、Ｍｏｄ（ＳＦＮ，１６）＝１の場合のものとは異なり、２４乃至３９である。同様に、Ｍｏｄ（ＳＦＮ，１６）＝０、Ｍｏｄ（ＳＦＮ，１６）＝１、Ｍｏｄ（ＳＦＮ，１６）＝２、及びＭｏｄ（ＳＦＮ，１６）＝３のうちのいずれか複数について、同様の調整が行われてよい。詳細はここで再び記載されない。
【手続補正１３】
【補正対象書類名】明細書
【補正対象項目名】０１９１
【補正方法】変更
【補正の内容】
【０１９１】
他の例として、表１０中のランダムアクセス構成インデックスが５８であり、システムフレーム位置Ｍｏｄ（ＳＦＮ，１６）＝１の場合に、スロット位置は、Ｍｏｄ（ＳＦＮ，１６）＝０の場合のものとは異なり、８乃至３９であり、あるいは、ランダムアクセス構成インデックスが５９であり、システムフレーム位置Ｍｏｄ（ＳＦＮ，１６）＝０の場合に、スロット位置は、Ｍｏｄ（ＳＦＮ，１６）＝１の場合のものとは異なり、８乃至３９である。同様に、ランダムアクセス構成インデックスが６０，６１、６２、又は６３である場合に、同様の動作がやはり存在し得る。
【手続補正１４】
【補正対象書類名】明細書
【補正対象項目名】０１９２
【補正方法】変更
【補正の内容】
【０１９２】
表９及び表１０のスロット位置は、６０ｋＨｚのサブキャリア間隔に基づく。他の実施形態では、アップリンク又はダウンリンクデータのサブキャリア間隔は、ランダムアクセスプリアンブルのサブキャリア間隔とは異なるので、アップリンク又はダウンリンクデータのサブキャリア間隔に対応するスロット存続期間は、ランダムアクセスプリアンブルのサブキャリア間隔に対応するスロット存続期間とは異なる。アップリンク又はダウンリンクデータのサブキャリア間隔がランダムアクセスプリアンブルのサブキャリア間隔とは異なる場合に、ランダムアクセスリソース構成表中のスロットは、ランダムアクセスプリアンブルのサブキャリア間隔に基づいてよく、あるいは、アップリンク又はダウンリンクデータのサブキャリア間隔に基づいてよい。代替的に、ネットワークデバイスは指示情報Ｆｌａｇを設定し、Ｆｌａｇ＝０の場合に、それは前者の方法に対応し、あるいは、Ｆｌａｇ＝１の場合に、それは後者の方法に対応する。ランダムアクセスリソース構成表中のスロットがアップリンク又はダウンリンクデータのサブキャリア間隔に基づき、アップリンク又はダウンリンクデータのサブキャリア間隔がランダムアクセスプリアンブルのサブキャリア間隔とは異なる場合に、表９及び表１０における時間位置インデックス、連続するスロットの数、及びスロット内のランダムアクセスプリアンブル構造のうちの少なくとも１つは、ネットワークデバイス及び端末側でランダムアクセスリソース及びアップリンク又はダウンリンクデータについて時間アライメントが達成されるように、更に調整されてよい。
【手続補正１５】
【補正対象書類名】明細書
【補正対象項目名】０１９３
【補正方法】変更
【補正の内容】
【０１９３】
例えば、アップリンク又はダウンリンクデータのサブキャリア間隔が１２０ｋＨｚである場合に、表９及び表１０中のいずれかのスロットインデックスは、２つの連続する１２０ｋＨｚスロットに対応してよく、対応するスロットインデックス及び／又は連続するスロットの数は増減される。具体的に言えば、ランダムアクセスプリアンブルが位置している６０ｋＨｚスロットのインデックスがｋである場合に、スロットは、スロットインデックスが２ｋ及び２ｋ＋１である１２０ｋＨｚスロットに調整される。すなわち、ランダムアクセスリソースの絶対時間は変わらないままである。この場合に、スロット内のランダムアクセスプリアンブルの構造は更に調整されてよい。例えば、１つの６０ｋＨｚスロット内のランダムアクセスプリアンブルの構造は、２つの連続する１２０ｋＨｚスロットｋ及びｋ＋１の存続期間に基づいてよい。他の例として、２つの新しい１２０ｋＨｚスロットｋ及びｋ＋１は、６０ｋＨスロットの半分に夫々対応する（すなわち、ダウンリンク信号によって占有されるシンボルの数が７つよりも少ない６０ｋＨｚＯＦＤＭシンボルである構成が表１６、表１７、表１８、表１９、表２０、及び表２１で除かれた後に十分なランダムアクセスリソースを有している任意の構造と同等の７つの６０ｋＨｚＯＦＤＭシンボル）。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【手続補正１６】
【補正対象書類名】明細書
【補正対象項目名】０１９４
【補正方法】変更
【補正の内容】
【０１９４】
例えば、アップリンク又はダウンリンクデータのサブキャリア間隔が３０ｋＨｚである場合に、表９及び表１０中のいずれかのスロットインデックスは、３０ｋＨｚスロットの半分に対応してよく、対応するスロットインデックス及び／又は連続するスロットの数は増減される。具体的に言えば、ランダムアクセスプリアンブルが位置している６０ｋＨｚスロットのインデックスがｋである場合に、スロットは、３０ｋＨｚスロットの半分に調整され、あるいは、ランダムアクセスプリアンブルが、インデックスが２ｋ及び２ｋ＋１である２つの連続する６０ｋＨｚスロットに位置する場合に、スロットは、１つの３０ｋＨｚに調整される。すなわち、ランダムアクセスリソースの絶対時間は変わらないままである。この場合に、スロット内のランダムアクセスプリアンブルの構造は更に調整されてよい。例えば、１つの３０ｋＨｚスロット内のランダムアクセスプリアンブルの構造は、２つの連続する６０ｋＨｚスロットｋ及びｋ＋１に基づいてよい。他の例として、３０ｋＨｚスロットの半分は１つの６０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【手続補正１７】
【補正対象書類名】明細書
【補正対象項目名】０１９５
【補正方法】変更
【補正の内容】
【０１９５】
例えば、アップリンク又はダウンリンクデータのサブキャリア間隔が１５ｋＨｚである場合に、表９及び表１０中のいずれかのスロットインデックスは、１５ｋＨｚスロットの１／４に対応してよく（例えば、２乃至４つの１５ｋＨｚＯＦＤＭシンボル）、対応するスロットインデックス及び／又は連続するスロットの数は増減される。具体的に言えば、ランダムアクセスプリアンブルが位置している６０ｋＨｚスロットのインデックスがｋである場合に、スロットは、１５ｋＨｚスロットの１／４に調整され、あるいは、ランダムアクセスプリアンブルが、ｋ及びｋ＋１である２つの連続する６０ｋＨｚスロットに位置する場合に、スロットは、１つの１５ｋＨｚの半分に調整され、あるいは、ランダムアクセスプリアンブルが、インデックスがｋ乃至ｋ＋３である４つの連続する６０ｋＨｚスロットに位置する場合に、スロットは、１つの１５ｋＨｚに調整される。すなわち、ランダムアクセスリソースの絶対時間は変わらないままである。この場合に、スロット内のランダムアクセスプリアンブルの構造は更に調整されてよい。例えば、１つの１５ｋＨｚスロット内のランダムアクセスプリアンブルの構造は、４つの連続する６０ｋＨｚスロットｋ乃至ｋ＋３に基づいてよい。他の例として、１５ｋＨｚスロットの半分におけるランダムアクセスプリアンブルの構造は、２つの連続する６０ｋＨｚスロットｋ及びｋ＋１に対応する。他の例として、１つの１５ｋＨｚの１／４は、１つの６０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは最初の方法に対応し、Ｆｌａｇ＝１の場合、それは２番目の調整方法に対応し、あるいは、Ｆｌａｇ＝２の場合に、それは３番目の調整方法に対応する）。
【手続補正１８】
【補正対象書類名】明細書
【補正対象項目名】０２０１
【補正方法】変更
【補正の内容】
【０２０１】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１１及び表１２のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【手続補正１９】
【補正対象書類名】明細書
【補正対象項目名】０２１１
【補正方法】変更
【補正の内容】
【０２１１】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１３のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。他の実施では、異なる周波数バンドがアップリンク及びダウンリンクで使用される。異なる周波数バンドがアップリンク及びダウンリンク通信のために使用されるので、ランダムアクセスリソースは、システムフレームにおいて全ての時間位置に配置され得る。
【手続補正２０】
【補正対象書類名】明細書
【補正対象項目名】０２１９
【補正方法】変更
【補正の内容】
【０２１９】
同じシステムフレーム周期内の複数のスロット位置は、更なるシステムフレームにおいて分布してもよい。例えば、構成インデックスが０である場合に、ランダムアクセスリソースが位置するスロットは、システムフレーム位置Ｍｏｄ（ＳＦＮ，８）＝ｘ１におけるスロットインデックスｉ１乃至ｊ１、システムフレーム位置Ｍｏｄ（ＳＦＮ，８）＝ｘ２におけるスロットインデックスｉ２乃至ｊ２、・・・、システムフレーム位置Ｍｏｄ（ＳＦＮ，８）＝ｘＫにおけるスロットインデックスｉＫ乃至ｊＫであってよく、すなわち、８つのスロットがＫ個のシステムフレームにおいて分布し、各システムフレームは７つのスロットを含む。構成インデックスが１である場合に、ランダムアクセスリソースが位置するスロットは、システムフレーム位置Ｍｏｄ（ＳＦＮ，８）＝ｙ１におけるスロットインデックスｌ１乃至ｍ１、システムフレーム位置Ｍｏｄ（ＳＦＮ，８）＝ｙ２におけるスロットインデックスｌ２乃至ｍ２、・・・、システムフレーム位置Ｍｏｄ（ＳＦＮ，８）＝ｙＫにおけるスロットインデックスｌＫ乃至ｍＫであってよく、すなわち、８つのスロットがＫ個のシステムフレームにおいて分布し、各システムフレームは７つのスロットを含む。任意に、ｘ１乃至ｘＫはｙ１乃至ｙＫまで異なっている。この場合に、いずれかのｋについて、共通部分集合がｉｋ乃至ｊｋとｌｋ乃至ｍｋとの間に存在してもしなくてもよい。任意に、ｘｋ＝ｙｋ、及びｋ＝１乃至Ｋ。この場合に、いずれかのｋについて、ｉｋ乃至ｊｋ及びｌｋ乃至ｍｋは完全に同じであることができない。Ｋは、ランダムアクセスリソースがシステムフレーム周期において分布しているシステムフレームの数を示す。例えば、構成インデックスが表１３中の０及び１である場合に、Ｋは１であり、あるいは、構成インデックスが５８乃至６３である場合に、Ｋは２である。他の実施形態では、Ｋは他の値であってもよい。例えば、Ｋは、１から６４のうちのいずれかの値に等しく、Ｋは、構成インデックスｉにおける対応するランダムアクセスリソースが位置しているシステムフレーム周期Ｐｉよりも小さく、すなわち、構成インデックスに対応するシステムフレーム位置がｍｏｄ（ＳＦＮ，Ｐｉ）＝ｘである場合に、Ｋ≦Ｐｉ。方法は、本明細書中のランダムアクセスリソース構成の全ての実施形態に適用可能であり、詳細はランダムアクセスリソース構成の他の実施形態で再び記載されないことが留意されるべきである。
【手続補正２１】
【補正対象書類名】明細書
【補正対象項目名】０２２３
【補正方法】変更
【補正の内容】
【０２２３】
例えば、アップリンク又はダウンリンクデータのサブキャリア間隔が１２０ｋＨｚである場合に、表１１及び表１２中のいずれかのスロットインデックスは、２つの連続する１２０ｋＨｚスロットに対応してよく、対応するスロットインデックス及び／又は連続するスロットの数は増減される。具体的に言えば、ランダムアクセスプリアンブルが位置している６０ｋＨｚスロットのインデックスがｋである場合に、スロットは、スロットインデックスが２ｋ及び２ｋ＋１である１２０ｋＨｚスロットに調整される。すなわち、ランダムアクセスリソースの絶対時間は変わらないままである。この場合に、スロット内のランダムアクセスプリアンブルの構造は更に調整されてよい。例えば、１つの６０ｋＨｚスロット内のランダムアクセスプリアンブルの構造は、２つの連続する１２０ｋＨｚスロットｋ及びｋ＋１の存続期間であってよい。他の例として、２つの新しい１２０ｋＨｚスロットｋ及びｋ＋１は、６０ｋＨスロットの半分に夫々対応する（すなわち、ダウンリンク信号によって占有されるシンボルの数が７つよりも少ない３０ｋＨｚＯＦＤＭシンボルである構成が表１６、表１７、表１８、表１９、表２０、及び表２１で除かれた後に十分なランダムアクセスリソースを有している任意の構造と同等の７つの６０ｋＨｚＯＦＤＭシンボル）。上記の調整の様態及び方法は予め定義又は予め記憶されるか、あるいは、ネットワークデバイスによって示されてよい（例えば、Ｆｌａｇ＝０の場合に、それは前者の方法に対応し、あるいは、Ｆｌａｇ＝１の場合、それは後者の調整方法に対応する）。
【手続補正２２】
【補正対象書類名】明細書
【補正対象項目名】０２２５
【補正方法】変更
【補正の内容】
【０２２５】
例えば、アップリンク又はダウンリンクデータのサブキャリア間隔が１５ｋＨｚである場合に、表１１及び表１２のいずれかのスロットインデックスは、１つの１５ｋＨｚスロットの１／４に対応してよく（例えば。２乃至４個の１５ｋＨｚＯＦＤＭシンボル）、対応するスロットインデックス及び／又は連続するスロットの数は増減される。具体的に言えば、ランダムアクセスプリアンブルが位置している６０ｋＨｚスロットのインデックスがｋである場合に、スロットは、１５ｋＨｚスロットの１／４に調整され、あるいは、ランダムアクセスプリアンブルが、インデックスがｋ及びｋ＋１である２つの連続する６０ｋＨｚスロットに位置する場合に、スロットは、１つの１５ｋＨｚの半分に調整され、あるいは、ランダムアクセスプリアンブルが、インデックスがｋ乃至ｋ＋３である４つの連続する６０ｋＨｚスロットに位置する場合に、スロットは、１つの１５ｋＨｚスロットに調整される。すなわち、ランダムアクセスリソースの絶対時間は変わらないままである。この場合に、スロット内のランダムアクセスプリアンブルの構造は更に調整されてよい。例えば、１つの１５ｋＨｚスロット内のランダムアクセスプリアンブルの構造は、４つの連続する６０ｋＨｚスロットｋ乃至ｋ＋３に基づいてよい。他の例として、１５ｋＨｚスロットの半分におけるランダムアクセスプリアンブルの構造は、２つの連続する６０ｋＨｚスロットｋ及びｋ＋１に基づいてよい。他の例として、１つの１５ｋＨｚスロットの１／４は、１つの６０ｋＨｚスロットに対応する。上記の調整の様態及び方法は予め定義又は予め記憶されるか、あるいは、ネットワークデバイスによって示されてよい（例えば、Ｆｌａｇ＝０の場合に、それは最初の方法に対応し、Ｆｌａｇ＝１の場合、それは２番目の調整方法に対応し、あるいは、Ｆｌａｇ＝２の場合、それは３番目の調整方法に対応する）。
【手続補正２３】
【補正対象書類名】明細書
【補正対象項目名】０２２７
【補正方法】変更
【補正の内容】
【０２２７】
実施において、アップリンク通信及びダウンリンク通信は、別々に同じ周波数バンドで実行され、そして、干渉を回避するために、他のネットワークデバイスによって送信されるダウンリンク信号のそれとは異なる時間に実行される必要がある。従って、ランダムアクセスリソースは、システムフレームにおいてダウンリンク信号ブロックの時間には配置され得ない。例えば、ダウンリンク信号ブロックが０及び５番のスロットに位置する場合に、ランダムアクセスリソースは、４及び６から９番のスロットのうちの１つ以上に位置する。
【手続補正２４】
【補正対象書類名】明細書
【補正対象項目名】０２２８
【補正方法】変更
【補正の内容】
【０２２８】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１４のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【手続補正２５】
【補正対象書類名】明細書
【補正対象項目名】０２３７
【補正方法】変更
【補正の内容】
【０２３７】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。例えば、表１５のランダムアクセス構成インデックス０及びランダムアクセス構成インデックス１について、ランダムアクセスリソース時間密度は同じであり（すなわち、８つのシステムフレームごとに１つのスロットが現れる）、システムフレーム位置は同じであるが、スロット位置は異なる。
【手続補正２６】
【補正対象書類名】明細書
【補正対象項目名】０２５１
【補正方法】変更
【補正の内容】
【０２５１】
ネットワークデバイスは、シグナリングを使用することによって現在のランダムアクセス構成インデックス及びランダムアクセスプリアンブルの構造情報を示す。端末デバイスは、ランダムアクセスリソースが位置しているスロット又若しくはサブフレーム、開始ＯＦＤＭシンボル位置、存続期間、又は終了位置、及びランダムアクセスリソースの数を、ランダムアクセスプリアンブルのシーケンス長さ、ランダムアクセスプリアンブルのサブキャリア間隔、ランダムアクセスプリアンブルフォーマット、ランダムアクセスリソースのサービングセル識別、ランダムアクセスリソースのキャリア周波数情報、キャリア周波数範囲、サービスタイプ、ダウンリンク信号の最大数、実際に送信されるダウンリンク信号に関する情報、同じ時間でのランダムアクセスリソース周波数の数、ランダムアクセスリソース周期、ダウンリンク信号とランダムアクセスリソースとの間の関連付け関係、ダウンリンク信号に関連付けられたランダムアクセスリソースの数、ランダムアクセス構成インデックス、及びランダムアクセス構造の指示情報に基づいて取得する。シグナリングは、ラジオ・リソース・コントロール（radio  resource  control，ＲＲＣ）シグナリング、システム情報（system  information，ＳＩ）、媒体アクセス制御−制御要素（Medium  access  control-control  element，ＭＡＣ  ＣＥ）シグナリング、ダウンリンク制御情報（downlink  control  information，ＤＣＩ）、物理ダウンリンク制御チャネル次数（physical  downlink  control  channel  order，ＰＤＣＣＨ  ｏｒｄｅｒ）、などであってよい。
【手続補正２７】
【補正対象書類名】明細書
【補正対象項目名】０２５３
【補正方法】変更
【補正の内容】
【０２５３】
実施において、同じランダムアクセスプリアンブルフォーマットの場合に、同じランダムアクセスリソース時間密度（又はランダムアクセスリソース周期）では、最大２つの異なったランダムアクセス構成インデックスが存在し、１つのランダムアクセス構成インデックスに対応するシステムフレーム、スロット、及びスロット内のランダムアクセスリソースの時間のうちの少なくとも１つは、他のランダムアクセス構成インデックスに対応するそれと完全には同じでないか、又は全く異なる。例えば、システムフレーム位置は同じであるが、スロット位置及び／又はスロット内のランダムアクセスリソースのＯＦＤＭシンボル位置は異なる。他の例として、スロット位置は同じであるが、システムフレーム位置及び／又はスロット内のランダムアクセスリソースのＯＦＤＭシンボル位置は異なる。他の例として、スロット内のランダムアクセスリソースのＯＦＤＭシンボル位置は同じであるが、システム位置及び／又はスロット位置は異なる。同じ時間密度は、同じ時間インターバル内の同数のランダムアクセスリソースを意味する。例えば、時間インターバルは５ｍｓ、１０ｍｓ、２０ｍｓ、４０ｍｓ、８０ｍｓ、１６０ｍｓ、３２０ｍｓ、及び６４０ｍｓのうちの１つである。
【手続補正２８】
【補正対象書類名】明細書
【補正対象項目名】０２６０
【補正方法】変更
【補正の内容】
【０２６０】
しかし、これは制限されない。続く表１６乃至表２４では、夫々の切り替え時間ｉ（アップリンク−ダウンリンク切り替え時間を示す）のカラムにおいて、第１サブカラムは、切り替え時間（Ｓとして表され、時間単位はκ・２−ｕである）を示し、第２サブカラムは、Ｔ個のスロット内のＯＦＤＭシンボルの数（Ｍとして表され、他のアップリンク及びダウンリンクデータを示す）を示し、第３サブカラムは、Ｔ個のスロット内のＲＯ（ランダムアクセスリソース）の数（Ｓとして表される）を示し、このとき、Ｍ＝Ｋ１＋Ｋ２＋Ｋ３である。
【手続補正２９】
【補正対象書類名】明細書
【補正対象項目名】０２６１
【補正方法】変更
【補正の内容】
【０２６１】
任意に、各切り替え時間ｉの第１サブカラムは同じであって、ｉ×２１９２時間（単位はκ・２−ｕである）である。切り替え時間が時間０又は０．５ｍｓに及ぶ場合に、１６の時間（単位はκ・２−ｕである）が相応して加えられる。
【手続補正３０】
【補正対象書類名】明細書
【補正対象項目名】０２６２
【補正方法】変更
【補正の内容】
【０２６２】
実施形態において、第２アップリンクデータによって占有されるＯＦＤＭシンボルの数Ｋ３は０に等しい。この場合に、Ｔ個のスロット内の第１ランダムアクセスリソースの開始時間は（２１９２×Ｍ＋Ｓ）×κ×２−ｕ基本時間単位であり、ｐ番目のランダムアクセスリソースの開始時間は（２１９２×Ｍ＋Ｓ）×κ×２−ｕ＋ｐ×Ｎであり、このとき、ｐ＝０，１，・・・，Ｐ−１、Ｎ＝Ｎｕ＋ＮＣＰＲＡ＋ＮＧＴＲＡ又はＮ＝Ｎｕ＋ＮＣＰＲＡ（表１及び表２で記載されるように、Ｎｕはランダムアクセスプリアンブルのシーケンス長さであり、ＮＣＰＲＡはランダムアクセスプリアンブルフォーマットの巡回プレフィックス長さであり、ＮＧＴＲＡはランダムアクセスプリアンブルフォーマットの保護インターバルである）。実施形態において、第２アップリンクデータによって占有されるＯＦＤＭシンボルの数Ｋ３は０に等しい。この場合に、Ｔ個のスロット内の第１ランダムアクセスリソースの開始時間は（２１９２×（Ｋ１＋Ｋ２）＋Ｓ）×κ×２−ｕ基本時間単位であり、ｐ番目のランダムアクセスリソースの開始時間は（２１９２×Ｍ＋Ｓ）×κ×２−ｕ＋ｐ×Ｎであり、このとき、ｐ＝０，１，・・・，Ｐ−１。
【手続補正３１】
【補正対象書類名】明細書
【補正対象項目名】０２６３
【補正方法】変更
【補正の内容】
【０２６３】
ダウンリンクデータ、アップリンクデータ、切り替え時間、又はランダムアクセスプリアンブルが、ｎ個のサブフレームの開始時間又はサブフレームの中央値（例えば、Ｑが整数であるとして、Ｑ＋０．５ｍｓ）に及ぶ場合に、ランダムアクセスプリアンブルの巡回プリフィックス又は保護期間が相応して、１６×ｎ×κ×２−ｕ基本時間単位だけ延ばされるか、あるいは、ランダムアクセスプリアンブルを送信する時間が、１６×ｎ×κ×２−ｕ基本時間単位だけ前進される。他の実施形態では、各ランダムアクセスプリアンブルを送信する時間は、ランダムアクセスリソースの時間（例えば、サブフレーム、スロット、開始ＯＦＤＭシンボル、及び終了ＯＦＤＭシンボルのうちの少なくとも１つ）に対して、８×ｍ×κ×２−ｕ基本だけ前進され、このとき、ｍは、前もって設定された値又は、シグナリングを使用することによってネットワークデバイスによって設定される値であり、ｍ＝０乃至４０９５である。
【手続補正３２】
【補正対象書類名】明細書
【補正対象項目名】０２８９
【補正方法】変更
【補正の内容】
【０２８９】
ランダムアクセスプリアンブルのサブキャリア間隔（Ｍｓｇ１ＳｕｂｃａｒｒｉｅｒＳｐａｓｉｎｇ）、関連付け関係（Ａｓｓｏｃｉａｔｉｏｎ）、ダウンリンク信号受信電力閾値（ＲＳＲＰＴｈｒｅｓｈｏｌｄ）、実際に送信されるダウンリンク信号（ＡｃｔｕａｌｌｙＴｘＳＳＢｌｏｃｋ）、及びダウンリンク信号送信電力（ＳＳＢＴｘＰｏｗｅｒ）は、ＬＴＥに基づき加えられたパラメータである。実際に送信されるダウンリンク信号（ＡｃｔｕａｌｌｙＴｘＳＳＢｌｏｃｋ）、初期プリアンブル受信電力（ＰｒｅａｍｂｅｌＩｎｉｔｉａｌＲｅｃｅｉｖｅｄＴａｒｇｅｔＰｏｗｅｒ）、及びダウンリンク信号送信電力（ＳＳＢＴｘＰｏｗｅｒ）は、複数のダウンリンク信号に基づいて設定される。周波数バンド内のダウンリンク信号の最大可能数はＮである。例えば、周波数バンドが３ＧＨｚよりも低い場合に、Ｎ＝４である。例えば、周波数バンドが３ＧＨｚよりも高く、６ＧＨｚよりも高くない場合に、Ｎ＝８である。例えば、周波数バンドが６ＧＨｚよりも高い場合に、Ｎ＝６４である。実際に、ネットワークデバイスの実施能力及びカバレッジのような因子の影響により、セル内で実際に使用されるダウンリンク信号の数は、ダウンリンク信号の最大可能数に満たない。従って、実際に送信されるダウンリンク信号、すなわち、セルカバレッジを実施するために使用されるダウンリンク信号の数及びインデックスが、指示される必要がある。ダウンリンク信号は、ダウンリンク同期信号ＳＳブロック又はＰＢＣＨブロック（同期信号若しくは物理ブロードキャストチャネルブロック）、及び／又はダウンリンクチャネル状態参照信号ＣＳＩ−ＲＳ（channel  state  information  reference  signal）であってよい。
【手続補正３３】
【補正対象書類名】明細書
【補正対象項目名】０２９２
【補正方法】変更
【補正の内容】
【０２９２】
ランダムアクセス中に、少なくとも次のパラメータが必要とされる：ダウンリンク信号（又はダウンリンク信号グループ）が送信されるかどうか、ダウンリンク信号（又はダウンリンク信号グループ）の送信電力、ネットワークデバイス上の送信ビームフォーミング利得、関連するランダムアクセスリソースの数、ダウンリンク信号（又はダウンリンク信号グループ）に対応するランダムアクセスリソース上の初期プリアンブル受信電力、及びネットワークデバイス上の受信ビームフォーミング利得。しかし、上記のパラメータは、異なるダウンリンク信号（又は異なるダウンリンク信号グループ）の場合に異なってもよい。従って、上記のパラメータは、送信のために組み合わされる。例えば、上記のパラメータのうちのいずれかの量が組み合わされ、残りのパラメータから別々に構成される。
【手続補正３４】
【補正対象書類名】明細書
【補正対象項目名】０３００
【補正方法】変更
【補正の内容】
【０３００】
他の実施形態では、ダウンリンク信号の送信電力、ネットワークデバイス上の送信ビームフォーミング利得、ダウンリンク信号に対応するランダムアクセスリソース上の初期プリアンブル受信電力、及びネットワークデバイス上の受信ビームフォーミング利得は、２つのパラメータ、例えば、ネットワークデバイスの送信電力パラメータ及びネットワークデバイスの受信電力パラメータ、を使用することによって別々に構成される。２つのパラメータは、上記の４つのパラメータの組み合わせであってよい。例えば、ネットワークデバイスの送信電力パラメータは、少なくとも、ダウンリンク信号の送信電力を含み、ネットワークデバイスの受信電力パラメータは、少なくとも、初期プリアンブル受信電力を含む。他の例として、ネットワークデバイスの送信電力パラメータは、ダウンリンク信号の送信電力及びネットワークデバイス上の送信／受信ビームフォーミング利得を含み、ネットワークデバイスの受信電力パラメータは、初期プリアンブル受信電力を含む。他の例として、ネットワークデバイスの送信電力パラメータは、ダウンリンク信号の送信電力であり、ネットワークデバイスの受信電力パラメータは、初期プリアンブル受信電力及びネットワークデバイス上の送信／受信ビームフォーミング利得を含む。２つのパラメータは複数の方法で送信されてよい。例えば、方法１：ネットワークデバイスの送信電力パラメータ及びネットワークデバイスの受信電力パラメータは、夫々のダウンリンク信号（又はダウンリンク信号グループ内）について別々に構成され、方法２：夫々のダウンリンク信号（又はダウンリンク信号グループ）についてのネットワークデバイスの送信電力パラメータに関しては、ネットワークデバイスの送信電力パラメータ及びダウンリンク信号（又はダウンリンク信号グループ）に対応する送信電力オフセットを参照されたく、夫々のダウンリンク信号（又はダウンリンク信号グループ）についてのネットワークデバイスの受信電力パラメータに関しては、ネットワークデバイスの受信電力パラメータ及びダウンリンク信号（又はダウンリンク信号グループ）に対応する受信電力オフセットを参照されたい。方法２で、ダウンリンク信号（又はダウンリンク信号グループ）が送信されるかどうかは、送信のために送信電力オフセット及び受信電力オフセットと組み合わされてよい。
【手続補正３５】
【補正対象書類名】明細書
【補正対象項目名】０３１２
【補正方法】変更
【補正の内容】
【０３１２】
任意に、決定モジュール１９０２は、送信モジュール１９０３が、ダウンリンク信号に対応するランダムアクセスリソースに基づいてランダムアクセスプリアンブルをネットワークデバイスへ送信する前に、
スロット又はサブフレームの前もって設定された構造情報に基づいて、ランダムアクセスリソースの時間範囲内のランダムアクセスリソースの時間を決定するよう、又は
ネットワークデバイスによって送信された、ランダムアクセススロット又はサブフレームの構造情報を含む第２指示情報を受信し、ランダムアクセススロット又はサブフレームの構造情報に基づいて、ランダムアクセスリソースの時間範囲内のランダムアクセスリソースの時間を決定するよう
更に構成される。
【手続補正３６】
【補正対象書類名】明細書
【補正対象項目名】０３１３
【補正方法】変更
【補正の内容】
【０３１３】
任意に、決定モジュール１９０２は、ランダムアクセスリソースの前もって設定されたインデックス作成モードを取得するよう更に構成され、あるいは、
受信モジュール１９０１は、ネットワークデバイスによって送信された第３指示情報を受信するよう更に構成され、第３指示情報は、ランダムアクセスリソースのインデックス作成モードを示すために使用される。
【国際調査報告】
2020536421.tif 000102
2020536421.tif 000103
2020536421.tif 000104
2020536421.tif 000105